(57)【特許請求の範囲】
【請求項１】
遊技動作の制御を司る遊技動作制御手段と、
前記遊技動作の制御を行う際に使用する遊技動作制御用の複数種類のデータテーブルが格納された不揮発性記憶手段と、
前記遊技動作の制御に伴い発生する動作データを設定するワーク領域として定められた揮発性記憶手段と、を備え、
前記複数種類のデータテーブルは、
前記ワーク領域にクリアデータを設定すべき場合に用いられるものであって、そのクリアデータの設定先を特定する設定先アドレスの下位バイトを示す下位バイト情報が複数記憶され、当該設定先アドレスの上位バイトを示す上位バイト情報および前記クリアデータが記憶されていないデータセットテーブルを含み、
前記設定先アドレスの上位バイトは共通する値であり、
前記遊技動作制御手段は、
前記データセットテーブルに記憶された前記下位バイト情報を順次読み出して、読み出す毎に、前記共通する値と前記データセットテーブルから読み出した前記下位バイト情報とにより設定先アドレスを特定し、特定された設定先アドレスが示すワーク領域に、前記クリアデータを順次設定するデータセット処理を含み、
前記クリアデータを前記ワーク領域に設定すべき処理時に、前記データセットテーブルを設定した後、前記データセット処理を実行するように構成されている、
ことを特徴とする遊技機。
【発明の詳細な説明】
【技術分野】
【０００１】
本発明は、パチンコ機、アレンジボール機、雀球遊技機などの弾球遊技機や、回胴式遊技機などの遊技機に関し、特に、ＲＯＭのデータ容量についての制約下で、演出動作のバリエーションを増やすことが要望される遊技機に関するものである。
【背景技術】
【０００２】
パチンコ機などの遊技機の制御は、遊技動作を統括的に制御する主制御部と、主制御部からの制御コマンドに従い、遊技の進行に応じて演出を現出させる演出制御部とに分散して行われる。これらの主制御部や演出制御部は、それぞれＣＰＵ、ＲＡＭ、ＲＯＭなどを備えるマイクロコンピュータとして構成される。
【０００３】
このパチンコ機などの遊技機には、一方において、健全な大衆娯楽機器として種々の制約が課せられている。たとえばパチンコ遊技機の主基板（主制御部）に装着されるＲＯＭにあっては、制御領域（使用領域のうちデータ領域以外の記憶領域）の容量が３ＫＢ（キロバイト）を超えず、かつ、データ領域の容量が３ＫＢを超えないものであることなどが定められている。
【０００４】
他方において、パチンコ機などの遊技機には、遊技の進行に応じて現出させる演出動作のバリエーションを可能な限り豊富にすることが強く望まれている。
【０００５】
そこで、ＲＯＭの制御領域に関し、遊技機のプログラム容量を削減する技術が幾つか提案されている（たとえば特許文献１参照）。
【先行技術文献】
【特許文献】
【０００６】
【特許文献１】特開２００９−０７２５３７号公報
【発明の概要】
【発明が解決しようとする課題】
【０００７】
しかしながら、ＲＯＭのデータ領域におけるデータそれ自体のサイズを小さくすることができれば、上記したＲＯＭのデータ容量についての厳しい制約の下でも、より多くの演出動作のバリエーションを実現することが可能となる。
【０００８】
そこで、本発明の目的は、上記課題を解決し、ＲＯＭにおけるデータ容量を節減しうる遊技機を提供することにある。
【課題を解決するための手段】
【０００９】
本発明の上記目的は、下記の手段によって達成される。なお括弧内は実施形態における対応要素を示すが、本発明はこれに限定されるものではない。
【００１０】
（１）遊技動作の制御を司る遊技動作制御手段（主制御部２０）と、
前記遊技動作の制御を行う際に使用する遊技動作制御用の複数種類のデータテーブルが格納された不揮発性記憶手段（ＲＯＭ２０２）と、
前記遊技動作の制御に伴い発生する動作データを設定するワーク領域として定められた揮発性記憶手段（ＲＡＭ２０３）と、
を備え、
前記複数種類のデータテーブルは、
前記ワーク領域に転送して設定すべき前記動作データと、その設定先を特定する設定先アドレス情報とで一対とされ、このような一対の情報が１又は複数組記憶された第１のデータセットテーブル（図２０のＤ＿ＴＤ０ＳＥＴ等）と、
前記ワーク領域にクリアデータを設定すべき場合に用いられるものであって、そのクリアデータの設定先を特定する設定先アドレス情報が１又は複数組記憶された第２のデータセットテーブル（図２２、図２６のＤ＿ＴＤ０ＳＥＴ等）と、を含み、
前記遊技動作制御手段は、
前記第１のデータセットテーブルに記憶された前記設定先アドレス情報に対応するワーク領域に、前記動作データデータを順次設定する第１のデータセット処理（図１９）と、
前記第２のデータセットテーブルに記憶された前記設定先アドレス情報に対応するワーク領域に、前記クリアデータを順次設定する第２のデータセット処理（図２１または図２５のゼロセット処理）と、
がモジュール化されており、
前記動作データを前記ワーク領域に設定すべき処理時に、前記第１のデータセットテーブルを取得した後、前記第１のデータセット処理を実行し、
前記クリアデータを前記ワーク領域に設定すべき処理時に、前記第２のデータセットテーブルを取得した後、前記第２のデータセット処理を実行するように構成されている、
ことを特徴とする遊技機。
【００１１】
（２）前記第１のデータセットテーブルおよび第２のデータセットテーブルは、前記設定すべき処理数として、前記先頭アドレス位置に、当該テーブルにおいて処理すべき個数を示す第２の識別データを含んでおり（図２０、図２２、図２４（ｂ）、図２７（ｂ）（ｃ）等）、
前記第１のデータセット処理および第２のデータセット処理は、この識別データが示す個数だけ順次に前記動作データまたは前記クリアデータの設定処理を行う（図１９、図２１）、
ことを特徴とする上記（１）に記載の弾球遊技機。
【００１２】
（３）前記第１のデータセットテーブルおよび第２のデータセットテーブルは、前記設定すべき処理数として、当該テーブルの最後のアドレス位置に、当該テーブルにおいて処理すべき情報がそれ以上存在しないことを示すエンドコードを有しており（図２６）、
前記第１のデータセット処理および第２のデータセット処理は、このエンドコードが置かれた前までの処理データについて順次に前記動作データまたは前記クリアデータの設定処理を行う（図２５）、
ことを特徴とする上記（１）に記載の弾球遊技機。
【００１３】
更に他の好ましい形態として、前記遊技機は、前記遊技動作制御手段により制御され、所定の変動開始条件が成立したことに基づき、特別図柄の変動表示の開始および当該変動表示の停止を一セットとする図柄変動表示動作を表示可能な特別図柄表示手段を備え、前記特別図柄が特定の図柄態様で停止表示した後、遊技者に有利な利益状態を発生可能に構成され、
前記第１のデータセット処理は、  前記遊技進行に係る処理状態が前記図柄変動表示動作における図柄変動、前記遊技者に有利な利益状態（大当り、小当り）の開始などの所定の動作の開始時に実行され、
前記第２のデータセット処理は、前記所定の動作の終了時に実行される、ことを特徴とする、上記（１）〜（３）のいずれかに記載の弾球遊技機とするのが良い。
【発明の効果】
【００１４】
本発明によれば遊技機のＲＯＭにおけるデータ容量を節減することができる。
【図面の簡単な説明】
【００１５】
【図１】本発明の一実施形態に係る弾球遊技機の外観を示す正面側の斜視図である。
【図２】本発明の一実施形態に係る弾球遊技機の遊技盤の正面側を示す図である。
【図３】本発明の一実施形態に係る弾球遊技機の制御装置を示すブロック図である。
【図４】本発明の一実施形態に係る弾球遊技機の遊技状態遷移の説明に供する説明図である。
【図５】本発明の一実施形態に係る主制御側メイン処理を示すフローチャートである。
【図６】本発明の一実施形態に係る主制御側タイマ割込処理を示すフローチャートである。
【図７】図６中の特別図柄管理処理を示すフローチャートである。
【図８】図７中の特図１始動口チェック処理を示すフローチャートである。
【図９】図７中の特別図柄変動開始処理を示すフローチャートである。
【図１０】図７中の特別図柄変動中処理を示すフローチャートである。
【図１１Ａ】図７中の特別図柄確認時間中処理の前半部を示すフローチャートである。
【図１１Ｂ】図７中の特別図柄確認時間中処理の後半部を示すフローチャートである。
【図１２】図６中の特別電動役物管理処理を示すフローチャートである。
【図１３】図１２中の大当り開始処理を示すフローチャートである。
【図１４】図１２中の特別電動役物作動開始処理を示すフローチャートである。
【図１５】図１２中の特別電動役物作動中処理を示すフローチャートである。
【図１６】図１２中の特別電動役物作動継続判定処理を示すフローチャートである。
【図１７】図１２中の大当り終了処理を示すフローチャートである。
【図１８】本発明の一実施形態に係るデータセット処理とゼロセット処理に先立ち行われる前段階の処理を示すフローチャートである。
【図１９】本発明の一実施形態に係るデータセット処理のフローチャートとプログラム例を示した図である。
【図２０】本発明のデータセット処理で用いる役物連続作動装置開始設定テーブルを示した図である。
【図２１】本発明のゼロセット処理のフローチャートとプログラム例を示した図である。
【図２２】本発明のゼロセット処理で用いる役物連続作動装置開始設定テーブルを示した図である。
【図２３】従来のゼロセット処理で用いる役物連続作動装置開始設定テーブルを示した図である。
【図２４】本発明のゼロセット処理の作用効果の説明に供する図である。
【図２５】本発明の他の実施形態に係るゼロセット処理のフローチャートを示した図である。
【図２６】図２５のゼロセット処理で用いる役物連続作動装置開始設定テーブルを例示した図である。
【図２７】本発明のゼロセット処理で用いる条件装置作動開始設定テーブルの他の形態を示した図である。
【発明を実施するための形態】
【００１６】
以下、図面を参照しながら、本発明に係る遊技機の好ましい実施形態について詳細に説明する。なお、以下に述べる実施形態では、本発明に係る遊技機として、弾球遊技機を例にとって説明する。
【００１７】
＜１．構成の概要：図１および図２＞
図１および図２を参照して、本発明の一実施形態に係るパチンコ遊技機の構成の概要を説明する。図１は本発明の一実施形態に係るパチンコ遊技機の外観を示す正面側の斜視図を、図２は遊技盤の正面側を示した図である。
【００１８】
まず図１を参照して、パチンコ遊技機１の正面側の構成について説明する。図１に示すパチンコ遊技機１は、木製の外枠４の前面に額縁状の前枠２を開閉可能に取り付け、前枠２の裏面に取り付けた遊技盤収納フレーム（図示せず）内に遊技盤３（図２参照）を装着し、この遊技盤３の表面に形成した遊技領域３ａを前枠２の開口部に臨ませた構成を有する。この遊技領域３ａの前側には、透明ガラスを支持したガラス扉６が設けられている。
【００１９】
ガラス扉６の前側には扉ロック解除用のキーシリンダ（図示せず）が設けられており、このキーシリンダにキーを差し込んで一方側に操作すれば前枠２に対するガラス扉６のロック状態を、他方側に操作すれば外枠４に対する前枠２のロック状態をそれぞれ解除して前側に開放できるようになっている。
【００２０】
ガラス扉６の下側には、ヒンジ（図示せず）により前枠２に開閉自在に枢支された前面操作パネル７が配置されている。前面操作パネル７には、上受け皿ユニット８が設けられ、この上受け皿ユニット８には、排出された遊技球を貯留する上受け皿９が形成されている。
【００２１】
また上受け皿ユニット８には、上受け皿９に貯留された遊技球をパチンコ遊技機１の下方に抜くための球抜きボタン１４と、遊技球貸出装置（図示せず）に対して遊技球の払い出しを要求するための球貸しボタン１１と、遊技球貸出装置に挿入した有価価値媒体の返却を要求するためのカード返却ボタン１２とが設けられている。またさらに上受け皿ユニット８には、所定の入力受付期間中に内蔵ランプが点灯されて操作可能（入力受付可能）となり、その内蔵ランプ点灯時に押下することにより演出に変化をもたらすことができる押しボタン式の枠演出ボタン１３が設けられている。この枠演出ボタン１３は、遊技者が操作可能な手操作手段として働く。
【００２２】
また前面操作パネル７の右端部側には、発射装置３２（図３参照）を作動させるための発射操作ハンドル１５が設けられている。また前枠２の上部の両側と発射操作ハンドル１５の上側とには、音響により音演出効果（効果音）を奏するスピーカ４６が設けられている。また、ガラス扉６の各所には、光の装飾により光演出効果を奏する複数の装飾ランプ４５が設けられている。
【００２３】
次に図２を参照して、遊技盤３の構成について説明する。図２に示す遊技盤３は、略正方形状の木製合板または樹脂板を主体として構成されている。この遊技盤３には、図示のように、発射された遊技球を案内する球誘導レール５が盤面区画部材として環状に装着されている。この球誘導レール５取り囲まれた略円形状の領域が遊技領域３ａとなっており、四隅は非遊技領域となっている。
【００２４】
この遊技領域３ａの略中央部には、たとえば３つ（左、中、右）の表示エリア（図柄変動表示領域）において、独立して数字やキャラクタや記号などによる複数種類の装飾図柄（たとえば、左図柄（左表示エリア対応）、中図柄（中表示エリア対応）、右図柄（右表示エリア対応））の変動表示および停止表示が可能である液晶表示装置３６（ＬＣＤ：Ｌｉｑｕｉｄ  Ｃｒｙｓｔａｌ  Ｄｉｓｐｌａｙ）が設けられている。この液晶表示装置３６は、後述する演出制御部２４の制御の下、種々の演出を画像により表示する。
【００２５】
また遊技領域３ａ内には、液晶表示装置３６の表示面の周りを遠巻きに囲繞する形でセンター飾り４８が設けられている。センター飾り４８は、周囲の遊技球から液晶表示装置３６の表示面を保護するとともに、遊技球の打ち出しの強さまたはストローク長により、遊技球の流路を左右に振り分けることを可能とする流路振分部材（流路振分手段）として働く。本実施形態では、センター飾り４８が遊技領域３ａのほぼ中央部に配置されており、これにより、遊技領域３ａ内の上部両側（左側と右側）に遊技球の流路が形成されるようになっている。ただし、この実施形態の場合、センター飾り４８は少し右側に膨出した形となっている。
【００２６】
センター飾り４８は、遊技盤３の前面側に沿って設けられ、かつ固定ねじなどにより遊技盤３に固定される前面装着板４８ａと、センター飾り４８の外周囲を形成し液晶表示装置３６の表示画面を取り囲む鎧枠部４８ｂとを一体に備えている。鎧枠部４８ｂは、その略全体が前面装着板４８ａから前側に突出しており、その内側、すなわち液晶表示装置３６側への遊技球の侵入を阻止するようになっている。センター飾り４８の上面と球誘導レール５との間には遊技球が通過可能な遊動領域が形成され、右側へも遊技球が案内されるようになっている。発射装置３２により遊技領域３ａの上部側に打ち込まれた遊技球は、この鎧枠部４８ｂの上部側で左右に振り分けられ、センター飾り４８の左側の左流下経路３ｂと右側の右流下経路３ｃとのいずれかを流下する。このようなセンター飾り４８は、遊技球の落下方向を変換する遊技球落下方向変換部材（落下方向変換手段）として働く。
【００２７】
なお図示していないが、センター飾り４８には、液晶表示装置３６の前側下部に、鎧枠部４８ｂの左側部に設けられた入球口（図示せず）から入球した遊技球を左右方向に自由に転動させて、左右方向中央の落下口（始動口案内路）またはその左右両側から落下させるステージが設けられている。またセンター飾り４８には、適所に、その動作態様により視覚的演出効果を奏する可動体役物（図示せず）が設けられている。
【００２８】
また遊技盤３の右上縁付近（右上隅）の非遊技領域は各種機能表示部となっており、７セグメント表示器（ドット付）を上始動口３４（第１の特別図柄用）と下始動口３５（第２の特別図柄用）に対応させて横に並べて構成される特別図柄表示装置３８ａ（第１の特別図柄表示手段）と特別図柄表示装置３８ｂ（第２の特別図柄表示手段）とが設けられている。上記の特別図柄表示装置３８ａ、３８ｂでは、７セグメントにより表現される「特別図柄」の変動表示動作（変動開始および変動停止を一セットする変動表示動作）により特別図柄変動表示ゲームが実行されるようになっている。なお上記の液晶表示装置３６は、特別図柄表示装置３８ａ、３８ｂによる特別図柄の変動表示と時間的に同調して、画像による装飾図柄を変動表示するもので、演出画像とともに装飾図柄変動表示ゲームが実行されるようになっている（これらの図柄変動表示ゲームについての詳細は追って説明する）。
【００２９】
また各種機能表示部には、特別図柄表示装置３８ａ、３８ｂの隣りに、７セグメント表示器（ドット付）からなる複合表示装置（保留複合表示用ＬＥＤ表示器）３８ｃが配設されている。複合と称したのは、特別図柄１の作動保留球数の表示、特別図柄２の作動保留球数の表示、変動時間短縮機能作動中（時短中）および高確率状態中（高確中）の状態報知という、５つの表示機能を有する保留・時短・高確複合表示装置（以下単に「複合表示装置」と称する）であるからである。
【００３０】
また各種機能表示部には、複合表示装置３８ｃの隣りに、複数個（この実施形態では２個）のＬＥＤを配置してなる普通図柄表示装置３９ａ（普通図柄表示手段）が設けられている。この普通図柄表示装置３９ａでは、２個のＬＥＤにより表現される普通図柄の変動表示動作（たとえば、シーソー的に交互に点灯と消灯を繰り返し、いずれかの側が点灯した状態で停止することで当否が判明する）により普通図柄変動表示ゲームが実行されるようになっている。また、この普通図柄表示装置３９ａに隣接して３個のＬＥＤ（第１〜第３ラウンド表示ＬＥＤ）を配置してなるラウンド数表示装置３９ｂが設けられている。ラウンド数表示装置３９ｂは、大当り（「大当り」の詳細は後述する）に係る規定ラウンド数を報知するラウンド表示手段として機能し、たとえば、３つのＬＥＤの点灯・消灯状態の組合せにより、規定ラウンド数が報知される。
【００３１】
センター飾り４８の下方には、上始動口３４（第１の特別図柄始動口）と、下始動口３５（第２の特別図柄始動口）を備える普通変動入賞装置４１とが上下に設けられ、それぞれの内部には、遊技球の通過を検出する検出センサ３４ａ、３５ａ（上始動口センサ３４ａ、下始動口センサ３５ａ：図３参照）が形成されている。
【００３２】
第１の特別図柄始動口である上始動口３４は、特別図柄表示装置３８ａ（第１の特別図柄表示装置）における第１の特別図柄（以下、「特別図柄１」と称し、場合により「特図１」と略す）の変動表示動作の始動条件に係る入賞口であり、始動口開閉手段（始動口を開放または拡大可能にする手段）を有しない入賞率固定型の入賞装置として構成されている。本実施形態では、遊技領域３ａ内の遊技球落下方向変換部材（たとえば、遊技くぎ（図示せず）、風車４４、センター飾り４８など）の作用により、上始動口３４へは、左流下経路３ｂを流下してきた遊技球については入賞容易な構成であるのに対し、右流下経路３ｃを流下してきた遊技球については入賞困難または入賞不可能な構成となっている。
【００３３】
普通変動入賞装置４１は、始動口開閉手段により始動口の遊技球の入賞率を変動可能な入賞率変動型の入賞装置として構成されており、具体的には、第２の特別図柄始動口である下始動口３５を、開放または拡大可能にする左右一対の可動翼片（可動部材）４７を備える、いわゆる「電動チューリップ型」の入賞装置として構成されている。普通変動入賞装置４１の下始動口３５は、特別図柄表示装置３８ｂ（第２の特別図柄表示装置）における第２の特別図柄（以下、「特別図柄２」と称し、場合により「特図２」と略す）の変動表示動作の始動条件に係る入賞口であり、この下始動口３５の入賞領域は、可動翼片４７の作動状態（作動または非作動）に応じて、入賞を容易とする開状態（入賞容易状態）と、その開状態よりも入賞を困難にし、または入賞を不可能にする閉状態（入賞困難状態）とに変換される。本実施形態では、可動翼片４７が非作動の場合、下始動口３５への入賞が不可能とする閉状態（入賞不可能状態）を保持している。
【００３４】
普通変動入賞装置４１の両側には、一般入賞口４３が左側に３つ、右側に１つ、計４つ配設されており、それぞれの内部には、遊技球の通過を検出する一般入賞口センサ４３ａ（図３参照）が形成されている。
【００３５】
また普通変動入賞装置４１の右斜め上方、つまり右流下経路３ｃの中間部より上部側には、遊技球が通過可能な通過ゲート（特定通過領域）からなる普通図柄始動口３７が設けられている。この普通図柄始動口３７は、普通図柄表示装置３９ａにおける普通図柄の変動表示動作に係る入賞口であり、その内部には、通過する遊技球を検出する普通図柄始動口センサ３７ａ（図３参照）が形成されている。なお本実施形態では、普通図柄始動口３７は右流下経路３ｃ側にのみに形成され、左流下経路３ｂ側には形成されていない形態となっているが、本発明はこれに限らず、左流下経路３ｂのみに形成しても良い。
【００３６】
右流下経路３ｃ内の普通図柄始動口３７から普通変動入賞装置４１へかけての経路途中には、突没式の開放扉５２ｂにより大入賞口５０を開放または拡大可能に構成された特別変動入賞装置５２（特別電動役物）が設けられており、その内部には大入賞口５０に入球した遊技球を検出する大入賞口センサ５２ａ（図３参照）が形成されている。
【００３７】
大入賞口５０の周囲は、遊技盤３の表面から膨出した膨出部（装飾部材）５５となっており、この膨出部５５の上辺５５ａが右流下経路３ｃの下流案内部を形作っている。そして開放扉５２ｂにより大入賞口５０が閉鎖状態（大入賞口閉状態）であれば、この膨出部５５の上辺５５ａと連続する面を形成することによって、右流下経路３ｃの下流案内部（上辺５５ａ）の一部を形作るようになっている。また右流下経路３ｃの下流域には、膨出部５５の上辺５５ａの上方の領域、正確には大入賞口５０の上方の遊技領域において、遊技球の流下方向にほぼ平行に流路修正板５１ｄが突設されており、流下する遊技球を大入賞口５０の方向に寄せる働きをするようになっている。
【００３８】
大入賞口５０への遊技球の入球過程は次のようになる。センター飾り４８の上面と球誘導レール５との間の遊動領域を通過した遊技球は、遊技盤３より突出していて遊技球のガイドとして機能する膨出部５５の頂面（上辺）５５ａ上に沿って流下して来る。そして、その遊技球が遊技盤３面から突出している流路修正板５１ｄの右端に接触し、これにより、当該遊技球の流下方向は大入賞口５０の方向（下方向）に修正される。このとき、突没式の開放扉５２ｂにより大入賞口５０が蓋をされている状態（大入賞口閉状態）であれば、この上を遊技球が転動して、さらに図示しない所定配列の遊技くぎにより、チューリップ式の普通変動入賞装置４１（下始動口３５）の方向に導かれる。このとき、下始動口３５が入賞可能状態（始動口開状態）であれば、下始動口３５に遊技球が入賞し得る。他方、開放扉５２ｂが遊技盤面内に後退していて大入賞口５０が開いている状態（大入賞口開状態）であれば、遊技球が大入賞口５０内に導かれる。なお本実施形態のパチンコ遊技機１では、遊技者が特別変動入賞装置５２側に発射位置を狙い定めた場合（遊技球が右流下経路３ｃを通過するように狙いを定めた場合）、上始動口３４側には遊技球が誘導され難い、または誘導されない構成となっている。したがって「大入賞口閉状態」であれば、普通変動入賞装置４１の可動翼片４７が作動しない限り、各始動口３４、３５への入賞が困難または不可能とされるようになっている。
【００３９】
本実施形態のパチンコ遊技機１においては、遊技領域３ａに設けられた各種入賞口のうち、普通図柄始動口３７以外の入賞口への入賞があった場合には、各入賞口別に約束づけられた入賞球１個当りの賞球数（たとえば、上始動口３４または下始動口３５は３個、大入賞口４０は１３個、一般入賞口４３は１０個）が遊技球払出装置１９（図３参照）から払い出されるようになっている。勿論、普通図柄始動口３７に入賞があった場合にも賞球数を払い出すように構成しても良い。なお上記の各入賞口に入賞しなかった遊技球は、アウト口４９を介して遊技領域３ａから排出される。ここで「入賞」とは、入賞口がその内部に遊技球を取り込んだり、入賞口が遊技球を内部に取り込む構造ではなく、通過型のゲートからなる入賞口（たとえば、普通図柄始動口３７）である場合は、そのゲートを遊技球が通過したりすることをいい、実際には入賞口ごとに形成された各入賞検出スイッチにより遊技球が検出された場合、その入賞口に「入賞」が発生したものとして扱われる。この入賞に係る遊技球を「入賞球」とも称する。
【００４０】
＜２．制御装置：図３＞
次に図３を参照して、本実施形態に係るパチンコ遊技機１の遊技動作制御に係る制御装置について説明する。図３は、その制御装置の概要を示す制御ブロック図である。
【００４１】
本実施形態に係るパチンコ遊技機１の制御装置は、遊技動作全体を統括的に司る主制御部（主制御手段）２０と、主制御部２０から演出制御コマンドを受けて、画像と光と音についての演出動作制御（演出現出制御）を統括的に司る演出制御部（演出制御手段）２４と、賞球の払い出し制御を行う払出制御基板（払出制御手段）２９と、外部電源（図示せず）から遊技機に必要な電源を生成し供給する電源基板（電源制御手段）３１と、を中心に構成される。また演出制御部２４には、画像表示装置としての液晶表示装置３６が接続されている。なお、図３において電源供給ルートは省略してある。
【００４２】
（２−１．主制御部２０：主制御手段）
主制御部（主制御手段）２０は、遊技動作制御を統括的に司る主制御手段として機能し、ＣＰＵ２０１（主制御ＣＰＵ）を内蔵したマイクロプロセッサを搭載するとともに、ＲＯＭ２０２（主制御ＲＯＭ）と、ＲＡＭ２０３（主制御ＲＡＭ）とを搭載し、全体としてマイクロコンピュータ（Ｚ８０システム相当品）を構成している。ＲＯＭ２０２は、遊技動作制御に係る遊技データを記憶する記憶手段（主制御側記憶手段）として機能し、遊技動作制御手順を記述した制御プログラムの他、遊技動作制御に必要な種々のデータが格納されている。またＲＡＭ２０３は、ワークエリアやバッファメモリとして機能し、遊技進行の際に必要なデータが処理状態に応じて格納され利用される。また図示はしていないが、主制御部２０は、特別図柄変動表示ゲームに係る抽選用乱数を生成するための乱数生成回路、Ｚ８０システムに周期的割込みや一定周期のパルス出力作成機能（ビットレートジェネレータ）や時間計測の機能を付与するＣＴＣ（Ｃｏｕｎｔｅｒ  Ｔｉｍｅｒ  Ｃｉｒｃｕｉｔ）、ＣＰＵに割込み信号を付与するタイマ割込などの割込機能（割込禁止機能を含む）を発揮する割込コントローラ回路なども備えている。
【００４３】
ここでＣＰＵ２０１は、Ｚ８０（ザイログ社製またはこれの相当品）のＣＰＵである。Ｚ８０は、データバスが８ビット、アドレスバスが１６ビットのＣＰＵであるが、広いメモリ空間を必要とせず、その上、高速処理や複雑な数値演算処理も必要としないパチンコ機の制御には最適である。ＣＰＵ２０１は、処理を実行するのに必要なデータの読み書きが行われる複数種類のレジスタが設けられている。
【００４４】
主制御部２０には、上始動口３４への入賞を検出する上始動口３４ａと、下始動口３５への入賞を検出する下始動口センサ３５ａと、普通図柄始動口３７の通過を検出する普通図柄始動口センサ３７ａと、大入賞口５０への入賞を検出する大入賞口センサ５２ａと、一般入賞口４３への入賞を検出する一般入賞口センサ４３ａとが接続され、主制御部２０はこれらからの検出信号を受信可能となっている。
【００４５】
また主制御部２０には、下始動口３５の可動翼片４７を開閉制御するための普通電動役物ソレノイド４１ｃと、大入賞口５０の開放扉５２ｂを開閉制御するための大入賞口ソレノイド５２ｃとが接続され、主制御部２０はこれらを制御するための制御信号を送信可能となっている。
【００４６】
また主制御部２０には、特別図柄表示装置３８ａと特別図柄表示装置３８ｂとが接続され、主制御部２０は、特別図柄を表示制御するための制御信号を送信可能となっている。また、主制御部２０には、普通図柄表示装置３９ａが接続され、普通図柄を表示制御するための制御信号を送信可能となっている。
【００４７】
また主制御部２０には、複合表示装置３８ｃが接続され、主制御部２０は、複合表示装置３８ｃに表示される各種情報を表示制御するための制御信号を送信可能となっている。また主制御部２０には、ラウンド数表示装置３９ｂが接続され、主制御部２０は、大当りによる規定ラウンド数を表示制御するための制御信号を送信可能となっている。
【００４８】
また主制御部２０には、枠用外部集中端子基板２１が接続され、主制御部２０は、遊技進行に関する情報（たとえば、大当り当選情報や賞球数情報や図柄変動表示ゲーム実行回数情報など）を、枠用外部集中端子基板２１を介してホールコンピュータＨＣに送信可能となっている。ホールコンピュータＨＣは、パチンコホールの遊技機を統括的に管理する管理コンピュータであり、遊技機外部に配設されている。
【００４９】
また主制御部２０には、払出制御基板（払出制御部）２９が接続され、この払出制御基板２９には、発射装置３２を制御する発射制御基板（発射制御部）２８と、遊技球の払い出しを行う遊技球払出装置（遊技球払出手段）１９とが接続されている。主制御部２０は、払出制御基板２９に対し、払い出しに関する制御コマンド（賞球数を指定する払出制御コマンド）を送信可能となっている。他方、払出制御基板２９は、主制御部２０に対し、払い出し動作状態に関する情報（払出状態信号）を送信可能となっている。主制御部２０側では、この払出状態信号に基づき、遊技球払出装置１９が正常に機能しているか否か、具体的には、賞球の払い出しに不具合（払い出しエラー：たとえば、玉詰まりや賞球の払い出し不足）が発生したか否かを監視している。
【００５０】
また主制御部２０は、特別図柄変動表示ゲームに関する情報を乗せた演出制御コマンドを、演出制御部２４に送信可能となっている。このような主制御部２０からの演出制御コマンドは、外部からのゴト行為による不正な信号が演出制御部２４を介して主制御部２０に入力されることを防止するため、一方向通信により演出制御部２４に送信される。
【００５１】
（２−２．演出制御部２４：演出制御手段）
演出制御部（演出制御手段）２４は、演出動作制御を統括的に司る演出制御手段として機能し、ＣＰＵ２４１（演出制御ＣＰＵ）を内蔵したマイクロプロセッサを搭載するとともに、ＲＯＭ２４２（演出制御ＲＯＭ）と、ＲＡＭ２４３（演出制御ＲＡＭ）とを搭載したマイクロコンピュータを中心に構成され、その他、音源ＩＣ、ＣＴＣ、およびタイマ割込などの割込機能（割込禁止機能を含む）を備える割込みコントローラ回路などが設けられている。ＲＯＭ２４２は、演出動作制御に係る遊技データを記憶する記憶手段（演出制御側記憶手段）として機能し、演出制御手順が記述された演出制御プログラムの他、演出動作制御に必要な種々のデータが格納されている。またＲＡＭ２４３は、ワークエリアやバッファメモリとして機能し、演出を現出する際に必要なデータが処理状態に応じて格納され利用される。この演出制御部２４の主な役割は、主制御部２０からの演出制御コマンドの受信、演出制御コマンドに基づく演出の選択決定、液晶表示装置３６の画像表示制御、スピーカ４６の音制御、装飾ランプ４５やＬＥＤの発光制御、可動体役物の動作制御などである。
【００５２】
また演出制御部２４は、液晶表示装置３６の表示制御を司る表示制御部（図示せず）を備えている。この表示制御部は、画像展開処理や画像の描画などの映像出力処理全般の制御を司るＶＤＰ（Ｖｉｄｅｏ  Ｄｉｓｐｌａｙ  Ｐｒｏｃｅｓｓｏｒ）と、ＶＤＰが画像展開処理を行う画像データ（演出画像データ）を格納した画像ＲＯＭと、ＶＤＰが展開した画像データを一時的に記憶するＶＲＡＭ（Ｖｉｄｅｏ  ＲＡＭ）と、ＶＤＰが表示制御を行うために必要な制御データを出力する液晶制御ＣＰＵと、液晶制御ＣＰＵの表示制御動作手順を記述したプログラムやその表示制御に必要な種々のデータを格納する液晶制御ＲＯＭと、ワークエリアやバッファメモリとして機能する液晶制御ＲＡＭと、を中心に構成されている。
【００５３】
また演出制御部２４は、光演出や音演出を行うため、装飾ランプ４５やＬＥＤを含む光表示装置４５ａに対する光表示制御部、スピーカ４６を含む音響発生装置４６ａに対する音響制御部（音源ＬＳＩ）、可動体役物モータ６１に対する駆動制御部（モータ駆動回路）などを備えている。
【００５４】
また演出制御部２４には、遊技者が操作可能な枠演出ボタン１３が接続され、演出制御部２４は、枠演出ボタン１３からの操作検出信号を受信可能となっている。また演出制御部２４には、可動体役物の動作を制御するための役物モータ６１が接続され、演出制御部２４は、可動体役物モータ６１を制御するための制御信号を送信可能となっている。
【００５５】
演出制御部２４は、主制御部２０から送られてくる演出制御コマンドに基づき、あらかじめ用意された複数種類の演出パターンの中から抽選によりあるいは一意に決定し、必要なタイミングで各種演出手段を制御する。これにより、演出パターンに対応する液晶表示装置３６による演出画像の表示、スピーカ４６からの音の再生、装飾ランプ４５やＬＥＤの点灯点滅駆動が実現される。これら演出手段により、種々の演出パターンが時系列的に展開されることにより、広義の意味での「演出シナリオ」が実現される。
【００５６】
なお演出制御コマンドは、１バイト長のモード（ＭＯＤＥ）と、同じく１バイト長のイベント（ＥＶＥＮＴ）からなる２バイト構成により機能を定義し、ＭＯＤＥとＥＶＥＮＴの区別を行うために、ＭＯＤＥのＢｉｔ７はＯＮ、ＥＶＥＮＴのＢｉｔ７をＯＦＦとしている。これらの情報を有効なものとして送信する場合、モード（ＭＯＤＥ）およびイベント（ＥＶＥＮＴ）各々に対応してストローブ信号が出力される。すなわち、ＣＰＵ２０１（主制御ＣＰＵ）は、送信すべきコマンドがある場合、演出制御部２４にコマンドを送信するためのモード（ＭＯＤＥ）情報の設定および出力を行い、この設定から所定時間経過後に１回目のストローブ信号の送信を行う。さらに、このストローブ信号の送信から所定時間経過後にイベント（ＥＶＥＮＴ）情報の設定および出力を行い、この設定から所定時間経過後に２回目のストローブ信号の送信を行う。ストローブ信号は、ＣＰＵ２４１（演出制御ＣＰＵ）が確実にコマンドを受信可能とする所定期間、ＣＰＵ２０１によりアクティブ状態に制御される。
【００５７】
また演出制御部２４（ＣＰＵ２４１）は、ストローブ信号の入力に基づいて割込を発生させてコマンド受信割込処理用の制御プログラムを実行し、この割込処理において演出制御コマンドが取得されるようになっている。またＣＰＵ２４１は、ＣＰＵ２０１とは異なり、ストローブ信号の入力に基づいて割込が発生した場合には、他の割込に基づく割込処理（定期的に実行されるタイマ割込処理）の実行中であっても、当該処理に割り込んでコマンド受信割込処理を行い、他の割込が同時に発生してもコマンド受信割込処理を優先的に行うようになっている。
【００５８】
＜３．動作の概説＞
次に、上記制御装置（図３）を用いた本実施形態のパチンコ遊技機１に係る遊技動作について説明する。
【００５９】
（３−１．図柄変動表示ゲーム）
（３−１−１．特別図柄変動表示ゲーム、装飾図柄変動表示ゲーム）
本実施形態のパチンコ遊技機１では、所定の始動条件、具体的には、遊技球が上始動口３４または下始動口３５に遊技球が入球（入賞）したことに基づき、主制御部２０において乱数抽選による「大当り抽選」が行なわれる。主制御部２０は、その抽選結果に基づき、特別図柄表示装置３８ａ、３８ｂに特別図柄１、２を変動表示して特別図柄変動表示ゲームを開始させ、所定時間経過後に、その結果を特別図柄表示装置に導出表示して、これにより特別図柄変動表示ゲームを終了させる。
【００６０】
ここで本実施形態では、上始動口３４への入賞に基づく大当り抽選と、下始動口３５への入賞に基づく大当り抽選とは別個独立して行われる。このため、上始動口３４に関する大当り抽選結果は特別図柄表示装置３８ａ側で、下始動口３５に関する大当り抽選結果は特別図柄表示装置３８ｂ側で導出されるようになっている。具体的には、特別図柄表示装置３８ａ側においては、上始動口３４に遊技球が入球したことを条件に、特別図柄１を変動表示して第１の特別図柄変動表示ゲームが開始され、他方、特別図柄表示装置３８ｂ側においては、下始動口３５に遊技球が入球したことを条件に、特別図柄２を変動表示して第２の特別図柄変動表示ゲームが開始されるようになっている。そして、特別図柄表示装置３８ａ、３８ｂにおける特別図柄変動表示ゲームが開始されると、所定の変動表示時間経過後に、大当り抽選結果が「大当り」の場合には所定の「大当り」態様で、それ以外の場合には所定の「ハズレ」または「小当り（小当りについては後述する）」態様で、変動表示中の特別図柄が停止表示され、これによりゲーム結果（大当り抽選結果）が導出されるようになっている。
【００６１】
なお本明細書中では、説明の便宜上、特別図柄表示装置３８ａ側の第１の特別図柄変動表示ゲームを「特別図柄変動表示ゲーム１」と称し、特別図柄表示装置３８ｂ側の第２の特別図柄変動表示ゲームを「特別図柄変動表示ゲーム２」と称する。また特に必要のない限り、「特別図柄１」と「特別図柄２」とを単に「特別図柄」と称し（場合により「特図」と略す）、また「特別図柄変動表示ゲーム１」と「特別図柄変動表示ゲーム２」とを単に「特別図柄変動表示ゲーム」と称する。
【００６２】
また上述の特別図柄変動表示ゲームが開始されると、これに伴って、液晶表示装置３６に装飾図柄（演出的な遊技図柄）を変動表示して装飾図柄変動表示ゲームが開始され、これに付随して種々の演出が展開される。そして、特別図柄変動表示ゲームが終了すると、装飾図柄変動表示ゲームも終了し、特別図柄表示装置には大当り抽選結果を示す所定の特別図柄が、そして液晶表示装置３６には当該大当り抽選結果を反映した装飾図柄が導出表示されるようになっている。すなわち、装飾図柄の変動表示動作を含む演出的な装飾図柄変動表示ゲームにより、特別図柄変動表示ゲームの結果を反映表示するようになっている。
【００６３】
たとえば、特別図柄変動表示ゲームの結果が「大当り」である場合、装飾図柄変動表示ゲームではその結果を反映させた演出が展開される。そして特別図柄表示装置において、特別図柄が大当りを示す表示態様（たとえば、７セグが「７」の表示状態）で停止表示されると、液晶表示装置３６には、「左」「中」「右」の各表示エリアにおいて、装飾図柄が「大当り」を反映させた表示態様（たとえば、「左」「中」「右」の各表示エリアにおいて、３個の装飾図柄が「７」「７」「７」の表示状態）で停止表示される。
【００６４】
この「大当り」となった場合、つまり、特別図柄変動表示ゲームが終了して、これに伴い装飾図柄変動表示ゲームが終了し、その結果として「大当り」の図柄態様が導出表示された後、特別変動入賞装置５２の大入賞口ソレノイド５２ｃ（図３参照）が作動して開放扉５２ｂが所定のパターンで開閉動作を行い、これにより大入賞口５０が開閉され、通常遊技状態よりも遊技者に有利な特別遊技状態（大当り遊技）が発生する。この大当り遊技では、開放扉５２ｂにより、大入賞口の開放時間が所定時間（最大開放時間：たとえば、２９．８秒）経過するまでか、または大入賞口に入賞した遊技球数（大入賞口５０への入賞球）が所定個数（最大入賞数：役物の１回の作動によりその入口が開き、または拡大した入賞口に対して許容される入賞球数の上限個数：たとえば、９個）に達するまで、その入賞領域が開放または拡大され、これらいずれかの条件を満した場合に大入賞口が閉鎖される、といった「ラウンド遊技」が、あらかじめ定められた規定ラウンド数（たとえば、最大１５ラウンド）繰り返される。なお、大入賞口５０が閉鎖される条件はこれに限らず、大入賞口の開放時間のみに基づくものであっても良いし、大入賞口に入賞した遊技球数のみに基づくものであっても良い。
【００６５】
上記大当り遊技が開始すると、最初に大当りが開始された旨を報知するオープニング演出が行われ、オープニング演出が終了した後、ラウンド遊技があらかじめ定められた規定ラウンド数を上限として複数回行われる。そして、規定ラウンド数終了後には、大当りが終了される旨を報知するエンディング演出が行われ、これにより大当り遊技が終了する。すなわち、大当り遊技は、大別すると、オープニング演出、ラウンド遊技、およびエンディング演出の各遊技期間から構成される。ただし、大入賞口閉状態であるオープニング演出期間とエンディング演出期間とを除いたラウンド遊技実行期間を、大当り遊技期間と捉えても良い。
【００６６】
上記の装飾図柄変動表示ゲームの実行に必要な情報に関しては、まず主制御部２０が、上始動口３４または下始動口３５に遊技球が入球（入賞）したことに基づき、具体的には、上始動口センサ３４ａまたは下始動口センサ３５ａにより遊技球が検出されて始動条件（特別図柄に関する始動条件）が成立したことを条件に、「大当り」または「ハズレ」のいずれであるかを抽選する‘当落抽選（当否種別抽選）’と、「大当り」であったならばその大当り種別を、「ハズレ」であったならばそのハズレ種別を抽選する‘図柄抽選（当り（当選）種別抽選）’とを含む大当り抽選を行い、その抽選結果情報に基づき、特別図柄の変動パターンや、最終的に停止表示させる特別図柄（特別停止図柄）を決定する。そして、処理状態を特定する演出制御コマンドとして、特別図柄の変動パターン情報（たとえば、大当り抽選結果、特別図柄の変動時間、特定演出（たとえば、予告演出）の有無に関する情報など）を含む「変動パターン指定コマンド」と、特別停止図柄の情報を含む「装飾図柄指定コマンド」とを演出制御部２４に送信する。これにより、装飾図柄変動表示ゲームに必要とされる基本情報が演出制御部２４に送られる。
【００６７】
演出制御部２４は、主制御部２０から送られてくる演出制御コマンド（ここでは、変動パターン指定コマンドと装飾図柄指定コマンド）に含まれる情報に基づいて、装飾図柄変動表示ゲーム中に展開させる演出内容（演出シナリオ）や、最終的に停止表示する装飾図柄（装飾停止図柄）を決定し、特別図柄の変動パターンに基づくタイムスケジュールに従い装飾図柄を変動表示して装飾図柄変動表示ゲームを実行させる。これにより、特別図柄表示装置３８ａ、３８ｂによる特別図柄の変動表示と時間的に同調して、液晶表示装置３６による装飾図柄が変動表示され、特別図柄変動表示ゲームの期間と装飾図柄変動表示ゲーム中の期間とが、同一または実質的に同じ時間幅となる。また演出制御部２４は、演出シナリオに対応するように、液晶表示装置３６または光表示装置４５ａあるいは音響発生装置４６ａをそれぞれ制御し、装飾図柄変動表示ゲームにおける各種演出を展開させる。これにより、液晶表示装置３６での画像の再生（画像演出）と、効果音の再生（音演出）と、装飾ランプ４５やＬＥＤなどの点灯点滅駆動（光演出）とが実現される。
【００６８】
このように特別図柄変動表示ゲームと装飾図柄変動表示ゲームとは不可分的な関係を有し、特別図柄変動表示ゲームの表示結果を反映したものが装飾図柄変動表示ゲームにおいて表現されることとしているので、この２つの図柄変動表示ゲームを等価的な図柄遊技と捉えても良い。本明細書中では特に必要のない限り、上記２つの図柄変動表示ゲームを単に「図柄変動表示ゲーム」と称する場合がある。
【００６９】
（３−１−２．普通図柄変動表示ゲーム）
またパチンコ遊技機１においては、普通図柄始動口３７に遊技球が通過（入賞）したことに基づき、主制御部２０において乱数抽選による「補助当り抽選」が行なわれる。この抽選結果に基づき、ＬＥＤにより表現される普通図柄を普通図柄表示装置３９ａに変動表示させて普通図柄変動表示ゲームを開始し、一定時間経過後に、その結果をＬＥＤの点灯と非点灯の組合せにて停止表示するようになっている。たとえば、普通図柄変動表示ゲームの結果が「補助当り」であった場合、普通図柄表示装置３９ａの表示部を特定の点灯状態（たとえば、２個のＬＥＤ３９が全て点灯状態、または「○」と「×」を表現するＬＥＤのうち「○」側のＬＥＤが点灯状態）にて停止表示させる。
【００７０】
この「補助当り」となった場合には、普通電動役物ソレノイド４１ｃ（図３参照）が作動し、これにより可動翼片４７が逆「ハ」の字状に開いて下始動口３５が開放または拡大されて遊技球が流入し易い状態（始動口開状態）となり、通常遊技状態よりも遊技者に有利な補助遊技状態（以下、「普電開放遊技」と称する）が発生する。この普電開放遊技では、普通変動入賞装置４１の可動翼片４７により、下始動口３５の開放時間が所定時間（たとえば、０．２秒）経過するまでか、または下始動口３５に入賞した遊技球数が所定個数（たとえば、４個）に達するまで、その入賞領域が開放または拡大され、これらいずれかの条件を満たした場合に下始動口３５を閉鎖する、といった動作が所定回数（たとえば、最大２回）繰り返されるようになっている。なお、下始動口３５が閉鎖される条件はこれに限らず、下入賞口の開放時間のみに基づくものであっても良いし、下入賞口に入賞した遊技球数のみに基づくものであっても良い。
【００７１】
ここで本実施形態では、特別／装飾図柄変動表示ゲーム中、普通図柄変動表示ゲーム中、大当り遊技中、または普電開放遊技中などに、上始動口３４または下始動口３５もしくは普通図柄始動口３７に入賞が発生した場合、すなわち上始動口センサ３４ａまたは下始動口センサ３５ａもしくは普通図柄始動口センサ３７ａからの検出信号の入力があり、対応する始動条件（図柄遊技開始条件）が成立した場合、これを変動表示ゲームの始動権利に係るデータとして、変動表示中にかかわるものを除き、所定の上限値である最大保留記憶数（たとえば、最大４個）まで保留記憶されるようになっている。この図柄変動表示動作に供されていない保留中の保留データまたはその保留データに係る遊技球を、「作動保留球」とも称する。この作動保留球の数を遊技者に明らかにするため、パチンコ遊技機１の適所に設けた専用の保留表示器（図示せず）、または液晶表示装置３６による画面中にアイコン画像として設けた保留表示器を点灯表示させる。
【００７２】
本実施形態では、特別図柄１、特別図柄２、および普通図柄に関する作動保留球をそれぞれ最大４個までＲＡＭ２０３の該当記憶領域に保留記憶し、特別図柄または普通図柄の変動確定回数として保留する。なお、特別図柄１、特別図柄２、および普通図柄に関する作動保留球数の最大記憶数（最大保留記憶数）は特に制限されない。たとえば、各図柄ごとに異なる作動保留球数の最大記憶数を設定しても良いし（たとえば、特別図柄１側を最大４個、特別図柄２側を最大２個、普通図柄側を最大６個など）、特別図柄１および特別図柄２に関し、大当り抽選による結果により得られる利益が相対的に高くなる図柄側の作動保留球数の最大記憶数を多く設定しても良い（たとえば、特別図柄２側を最大４個、特別図柄１側を最大１個）。
【００７３】
（３−２．遊技状態）
次に、遊技状態について説明する。本実施形態に係るパチンコ遊技機１では、特別遊技状態である上記大当りの他、複数種類の遊技状態を発生可能に構成されている。本発明の理解を容易なものとするために、先ず、種々の遊技状態の発生に関連する機能（手段）について説明する。
【００７４】
本実施形態のパチンコ遊技機１は、主制御部２０（ＣＰＵ２０１）がその機能部を担う「確率変動（以下、「確変」と略す）機能」を備えている。これには特別図柄に係る確変機能（以下、「特別図柄確変機能」と称する）と普通図柄に係る確変機能（以下、「普通図柄確変機能」と称する）の２種類がある。
【００７５】
特別図柄確変機能は、大当りの抽選確率を所定確率（通常確率）の低確率（たとえば、３９９分の１）から高確率（たとえば、３９．９分の１）に変動させて、通常遊技状態よりも有利な「高確率状態」を発生させる機能である。この特別図柄確変機能が作動中の遊技状態（高確率状態）下では、大当り抽選確率が高確率となることから、大当りが生起され易くなる。したがって、遊技者が期待する遊技状態は、この特別図柄確変機能が作動中の遊技状態であるといえる。なお、特別図柄確変機能の作動開始条件およびその作動終了条件の詳細については、追って説明する。
【００７６】
普通図柄確変機能は、補助当り抽選確率が所定確率（通常確率）である低確率（たとえば、２５６分の１）から高確率（たとえば、２５６分の２５５）に変動させて、通常遊技状態よりも有利な「補助当り確変状態」を発生させる機能である。この普通図柄確変機能が作動中の遊技状態（補助当り確変状態）下では、補助当り抽選確率が高確率状態となることから補助当りが生起され易くなり、普電開放遊技が頻繁に発生して、通常遊技状態よりも単位時間当りの可動翼片４７の作動率が向上する作動率向上状態となる。なお、本実施形態のパチンコ遊技機１では、普通図柄確変機能の作動開始条件は、後述の特別図柄時短機能の作動開始条件と同じ条件となっており、その作動終了条件も当該特別図柄時短機能の作動終了条件と同じ条件となっている。
【００７７】
また、本実施形態のパチンコ遊技機１は、主制御部２０がその機能部を担う「変動時間短縮（以下、「時短」と称する）機能」を備えている。これには特別図柄に係る時短機能（以下、「特別図柄時短機能」と称する）と普通図柄に係る時短機能（以下、「普通図柄時短機能」と称する）の２種類がある。
【００７８】
特別図柄時短機能は、１回の特別図柄変動表示ゲームに要する平均的な時間（特別図柄が変動を開始してから確定表示される迄の平均時間（特別図柄の平均変動時間））を短縮する「特別図柄時短状態」を発生させる機能である。特別図柄時短機能が作動中の遊技状態（特別図柄時短状態）下では、１回の特別図柄変動表示ゲームにおける特別図柄の平均的な変動時間が短縮され（たとえば、リーチなしハズレ変動に要する平均時間が８秒から２秒に短縮される）、通常遊技状態よりも単位時間当りの大当り抽選回数が向上する抽選回数向上状態となる。なお本実施形態のパチンコ遊技機１では、特別図柄の変動時間が作動保留球数の違いにより短縮される場合があるが、この場合は、特別図柄時短状態が発生しているわけではなく、他の制御処理によるものである。
【００７９】
普通図柄時短機能は、１回の普通図柄変動表示ゲームに要する平均的な時間（普通図柄が変動を開始してから確定表示されるまでの平均的な時間（普通図柄の平均変動時間））を短縮する「普通図柄時短状態」を発生させる機能である。普通図柄時短機能が作動中の遊技状態（普通図柄時短状態）下では、１回の普通図柄変動表示ゲームにおける普通図柄の平均的な変動時間が短縮され（たとえば、１０秒から１秒に短縮される）、通常遊技状態よりも単位時間当りの補助当り抽選回数が向上する抽選回数向上状態となる。なお本実施形態のパチンコ遊技機１では、普通図柄の変動時間が作動保留球数の違いにより短縮される場合があるが、この場合は、普通図柄時短状態が発生しているわけではなく、他の制御処理によるものである。また本実施形態のパチンコ遊技機１では、普通図柄時短機能の作動開始条件は、上述の特別図柄時短機能の作動開始条件と同じ条件となっており、その作動終了条件も当該特別図柄時短機能の作動終了条件と同じ条件となっている。
【００８０】
さらにまた、本実施形態のパチンコ遊技機１は、主制御部２０がその機能部を担う「開放延長機能」を備えている。
【００８１】
開放延長機能は、普通変動入賞装置４１の可動翼片４７の開動作期間（可動翼片４７の開放時間およびその開放回数の少なくともいずれか一方）を延長した「開放延長状態」を発生させる機能である。この開放延長状態は、いわゆる「電チューサポート状態」と称される。上記開放延長機能が作動中の遊技状態（開放延長状態）下では、可動翼片４７の開動作期間（始動口開状態時間）が、たとえば０．２秒から１．７秒に延長され、またその開閉回数が、たとえば１回（開放延長機能が非作動中のとき）から２回（開放延長機能が作動中のとき）に延長されて、通常遊技状態よりも単位時間当りの可動翼片４７の作動率が向上する作動率向上状態となる。なお、本実施形態のパチンコ遊技機１では、開放延長機能の作動開始条件は、上述の特別図柄時短機能の作動開始条件と同じ条件となっており、その作動終了条件も当該特別図柄時短機能の作動終了条件と同じ条件となっている。したがって、開放延長状態中は、普通図柄確変機能および普通図柄時短機能も作用するため、可動翼片４７の作動率が著しく向上した遊技状態が発生する。
【００８２】
以上のような各機能を１または複数種類作動させることにより、遊技機の内部的な遊技状態に変化をもたらすことができる。ここで本実施形態では、普通図柄確変機能、普通図柄時短機能、および開放延長機能の作動開始条件は、特別図柄時短機能の作動開始条件と同じ条件としているので、各機能が同じ契機にて動作することになる。以下では、説明の便宜上、特別図柄確変機能、特別図柄時短機能、普通図柄確変機能、普通図柄時短機能、および開放延長機能が作動する遊技状態を「確変状態」と称し、これらの機能のうちから特別図柄確変機能を除去した遊技状態を「時短状態」と称し、特別図柄確変機能のみが作動する遊技状態を「潜伏確変状態（潜確または潜確状態）」と称し、全機能が作動中でない（非作動）状態を「通常遊技状態」と称する。したがって、これらの遊技状態における大当り抽選確率に着目すれば、遊技状態が「時短状態」または「通常遊技状態」である場合には少なくとも大当り抽選確率が‘低確率状態’となり、遊技状態が「潜確状態」または「確変状態」の場合においては少なくとも大当り抽選確率が‘高確率状態’となる。なお詳細は後述するが、本実施形態では、上記の「時短状態」は単独では発生しない構成となっている。また大当り中は、全機能が非作動となり、基本的には、上記通常遊技状態と同じ遊技状態下に置かれる。
【００８３】
（３−２−１．高ベース遊技状態）
本実施形態では、上記の普通図柄に関する機能、すなわち普通図柄確変機能、普通図柄時短機能、および開放延長機能は、特別図柄時短機能の作動開始条件と同じ条件となっているので、これら３つの機能が同じ契機にて動作することになる。しかし、上記の普通図柄確変機能、普通図柄時短機能、および開放延長機能を個々に着目した場合、これらの機能のうち少なくともいずれか１つが作動すると、上記の可動翼片４７の作動率が向上する作動率向上状態となり下始動口３５への入賞頻度が上昇することから、遊技状態としては、大当りの抽選結果を導出する特別図柄変動表示ゲームの始動条件の成立頻度が通常遊技状態より高まる「高ベース遊技状態（始動条件向上状態）」となる。なお、ここでいう「高ベース遊技状態」とは、普通図柄に関する機能が作動する場合の遊技状態をいい、特別図柄に関する機能、すなわち特別図柄確変機能および特別図柄時短機能の少なくともいずれか一方が作動する場合の遊技状態とは異なる。
【００８４】
他方、特別図柄に関する機能（特別図柄確変機能と特別図柄時短機能）を個々に着目した場合、上記特別図柄確変機能が作動する場合には大当り抽選確率が通常遊技状態より高まる「高確率状態」となり、上記特別図柄時短機能が作動する場合には、特別図柄変動表示ゲームの消化時間が通常遊技状態よりも早い「特別図柄時短状態」となる。この点において、特別図柄変動表示ゲームの始動条件の成立頻度が通常遊技状態より高くなる上記「高ベース遊技状態」とは区別される。
【００８５】
また本実施形態では上記「高ベース遊技状態」の一例として、開放延長機能が付与された電チューサポート状態を「高ベース遊技状態」として扱う。電チューサポート状態下では、普通変動入賞装置４１の可動翼片４７の作動率（開放時間や開放回数）が向上して下始動口３５への入賞率が高まり、単位時間当りの入賞頻度が上昇することから、電チューサポート状態でない場合（低ベース遊技状態）と比較して、遊技者にとって有利な遊技状態になる。この電チューサポート状態の有無に着目した場合、遊技状態が「通常遊技状態」または「潜確状態」の場合には‘電チューサポート状態無し’（以下、「電サポ無し状態」と称する）となり、遊技状態が「時短状態」または「確変状態」である場合には‘電チューサポート状態有り’（以下、「電サポ有り状態」と称する）となる。
【００８６】
なお本実施形態では、遊技状態に関連した演出の多様化を図るために、一の遊技状態をさらに分類して管理している。具体的には、「通常遊技状態」には、「通常遊技状態Ａ（通常Ａ）」、「通常遊技状態Ｂ（通常Ｂ）」、および「通常遊技状態Ｃ（通常Ｃ）」といった複数種類の通常遊技状態が含まれ、それぞれ異なる遊技状態として管理している。すなわち、同じ通常遊技状態であっても特別図柄の変動パターンを選択する際の条件（変動パターン選択モード）が異なるようになっている。これにより、大当り抽選確率や電サポの有無などの決定に関する各機能（特別図柄確変機能、特別図柄時短機能、普通図柄確変機能、普通図柄時短機能、および開放延長機能）の作動状況、すなわち「内部遊技状態」に着目した場合に、同じ「通常遊技状態」でありながらも、演出に関しては「通常Ａ」〜「通常Ｃ」という複数種類の遊技状態ごとに対応した演出を発生させるこができるようになる。さらに本実施形態では、内部遊技状態は同じ「潜確状態」でありながらも、演出に関しては、「通常Ａ」、「通常Ｂ」、または「通常Ｃ」として管理し、上述した通常遊技状態下の「通常Ａ」〜「通常Ｃ」と同じ遊技状態に対応した演出を発生させるこができるようなっている（各遊技状態の移行条件については後述する）。本実施形態において、上記大当り抽選確率や電サポの有無などの決定に関する各機能に着目した場合の「内部遊技状態」の種類には、通常遊技状態、潜確状態、および確変状態が含まれ、また演出の決定に着目した場合の「遊技状態（変動パターン選択モード）」の種類には、通常Ａ、通常Ｂ、通常Ｃ、および確変状態が含まれる。
【００８７】
このように本実施形態では、大当り抽選確率や電サポの有無に着目した遊技状態（内部遊技状態）と、演出の決定に着目した遊技状態とを異なるものとして管理することで、内部遊技状態が同じであっても、複数種類の演出モードを実現させることができるようになっている。これにより、同一の内部遊技状態下における演出のバリエーションを豊富なものとすることができる。なお本明細書中では特に必要のない限り、上記内部遊技状態と演出の決定に着目した場合の上記遊技状態とを同列に扱う。
【００８８】
＜４．当りについて＞
次に、本実施形態に係るパチンコ遊技機の「当り」について説明する。
【００８９】
（４−１．当り種別）
本実施形態に係るパチンコ遊技機１は、複数種類の当りを対象に大当り抽選を行うようになっている。この当り種別には、「１５Ｒ長開放確変大当り」、「１０Ｒ長開放確変大当り」、「２Ｒ短開放潜確大当り」、および「小当り（小当りＡ、小当りＢ、および小当りＣ）」などの複数種類の当りが含まれる。
【００９０】
これら当りのうち、「１５Ｒ長開放確変大当り」、「１０Ｒ長開放確変大当り」、「２Ｒ短開放潜確大当り」は条件装置の作動契機となる「大当り」種別に属する当りであり、「小当り」は条件装置の作動契機とならない「非大当り」種別に属する当りである。ここで「条件装置」とは、その作動がラウンド遊技を行うための役物連続作動装置の作動に必要な条件とされている装置で、特定の特別図柄の組合せが表示され、または遊技球が大入賞口内の特定の領域を通過した場合に作動するものをいう。上記「大当り」種別に属する当りや、「非大当り」種別に属する当り（小当り）は、いずれも大入賞口の開閉動作を伴う特別遊技状態への移行契機となる当りである。したがって、「非大当り」種別に属する当りは、単なる「ハズレ」とは異なる。
【００９１】
上記‘大当り’種別に属する当りのうち、「１５Ｒ長開放確変大当り」、「１０Ｒ長開放確変大当り」、「２Ｒ短開放潜確大当り」は、その大当り遊技終了後の遊技状態を、少なくとも高確率状態を伴う遊技状態（本実施形態では、確変状態または潜確状態）に移行させる「確変大当り」に属する大当りとなっている。なお「小当り」は‘非大当り’種別に属する当りではあるが、特に必要がない限り上記の大当りと区別することなく、大当り種別の一つとして同列に扱うことにする。
【００９２】
（４−２．当り遊技）
次に、上記した各当りによる当り遊技について説明する。
【００９３】
（４−２−１．１５Ｒ長開放確変大当りによる当り遊技）
１５Ｒ長開放確変大当りによる当り遊技（以下、「１５Ｒ確変大当り遊技」と称する）は、規定ラウンド数を１５ラウンドとする大当りであり、本実施形態では、１回のラウンド遊技における大入賞口５０の最大開放時間が「長開放時間」の‘２９．８秒’に設定される。ここで「長開放時間」とは、その時間内に大入賞口への入賞数が上記最大入賞数（たとえば、９個）に達する可能性がある（最大入賞数に達する可能性が十分ある）時間幅として定めたものである。
【００９４】
ラウンド遊技が開始されて大入賞口５０が開放された後、上記の最大開放時間が経過した場合は大入賞口５０が閉鎖されて今回のラウンド遊技が終了し、規定ラウンド数の１５ラウンドに達していなければ、所定時間（ラウンド間インターバル時間）が経過した後、次のラウンド遊技に移行される。ただし、最大開放時間経過前であっても大入賞口５０に入賞した遊技球数（入賞球数）が最大入賞数（たとえば、９個）に達した場合は、大入賞口５０が閉鎖されて今回のラウンド遊技が終了し、所定時間（ラウンド間インターバル時間）が経過した後、次のラウンド遊技に移行される。つまり、大入賞口の最大開放時間が経過した場合か、または大入賞口に入賞した遊技球数が最大入賞数に達した場合かのいずれか一方の条件を満たすと、開放された大入賞口が閉鎖され、所定のインターバル時間を挟んで、次のラウンド遊技に移行されるようになっている（後述の１０Ｒ長開放確変大当りによる当り遊技、２Ｒ短開放潜確大当りによる当り遊技についても同様）。
【００９５】
なお、ラウンド遊技間における上記「ラウンド間インターバル時間」は、「残存球排出時間」と、この残存球排出時間が経過してから次のラウンド遊技が開始されるまでの「開放前インターバル時間」とからなる。上記「残存球排出時間」とは、大入賞口の閉鎖後における大入賞口内部の残存球を排出するための余裕時間（たとえば、１９８０ｍｓ）を指し、その時間幅として、大入賞口が閉鎖される直前に入賞した遊技球が大入賞口内部に形成された入賞検出スイッチ（大入賞口センサ５２ａ）を通過するまでに要する十分な時間が確保されている。また「開放前インターバル時間」とは、上述の残存球排出時間が経過して大入賞口内の残存球が排出されたものとみなされた後、次のラウンド遊技における大入賞口が開放されるまでの時間幅（たとえば、２０ｍｓ）を指す。この開放前インターバル時間中に大入賞口センサ５２ａが遊技球を検出しても、その遊技球は無効なものとして扱われるようになっている。
【００９６】
（４−２−２．１０Ｒ長開放確変大当りによる当り遊技）
１０Ｒ長開放確変大当りによる当り遊技（以下、「１０Ｒ確変大当り遊技」と称する）は、規定ラウンド数を１０ラウンドとする以外は、上述した１５Ｒ確変大当り遊技の内容と同じある。したがって、この１０Ｒ確変大当り遊技は、上記１５Ｒ確変大当り遊技よりも相対的に低い利益が付与される大当り遊技となる（本実施形態では、５ラウンド分の賞球数差がある）。
【００９７】
（４−２−３．２Ｒ短開放潜確大当りによる当り遊技）
２Ｒ短開放潜確大当りによる当り遊技（以下、「２Ｒ潜確大当り遊技」と称する）では、規定ラウンド数を１５ラウンドとする大当りであり、本実施形態では、１回のラウンド遊技における大入賞口５０の最大開放時間は「短開放時間」の０．１秒に設定される。ここで「短開放時間」とは、大入賞口への入賞自体を困難とする時間幅として定めたものである。本実施形態では、発射装置の性能（たとえば単位時間あたりの遊技球の連射速度性能）や大入賞口の形成位置などにより、上記「短開放時間」内に大入賞口閉鎖条件の一つである「最大入賞数」に達することが不可能なようになっている。２Ｒ潜確大当り遊技では、大入賞口５０が短開放時間しか開放されずに、そのラウンド遊技数も２ラウンド分と少ないことから、実質的には賞球が殆ど得られない大当り遊技となっている（正確には、大入賞口５０の入賞も発生する可能性はあるが、各ラウンド遊技の大入賞口の最大開放時間が短開放時間に設定される関係上、その可能性は極めて低くなり、実質的に、賞球が殆ど得られない）。
【００９８】
以上のように本実施形態では、大当りの種類に応じて、大当り遊技中の賞球数、換言すれば、遊技者が獲得し得る遊技球数（獲得賞球数）が異なるように構成されている。なお、２Ｒ潜確大当り遊技では最大開放時間を上記短開放時間に設定すると説明したが本発明はこれに限られない。たとえば、大入賞口５０への入賞がある程度許容されるように、１５Ｒ確変大当り遊技や１０Ｒ確変大当り遊技と同じ長開放時間を設定しても良いし、上記最大入賞数に達することは困難または不可能であるが、大入賞口５０への入賞球数をある程度確保できるような開放時間（長開放時間よりも短く、短開放時間よりも長い中間的な開放時間：たとえば、５秒）に設定しても良い。また、賞球数を異ならせるために、大当りの種類に応じて、上記最大入賞数をそれぞれ異なる個数に設定しても良い。
【００９９】
（４−２−４．小当り（小当りＡ〜小当りＣ）による当り遊技）
小当りＡ〜小当りＣによる当り遊技（以下、「小当り遊技」と称する）では、それぞれ大入賞口５０の開放が２回行われ、１回あたりの大入賞口５０の最大開放時間が２Ｒ潜確大当り遊技の最大開放時間に相当する０．１秒に設定され、１回目の大入賞口５０の閉鎖後、２回目の大入賞口５０開放までのインターバル時間が２Ｒ潜確大当り遊技のラウンド間インターバル時間と同じ時間幅が設定される。また小当り遊技における大入賞口５０の閉鎖条件に関しては、最大開放時間が経過した場合か、または大入賞口５０に入賞した遊技球数が最大入賞数（たとえば、９個）に達した場合かのいずれか一方の条件が満たされた場合となっている。この点も２Ｒ潜確大当り遊技と同じである。つまり、この小当り遊技中において外見から捉えた大入賞口５０の開閉動作が、上記２Ｒ潜確大当り遊技のものと実質的に同一の動作態様で制御されるようになっている。
【０１００】
この「小当り」は「条件装置」の作動契機とはならない当り種別であることから、「大当り」のようなラウンド遊技は実行されない。しかし２Ｒ潜確大当り遊技と実質的に同一の動作態様で大入賞口５０を開閉制御することにより、疑似的なラウンド遊技を実現させて、見た目上、あたかも２Ｒ短開放潜確大当りに当選したかの如く装うことを可能にしている。また小当り遊技中の当り中演出（当り遊技中に現出される演出）は、２Ｒ潜確大当り遊技中の当り中演出と同一または酷似する演出が現出されるようになっている。つまり、当り中演出を含む小当り遊技に係る動作は、２Ｒ短開放潜確大当りに係る動作と実質的に同一挙動を示し、遊技者側から見て、どちらの当り遊技が実行されているかの識別が困難または不可能とされる。これにより、小当りに当選した場合であっても、２Ｒ短開放潜確大当りへの当選期待感を遊技者に与えることができるようになっている。
【０１０１】
（４−３．当り遊技終了後の遊技状態：図４）
次に図４を参照して、上記の各当り遊技後に移行される遊技状態について説明する。図４は、各当り遊技後に移行する遊技状態の説明に供する説明図である。
【０１０２】
（４−３−１．１５Ｒ確変大当り遊技終了後の遊技状態）
１５Ｒ確変大当り遊技後は、図示のように、その大当り当選時の遊技状態にかかわらず「確変状態」に移行される。この「確変状態」となった場合には、特別図柄変動表示ゲームの実行回数（特別図柄の変動表示動作回数（以下、「特別図柄の変動回数」と略す）が所定回数（本実施形態では、特別図柄変動表示ゲーム１および２の合計実行回数（特別図柄１および２の合計変動回数）。以下同じ）：たとえば７０回）終了するまでの間か、またはその所定回数内で大当りが確定する（特別図柄が大当りを示す表示態様で停止表示され、大当り遊技の発生が確定した場合。なお、大当りに当選した場合であっても良い。以下同様）まで当該確変状態が継続し、その所定回数内で大当りが確定することなく特別図柄変動表示ゲームが終了したときには当該確変状態が終了して、次ゲームから「通常Ａ（内部遊技状態は通常遊技状態）」に移行されるようになっている。本実施形態のパチンコ機１は、大当り抽選確率が少なくとも高確率となる遊技状態に移行された後、大当り（小当りは除く）に当選することなく特別図柄変動表示ゲームが所定回数終了した場合、当該高確率状態を終了させて大当り抽選確率を低確率に移行させる回数切りの確変機（回数切り確変機（ＳＴ機））となっている。以下、必要に応じて、この高確率状態が継続される特別図柄変動表示ゲーム（特別図柄の変動回数）の上限回数を「規定ＳＴ回数」と称する。
【０１０３】
（４−３−２．１０Ｒ確変大当り遊技終了後の遊技状態）
１５Ｒ確変大当り遊技後は、その大当り当選時の遊技状態にかかわらず「確変状態」に移行され、この確変状態となってからの遊技状態遷移は、上述した１５Ｒ確変大当りの場合と同じである。
【０１０４】
（４−３−３．２Ｒ潜確大当り遊技終了後の遊技状態）
２Ｒ潜確大当り遊技後は、図示のように、その大当り当選時の遊技状態に応じて、移行先の遊技状態が異なる。具体的には、大当り当選時の遊技状態「通常Ａ」〜「通常Ｃ」であった場合（内部遊技状態が通常遊技状態または潜確状態であった場合）には「通常Ｃ（内部遊技状態は潜確状態）」に、「確変状態」であった場合には「確変状態」に移行されるようになっている。ここでの「通常Ｃ」は、先に述べたように、内部遊技状態が通常遊技状態の「通常Ｃ」と同じ遊技状態として管理されるが、その実体は、内部遊技状態が潜確状態の「通常Ｃ（潜確）」である。
【０１０５】
２Ｒ潜確大当り遊技終了後の「通常Ｃ」となった場合には、特別図柄変動表示ゲームが第１の所定回数（たとえば３０回）を終了するまでの間か、またはその所定回数内で大当りが確定するまで当該「通常Ｃ」が継続し、その所定回数内で大当りが確定することなく特別図柄変動表示ゲームが終了したときには当該「通常Ｃ」が終了して、次ゲームから「通常Ａ」に移行される。つまり、規定ＳＴ回数を前半区間と後半区間とで区切った場合、前半区間は「通常Ｃ」下に置かれ、後半区間は「通常Ａ」下に置かれることになる。したがって、この「通常Ｃ」から「通常Ａ」へと移行された場合は、内部遊技状態が潜確状態の「通常Ａ」に移行される。
【０１０６】
上記潜確状態の「通常Ａ」となった後、前半区間の「通常Ｃ」中を含めた特別図柄変動表示ゲームの実行回数が規定ＳＴ回数（７０回）終了するまでの間か、またはその規定ＳＴ回数内で大当り（小当りを含む）が確定するまで「通常Ａ」が継続し、その規定ＳＴ回数内で大当り（小当りを含む）が確定することなく特別図柄変動表示ゲームが終了したときには、高確率状態が終了となり、次ゲームから通常遊技状態の「通常Ａ」に移行される。つまり、２Ｒ潜確大当り遊技終了後に「通常Ｃ」となった後、上記規定ＳＴ回数（たとえば、７０回）以内に大当りに当選しなかった場合は、内部遊技状態が潜確状態の「通常Ｃ（特別図柄変動表示ゲームの実行回数３０回）」→同状態の「通常Ａ（特別図柄変動表示ゲームの実行回数４０回）」（ＳＴ規定回数終了）→内部遊技状態が通常遊技状態の「通常Ａ」、といった遊技状態遷移となる。
【０１０７】
以上に述べたように、上記の「１５Ｒ長開放確変大当り」は、第１の大当り遊技に移行させ、当該第１の大当り遊技の終了後に通常遊技状態よりも遊技者に有利な第１の特典遊技状態（本実施形態では、確変状態）に移行させる「第１の大当り」として機能する。また上記の「１０Ｒ長開放確変大当り」は、上記第１の大当り遊技よりも遊技者に供与する利益が相対的に少なくなるように大入賞口の開閉動作パターンが実行制御される第２の大当り遊技に移行させ、当該第２の大当り遊技の終了後に上記第１の特典遊技状態に移行させる「第２の大当り」として機能する。また上記の「２Ｒ短開放潜確大当り」は、上記第１の大当り遊技よりも遊技者に供与する利益が相対的に少なくなるように大入賞口の開閉動作パターンが実行制御される第３の大当り遊技に移行させ、当該第３の大当り遊技の終了後に上記第１の特典遊技状態よりも遊技者に供与する利益が相対的に少ない第２の特典遊技状態（本実施形態では、「潜確状態」）に移行させる「第３の大当り」として機能する。
【０１０８】
なお本実施形態では、どの大当りに当選しても「時短状態」が発生しない構成となっているが本発明はこれに限らず、大当り遊技終了後に時短状態を発生させる第４の大当り（時短大当り）をさらに設けても良いし、本実施形態の大当りの一種（たとえば、１０Ｒ長開放確変大当り）を時短大当りとしても良い。この場合、時短状態の終了条件としては、特別図柄変動表示ゲームの実行回数が所定回数（たとえば１００回）終了するまでの間か、またはその所定回数内で大当りが確定または当選するまでを条件とすることができる。また本実施形態では、少なくとも高確率状態に移行された場合、特別図柄変動表示ゲームの実行回数が所定回数（規定ＳＴ回数）終了するまでの間か、またはその所定回数内で大当りが確定または当選するまで当該高確率状態が継続するものとして説明した。しかし本発明はこれに限らず、特別図柄変動表示ゲームの実行回数に関係なく、次回の大当りが確定または当選するまで高確率状態を継続させる第５の大当りを設けても良い。
【０１０９】
（４−４．小当り遊技終了後の遊技状態）
次に小当り遊技後の遊技状態について説明する。ここで小当り遊技後に関しては、その小当り当選時の内部遊技状態がそのまま継続されるようになっている。つまり、小当り当選に起因した内部遊技状態の移行制御は行われない。このため、小当り当選時の内部遊技状態とその小当り遊技後の内部遊技状態とは、いずれも同じ内部遊技状態となる。この点、内部遊技状態の移行制御が行われうる「大当り」とは性質を異にする。しかし本実施形態では、小当り当選に起因した‘内部遊技状態’の移行制御は行わない一方、‘遊技状態’の移行制御は行うようになっている。これにより、たとえば、小当り遊技後の遊技状態と２Ｒ潜確大当り遊技後の遊技状態とを同じ遊技状態に移行させた場合には、双方で同じ演出をなす演出モードに滞在させることができる。つまり、小当り遊技後であっても２Ｒ潜確大当り遊技後と同じ演出モード下の演出を発生させることが可能になる。これにより、演出上からは、２Ｒ短開放潜確大当りに当選して「潜確状態」に移行したかも知れない、という高確率状態への突入期待感を遊技者に与えることができるようになっている。以下、図４を参照しながら、小当りＡ〜小当りＣに当選した場合における各小当り遊技終了後の遊技状態について詳細に説明する。
【０１１０】
（４−４−１．小当りＡに当選した場合の小当り遊技終了後の遊技状態）
小当りＡによる小当り遊技後は、図示のように、その大当り当選時の遊技状態に応じて、移行先の遊技状態が異なる。具体的には、大当り当選時の遊技状態「通常Ａ」〜「通常Ｃ」であった場合には「通常Ｂ」に、「確変状態」であった場合には「確変状態」に移行されるようになっている。上記「通常Ｂ」となった場合には、特別図柄変動表示ゲームが所定回数（たとえば１００回）終了するまでの間か、またはその所定回数内で大当りが確定するまで当該「通常Ｂ」が継続し、その所定回数内で大当りが確定することなく特別図柄変動表示ゲームが終了したときには当該「通常Ｂ」が終了して、次ゲームから「通常Ａ」に移行されるようになっている。
【０１１１】
（４−４−２．小当りＢに当選した場合の小当り遊技終了後の遊技状態）
小当りＢによる小当り遊技後は、図示のように、その大当り当選時の遊技状態に応じて、移行先の遊技状態が異なる。具体的には、大当り当選時の遊技状態「通常Ａ」〜「通常Ｃ」であった場合には「通常Ｂ」に、「確変状態」であった場合には「確変状態」に移行されるようになっている。この小当りＢによる「通常Ｃ」となった場合には、特別図柄変動表示ゲームが第２の所定回数（たとえば１５回）を終了するまでの間か、またはその所定回数内で大当りが確定するまで当該「通常Ｃ」が継続し、その所定回数内で大当りが確定することなく特別図柄変動表示ゲームが終了したときには当該「通常Ｃ」が終了して、次ゲームから「通常Ａ」に移行されるようになっている。
【０１１２】
（４−４−３．小当りＣに当選した場合の小当り遊技終了後の遊技状態）
小当りＣによる小当り遊技後は、図示のように、その大当り当選時の遊技状態に応じて、移行先の遊技状態が異なる。具体的には、大当り当選時の遊技状態「通常Ａ」〜「通常Ｃ」であった場合には「通常Ｃ」に、「確変状態」であった場合には「確変状態」に移行されるようになっている。この小当りＣによる「通常Ｃ」となった場合には、特別図柄変動表示ゲームが第３の所定回数（好ましくは、「上記第２の所定回数＜第３の所定回数」および「第１の所定回数＝第３の所定回数」の少なくともいずれか一方の関係を満たす回数。本実施形態では、たとえば３０回）終了するまでの間か、またはその所定回数内で大当りが確定するまで当該「通常Ｃ」が継続し、その所定回数内で大当りが確定することなく特別図柄変動表示ゲームが終了したときには当該「通常Ｃ」が終了して、次ゲームから「通常Ａ」に移行されるようになっている。したがって、上述の小当りＣ当選に起因して移行される「通常Ｃ」と上記小当りＢ当選に起因して移行される「通常Ｃ」とは同一の遊技状態である。ただし、「通常Ｃ」の滞在期間が、特別図柄変動表示ゲーム３０回（図中の「通常Ｃ（３０回）」）で終了するものであるか、１５回（図中の「通常Ｃ（１５回）」）で終了するものであるかという点が異なる。
【０１１３】
ここで上述の「通常Ｃ」は、２Ｒ潜確大当り遊技終了後にも移行し得る遊技状態である。このため、２Ｒ短開放潜確大当り当選、小当りＢ当選、または小当りＣ当選に起因して「通常Ｃ」に移行された場合は、それぞれ「通常Ｃ」に対応した演出をなす演出モード（後述の「通常Ｃ演出モード」）に滞在することになり、演出上において、内部遊技状態が「潜確状態」であるか否か、つまり大当り当選確率状態が高確率状態であるか低確率状態であるか否かが秘匿される。本実施形態では、通常遊技状態と潜確状態とで特別図柄確変機能の作動状況に違いはあるものの、外観上に現れる機械的な遊技動作状態が同じ状態となることに着目し（双方ともに‘電サポ無し状態’）、遊技者側に演出上からもどのような遊技状態であるかを察知されないようにすることで、高確率状態の期待感を遊技者に与えることができるようになっている。特に、大当りまたは小当りに当選することなく特別図柄変動表示ゲーム１５回を終了し、次ゲームも「通常Ｃ」に対応する演出をなす演出モードに滞在している場合には、小当りＣ当選か、または２Ｒ短開放潜確大当り当選かの限定されるため、「通常Ｃ（１５回）」よりも「通常Ｃ（３０回）」の方が高確率状態に突入したかも知れないという期待感がより一層高まる。
【０１１４】
なお「通常Ｃ」から「通常Ａ」に移行された場合であっても、遊技者に高確率状態の期待感を残すため、「通常Ｃ」の継続回数は、規定ＳＴ回数よりも少ない回数であることが好ましい。また特別図柄変動表示ゲームの実行回数（特別図柄の変動回数）に応じて、上記「通常Ｃ」から「通常Ａ」へ移行させるだけなく、「通常Ｃ」に滞在中に特別図柄変動表示ゲームの実行回数が所定回数終了した後、特別図柄変動表示ゲーム実行毎に、所定の移行抽選を行い、その移行抽選に当選した場合には当該「通常Ｃ」から「通常Ａ」へと移行させても良い。たとえば、２Ｒ短開放潜伏確変大当りまたは小当りＣに当選した場合は第１の所定回数（たとえば３０回）終了した後、上記移行抽選を行い、小当りＢに当選した場合は第２の所定回数（たとえば１５回）終了した後、上記移行抽選を行う。さらに、規定ＳＴ回数が終了するまで、上記移行抽選に当選することなく特別図柄変動表示ゲームが終了したときには、強制的に「通常Ａ」に移行させることが好ましい。
【０１１５】
＜５．演出について＞
（５−１．演出モード）
次に、各遊技状態下に対応する演出モード（演出状態）について説明する。本実施形態のパチンコ遊技機１には、現在の遊技状態に関連した演出をなす演出モードを設け、その演出モード間を行き来可能に構成している。具体的には、「通常Ａ」滞在中はこれに関連する演出をなす「通常Ａ演出モード」と、「通常Ｂ」滞在中はこれに関連する演出をなす「通常Ｂ演出モード」と、「通常Ｃ」滞在中はこれに関連する演出をなす「通常Ｃ演出モード」と、「確変状態」滞在中はこれに関連する演出をなす「確変演出モード」とを含む各遊技状態に応じた複数種類の演出モードが設けられている。なお上記「通常Ｃ」に対応する「通常Ｃ演出モード」は、演出上、現在の大当り抽選確率状態（内部遊技状態）を秘匿状態とし、遊技者に高確率状態の期待感を煽る演出をなす「秘匿演出モード」としての役割を果たす。
【０１１６】
演出制御部２４（ＣＰＵ２４１）は、演出モードを移行制御する機能部（演出状態移行制御手段）を有し、主制御部２０（ＣＰＵ２０１）から送られてくる特定の演出制御コマンド（遊技状態指定コマンド）に基づいて、主制御部２０側で管理される遊技状態と整合性を保つ形で、これらの演出モード間を移行制御可能に構成されている。
【０１１７】
また各演出モードでは、遊技者がどのような遊技状態に対応した演出モード下に滞在しているのかを把握できるように、装飾図柄の変動表示画面のバックグラウンドとしての背景表示が、たとえば「通常Ａ演出モード」下では季節‘春’を連想させる背景演出（たとえば、桜の木の背景画像を表示する背景演出：第１の背景演出）、「通常Ｂ演出モード」下では季節‘夏’を連想させる背景演出（たとえば、海の背景画像を表示する背景演出：第２の背景演出）、「通常Ｃ演出モード」下では季節‘秋’を連想させる背景演出（たとえば、紅葉の木の背景画像を表示する背景演出：第３の背景演出）、「確変演出モード」下では季節‘冬’を連想させる背景演出（たとえば、雪山の背景画像を表示する背景演出：第４の背景演出）にそれぞれ切り替え制御される。
【０１１８】
なお本実施形態の「通常Ｃ演出モード」は、内部遊技状態が潜確状態（高確率状態）であるか通常遊技状態（低確率状態）であるかにかかわらず、同じ演出モードであると説明したが、本発明はこれに限られない。たとえば、主制御部２０から演出制御部２４に対して、内部遊技状態情報を含む演出制御コマンド（たとえば、「変動パターン指定コマンド」、「装飾図柄指定コマンド」、または「遊技状態指定コマンド」）を送信することで、内部遊技状態（特に大当り抽選確率）に応じて、潜確状態（高確率状態）下における「本物の通常Ｃ演出モード（第１の秘匿演出モード）」と、通常遊技状態（低確率状態）下における「ガセの通常Ｃ演出モード（第２の秘匿演出モード）」とに移行制御可能に構成しても良い。
【０１１９】
たとえば、内部遊技状態が「通常遊技状態」中に‘小当りＢ’または‘小当りＣ’に当選し、当該通常遊技状態が維持される場合には、「通常Ｃ演出モード」のうち上記「ガセの通常Ｃ演出モード（低確）」に移行させ、他方、内部遊技状態が「通常遊技状態」中または「潜確状態」中に‘２Ｒ短開放潜確大当り’に当選し、潜確状態に移行される場合には、「通常Ｃ演出モード」のうち上記「本物の通常Ｃ演出モード（高確）」に移行制御可能な構成とすることができる。この場合、演出に関しては、上記「本物の通常Ｃ演出モード（高確）」と上記「ガセの通常Ｃ演出モード（低確）」の双方の背景演出を同じにて（たとえば、双方ともに、季節‘秋’を連想させる背景演出）、現在の大当り抽選確率状態（内部遊技状態）を秘匿状態としつつ、上記「本物の通常Ｃ演出モード（高確）」と上記「ガセの通常Ｃ演出モード（低確）」とで、特定の演出の発生確率を異ならせるようにし、高確率状態であるか否かの推測要素を遊技者に与えることができるようになる（たとえば、上記「ガセの通常Ｃ演出モード」よりも「本物の通常Ｃ演出モード」の方が特定の演出（潜確状態の可能性がある旨を示唆、暗示させる潜確期待演出）の発生確率を高める）これにより、現在の内部遊技状態が潜確状態であるか否かの潜確期待感を遊技者に与え、遊技の面白みをより一層向上させることができる。
【０１２０】
（５−２．予告演出）
次に、予告演出について説明する。図柄変動表示ゲーム中には、上述した演出モードに関連した様々な予告演出が発生させることができるようになっている。斯様な予告演出は、遊技者の大当り当選期待感を煽るための「煽り演出」として働く。「煽り演出」の代表的なものとして、「リーチ演出」が挙げられる。この「リーチ演出」とは、いわゆる「リーチ状態」を伴う演出態様をいい、具体的には、リーチ状態を経由して最終結果を導出するような演出態様をいう。上記「リーチ演出」は、大当り当選期待度に関連付けられた複数種類のリーチ演出が含まれる。たとえば、特定のリーチ状態が出現すると、通常のリーチ状態（‘ノーマルリーチ（Ｎリーチ）’）が出現した場合に比べて、大当り当選期待度が相対的に高まるものがある。このような特定のリーチ状態を伴うリーチ演出を、‘スーパーリーチ（ＳＰリーチ）’という。ＳＰリーチの多くは、大当り当選期待感を煽るべく、Ｎリーチによりも相対的に長い演出時間（変動時間）を持つ。本実施形態のリーチ演出には、次のような複数種類のリーチ演出が設けられている。まずリーチ演出を大別すると、「通常Ａ」または「通常Ｂ」専用の「Ｎリーチ、弱ＳＰリーチＡ、弱ＳＰリーチＢ、強ＳＰリーチＡ、および強ＳＰリーチＢ」種別や、「通常Ｃ」専用の「特殊リーチ」種別や、「確変状態」専用の「確変中リーチ」種別などが設けられている。これらのリーチ演出種別は、１または複数種類のリーチ有り変動パターンを含む。たとえば「弱ＳＰリーチ」種別には‘弱ＳＰリーチ１〜３’が、「強ＳＰリーチ種別」には‘強ＳＰリーチ１〜３’が、「特殊リーチ」種別には‘特殊リーチ１〜３’が、「確変中リーチ」種別には‘確変中リーチ１〜３’が含まれる。
【０１２１】
なお、パチンコ遊技機１による各種の演出は、遊技機に配設された演出手段（所定の電気電子部品）により現出される。上記演出手段は、視覚、聴覚、触覚など、人間の知覚に訴えることができる刺激伝達手段であれば、いずれも本発明における演出手段として採用することができる。装飾ランプ４５やＬＥＤ装置、スピーカ４６、液晶表示装置３６などの光発生手段、音響発生装置、演出表示装置、ないし操作者の体に振動を伝える加振装置、あるいは視覚的演出効果がある可動体役物などは、その代表例である。ここで演出表示装置は、画像表示装置と同じく視覚に訴える表示装置であるが、画像によらないもの（たとえば、７セグメント表示器）も含む点で画像表示装置と異なる。画像表示装置と称する場合は主として画像表示により演出を現出するタイプを指し、７セグメント表示器のように画像以外により演出を現出するものは、上記演出表示装置の概念の中に含まれる。
【０１２２】
＜主制御部側の処理：図５〜図１７＞
次に図５〜図１７を参照して、本実施形態の主制御部２０側における遊技動作処理について説明する。主制御部２０側の処理は、主に、所定のメイン処理（主制御側メイン処理：図５）と、ＣＴＣからの定時割込みで起動されるタイマ割込処理（主制御側タイマ割込処理：図６）とを含んで構成される。
【０１２３】
＜６．主制御側メイン処理：図５＞
図５は、主制御部２０側のメイン処理を示すフローチャートである。メイン処理が開始されるのは、停電状態からの復旧時のように初期化スイッチ（図示せず）が操作されることなく電源がＯＮ状態になる場合と、初期化スイッチがＯＮ操作されて電源がＯＮ状態になる場合とがある。いずれの場合でも、パチンコ遊技機１に電源が投入されると、電源基板３１によって各制御基板に電圧が供給され、主制御部２０（ＣＰＵ２０１）が図５に示す主制御側メイン処理を開始する。
【０１２４】
この主制御側メイン処理において、ＣＰＵ２０１は、まず遊技動作開始前における必要な初期設定処理を実行する（ステップＳ０１１）。たとえば、最初に自らを割込み禁止状態に設定すると共に、所定の割込みモード（割込みモード２）に設定し、またマイクロコンピュータの各部を含めてＣＰＵ内部のレジスタ値を初期設定する。
【０１２５】
次いで、図示してない入力ポートを介して入力されるＲＡＭクリアスイッチの出力信号であるＲＡＭクリア信号の状態（ＯＮ、ＯＦＦ）を判定する（ステップＳ０１２）。ここでＲＡＭクリア信号とは、ＲＡＭの全領域を初期設定するか否かを決定する信号であって、通常、パチンコ店の店員が操作する初期化スイッチのＯＮ／ＯＦＦ状態に対応した値を有している。
【０１２６】
ここでは、ＲＡＭクリア信号がＯＮ状態であったと仮定すると、ステップＳ０１２の判定結果が‘ＹＥＳ’となり、ＲＡＭの全領域がゼロクリアされる（ステップＳ０１６）。したがって、電源遮断時にセットされたバックアップフラグの値は、他のチェックサム値などと共にゼロとなる。
【０１２７】
次いで、ＲＡＭ領域がゼロクリアされたことを報知するための「ＲＡＭクリア表示コマンド」が初期化コマンドとして各制御基板に送信する（ステップＳ０１７）。そして、ＲＡＭクリア報知タイマに、ＲＡＭクリアされた旨を報知するための時間として、たとえば、３０秒を格納する（ステップＳ０１８）。
【０１２８】
次に、タイマ割込み動作を起動する割込み信号を出力するＣＴＣを初期設定して（ステップＳ０１９）、ＣＰＵを割込み許可状態に設定する。
【０１２９】
その後は、割込みが発生するまで割込禁止状態と割込許可状態とを繰り返すとともに、その間に、各種乱数更新処理を実行する（ステップＳ０２０〜Ｓ０２２）。この各種乱数更新処理（ステップＳ０２１）では、特別図柄変動表示ゲームや普通図柄変動表示ゲームに使用される各種乱数（インクリメント処理によって所定数値範囲を循環している大当り抽選に係る乱数（図柄抽選に利用される特別図柄判定用乱数）や、補助当り抽選に係る乱数（補助当りの当落抽選に利用される補助当り判定用乱数））の初期値（スタート値）変更のために使用する乱数（特別図柄判定用初期値乱数、補助当り判定用初期値乱数）や、変動パターンの選択に利用される変動パターン用乱数を更新する。
【０１３０】
本実施形態のＲＡＭ２０３には大当り抽選に係る図柄抽選、補助当り抽選、または変動パターン抽選などに利用される各種の乱数カウンタとして、特別図柄判定用乱数カウンタ初期値の生成用カウンタ、特別図柄判定用乱数カウンタ、補助当り判定用乱数カウンタ初期値の生成用カウンタ、補助当り判定用乱数カウンタ、変動パターン用乱数１カウンタ、変動パターン用乱数２カウンタなどが設けられている。これらのカウンタは、ソフトウェア的に乱数を生成する乱数生成手段としての役割を果たす。ステップＳ０２１の各種乱数更新処理では、上述の特別図柄判定用乱数カウンタや補助当り判定用乱数カウンタの初期値を生成する２つの初期値生成用カウンタ、変動パターン用乱数１カウンタ、変動パターン用乱数２カウンタなどを更新して、上記各種のソフト乱数を生成する。たとえば、変動パターン用乱数１カウンタとして取り得る数値範囲が０〜２３８とすると、ＲＡＭ２０３の変動パターン用乱数１の値を生成するためのカウント値記憶領域から値を取得し、取得した値に１を加算してから元のカウント値記憶領域に格納する。このとき、取得した値に１を加算した結果が２３９であれば０を元の乱数カウンタ記憶領域に格納する。他の初期値生成用乱数カウンタも同様に更新する。ＣＰＵ２０１は、間欠的に実行されるタイマ割込処理を行っている間を除いて、各種乱数更新処理を繰り返し実行するようになっている。
【０１３１】
ステップＳ０１２の判定処理に戻って説明を続けると、停電状態からの復旧時には、初期化スイッチ（ＲＡＭクリア信号）はＯＦＦ状態である（ステップＳ０１２：ＹＥＳ）。そこで、このような場合、ステップＳ０１２の判定処理に続き、バックアップフラグ値を判定する（ステップＳ０１３）。なお、バックアップフラグは、電源遮断時にＯＮ状態（バックアップフラグ＝５ＡＨ（‘＊＊Ｈ’は任意の１６進数の意）に設定され、電源復帰後の最初のタイマ割込み処理の処理でＯＦＦ状態（バックアップフラグ＝００Ｈ）にリセットされるよう構成されている。
【０１３２】
したがって、電源投入時や停電状態からの復旧時である場合には、通常では、バックアップフラグがＯＮ状態のはずである。ただし、何らかの理由で電源遮断までに所定の処理が完了しなかったような場合には、バックアップフラグはリセット（ＯＦＦ）状態になる。したがって、バックアップフラグがＯＦＦ状態となる場合には（ステップＳ０１３：ＮＯ）、ステップＳ０１６の処理に移行させて遊技機の動作を初期状態に戻す。
【０１３３】
一方、バックアップフラグがＯＮ状態であれば（ステップＳ０１３：ＹＥＳ）、チェックサム値を算出するためのチェックサム演算を実行する。ここで、チェックサム演算とは、ＲＡＭ２０３のワーク領域を対象とする８ビット加算演算である。そして、チェックサム値が算出されたら、この演算結果を、ＲＡＭ２０３のＳＵＭ番地の記憶値と比較をする（ステップＳ０１４）。上記ＳＵＭ番地には、電源遮断時に、同じチェックサム演算によるチェックサム値が記憶されている。そして、記憶された演算結果は、ＲＡＭ２０３の他のデータと共に、バックアップ電源によって維持されている。したがって、本来は、ステップＳ０１４の判定によって両者が一致するはずである。
【０１３４】
しかし、電源遮断時にチェックサム演算が実行できなかった場合や、実行できても、その後、メイン処理のチェックサム演算の実行時までの間に、ワーク領域のデータが破損している場合もあり、このような場合にはステップＳ０１４の判定結果は不一致となる。判定結果の不一致によりデータ破損が検出された場合には（ステップＳ０１４：ＮＯ）、ステップＳ０１６の処理に進みＲＡＭクリア処理を実行し、遊技機の動作状態を初期状態に戻す。一方、チェックサム演算によるチェックサム値と、ＳＵＭ番地の記憶値とが一致する場合には（ステップＳ０１４：ＹＥＳ）、バックアップデータに基づき、電源遮断前におけるスタックポインタを復帰し、電源遮断時の処理状態から遊技を開始するために必要な遊技復旧処理を実行する。
【０１３５】
ステップＳ０１５の遊技復旧処理を終えると、ステップＳ０１９の処理に進み、ＣＴＣを初期設定してＣＰＵを割込み許可状態に設定し、その後は、割込みが発生するまで割込禁止状態と割込許可状態とを繰り返すとともに、その間に、上述した各種乱数更新処理を実行する（ステップＳ０２０〜Ｓ０２２）。
【０１３６】
＜７．主制御側タイマ割込処理：図６＞
次に図６を参照して、主制御側のタイマ割込処理について説明する。図６は、主制御側タイマ割込処理を示すフローチャートである。この主制御側タイマ割込処理は、ＣＴＣからの一定時間（４ｍｓ程度）ごとの割込みで起動され、主制御側メイン処理実行中に割り込んで実行される。以下では説明の便宜上、ＣＰＵ２０１がＲＡＭやＲＯＭなどのメインメモリを読み書きする際のアドレス値（そのアドレスに記述されているデータ類を含む）やプログラム上の演算処理により得られた結果情報などを、ＣＰＵ内蔵のレジスタ内に読み込んだり取り込んだりするなどの処理を「取得」と称し、またＣＰＵ２０１がＲＡＭのワーク領域にアクセスして、所定のデータを記憶させることを「格納」と称する場合がある。
【０１３７】
図６において、ＣＰＵ２０１は、タイマ割込みが生じると、レジスタの内容をスタック領域に退避させた後、まず電源制御基板３１からの電源の供給状態を監視する電源異常チェック処理を行う（ステップＳ０５１）。この電源異常チェック処理では、主に、電源が正常に供給されているかを監視する。ここでは、たとえば、電断が生じるなどの異常が発生した場合、電源復帰時に支障なく遊技を復帰できるように、電断時における所定の遊技情報をＲＡＭに格納するバックアップ処理などが行われる。
【０１３８】
次いで、遊技動作制御に用いられるタイマを管理するタイマ管理処理を行う（ステップＳ０５２）。パチンコ遊技機１の遊技動作制御に用いる各種タイマ（たとえば、後述の特別図柄役物動作タイマなど）のタイマ値はここで管理（更新）される。
【０１３９】
次いで、入力管理処理を行う（ステップＳ０５３）。この入力管理処理では、パチンコ遊技機１に設けられた各種センサによる検出情報を入賞カウンタに格納する。ここでの各種センサによる検出情報とは、たとえば、上始動口センサ３４ａ、下始動口センサ３５ａ、普通図柄始動口センサ３７ａ、大入賞口センサ５２ａ、一般入賞口センサ４３ａなどの入賞検出スイッチから出力されるスイッチ信号のＯＮ／ＯＦＦ情報（入賞検出情報）である。これにより、各入賞口において入賞を検出（入賞が発生）したか否かが割込みごとに監視される。また上記「入賞カウンタ」とは、各々の入賞口ごとに対応して設けられ、入賞した遊技球数（入賞球数）を計数するカウンタである。本実施形態では、ＲＡＭ２０３の所定領域に、上始動口３４用の上始動口入賞カウンタ、下始動口３５用の下始動口入賞カウンタ、普通図柄始動口３７用の普通図柄始動口入賞カウンタ、大入賞口５０大入賞口５０用の大入賞口入賞カウンタ、一般入賞口４３用の一般入賞口用の入賞カウンタなどが設けられている。またこの入力管理処理では、入賞検出スイッチからの検出情報が入賞を許容すべき期間中に入賞したか否かに基づいて、不正入賞があったか否かも監視される。たとえば、可動翼片４７が作動中でないにもかかわらず下始動口センサ３５ａが遊技球を検出したり、大当り遊技中でないにもかかわらず大入賞口センサ５２ａが遊技球を検出したりした場合は、これを不正入賞とみなして入賞検出情報を無効化し、その無効化した旨を外部に報知するべく後述のエラー管理処理（ステップＳ０５５）において所定のエラー処理が行われるようになっている。
【０１４０】
次いで、各変動表示ゲームに係る乱数を定期的に更新するタイマ割込内乱数管理処理を行う（ステップＳ０５４）。この定期乱数更新処理では、特別図柄判定用乱数や補助当り判定用乱数の更新（割込み毎に＋１加算）と、乱数カウンタが一周するごとに、乱数カウンタのスタート値を変更する処理を行う。たとえば、特別図柄判定用乱数カウンタの値を所定範囲で更新（＋１加算）し、特別図柄判定用乱数カウンタが１周するごとに、特別図柄判定用乱数カウンタ初期値の生成用カウンタの値を読み出し、その生成用カウンタの値を特別図柄判定用乱数カウンタに格納する。これにより、特別図柄判定用乱数カウンタのスタート値が上記の生成用カウンタの値に応じて変更されるので、更新周期は一定でありながらも特別図柄判定用乱数カウンタのカウント値はランダムになる。
【０１４１】
次いで、遊技動作状態の異常の有無を監視するエラー管理処理を行う（ステップＳ０５５）。このエラー管理処理では、遊技動作状態の異常として、たとえば、基板間に断線が生じたか否かを監視したり、不正入賞があったか否かを監視したりして、これらの動作異常（エラー）が発生した場合には、そのエラーに対応した所定のエラー処理を行う。エラー処理としては、たとえば、所定の遊技動作（たとえば、遊技球の払い出し動作や遊技球の発射動作など）の進行を停止させたり、エラー報知用コマンドを演出制御部２４に送信して、これにより演出制御部２４が、演出手段に対し上記エラーが発生した旨を報知させたりする。
【０１４２】
次いで、賞球管理処理を行う（ステップＳ０５６）。この賞球管理処理では、上記入力管理処理で格納したデータを把握して、上記入賞カウンタの確認を行い、入賞があった場合は、賞球数を指定する払出制御コマンドを払出制御基板（払出制御部）２９に送信する。この払出制御コマンドを受信した払出制御基板２９は、遊技球払出装置１９を制御し、指定された賞球数の払い出し動作を行わせる。これにより、それぞれの入賞口に対応した賞球数（入賞口別に約束づけられた入賞球１個当りの所定の賞球数×入賞カウンタの値分の賞球数）が払い出されるようになっている。
【０１４３】
次いで、普通図柄管理処理を行う（ステップＳ０５７）。この普通図柄管理処理では、普通図柄変動表示ゲームにおける補助当り抽選を行い、その抽選結果に基づいて、普通図柄の変動パターンや普通図柄の停止表示態様を決定したり、所定時間毎に点滅を繰り返す普通図柄のデータ（普通図柄変動中のＬＥＤ点滅表示用データ）を作成し、普通図柄が変動中でなければ、停止表示用のデータ（普通図柄停止表示中のＬＥＤ点滅表示用データ）を作成したりする。なお普通図柄管理処理は、補助遊技抽選手段、普通図柄の変動表示動作を制御する普通図柄表示手段（普通図柄表示制御手段）として機能する。
【０１４４】
次いで、普通電動役物管理処理を行う（ステップＳ０５８）。この普通電動役物管理処理では、普通図柄管理処理（ステップＳ０５７）の補助当り抽選の抽選結果に基づき、普電開放遊技発生に必要な普通電動役物ソレノイド４１ａに対するソレノイド制御用の励磁信号の生成およびそのデータ（ソレノイド制御データ）の設定を行う。ここで設定されたデータに基づき、後述のソレノイド管理処理にて、励磁信号が普通電動役物ソレノイド４１ａに対して出力され、これにより可動翼片４７の動作が制御される。なお普通電動役物管理処理は、補助当り制御手段として機能する。
【０１４５】
次いで、特別図柄管理処理を行う（ステップＳ０５９）。この特別図柄管理処理（大当り判定手段）では、主に、特別図柄変動表示ゲームにおける大当り抽選を行い、その抽選結果に基づいて、特別図柄の変動パターン（先読み変動パターン、変動開始時の変動パターン）や特別停止図柄などを決定する。なお、特別図柄管理処理の詳細は図７にて後述する。
【０１４６】
次に、特別電動役物管理処理を行う（ステップＳ０６０）。この特別電動役物管理処理では、主に、大当り抽選結果が「大当り」または「小当り」であった場合、その当りに対応した当り遊技を実行制御するために必要な設定処理を行う。なお、特別電動役物管理処理の詳細は図１２にて後述する。
【０１４７】
次いで、右打ち報知情報管理処理を行う（ステップＳ０６１）。この右打ち報知情報管理処理では、「電サポ有り状態」の高ベース遊技状態が生起する遊技状態（本実施形態では、確変状態）である場合、右打ち指示情報を報せる「発射位置誘導演出（右打ち報知演出）」を現出させるための処理を行う。ここでの右打ち指示情報は、たとえば、普通図柄始動口３７に入賞を促す指示情報であり、具体的には、発射位置として右流下経路３ｃを狙う旨を指示する情報である。この右打ち情報が報知されるケースとしては、電サポ有り状態下において遊技者が誤って発射位置を左流下経路３ｂ側に狙いを定めていると推定されるケースで、上記電サポ有り状態下において、上始動口３４に入賞が発生した場合や、所定時間経過しても普通図柄始動口３７へ入賞が発生しない場合などが挙げられる。このような場合、この右打ち報知情報管理処理において、演出制御コマンドとして、上記発射位置誘導演出の実行指示する「右打ち指示コマンド」が演出制御部２４に送信され、このコマンドを受けて、演出制御部２４では、上記発射位置誘導演出を現出制御する構成となっている。
【０１４８】
次いで、ＬＥＤ管理処理を行う（ステップＳ０６２）。このＬＥＤ管理処理では、普通図柄表示装置３９ａや特別図柄表示装置３８ａ，３８ｂに対して表示データを出力する。これにより、普通図柄や特別図柄の変動表示および停止表示が行われる。なおステップＳ０５７の普通図柄管理処理で作成された普通図柄の表示データや、ステップＳ０５９の特別図柄管理処理中の特別図柄表示データ更新処理（後述の図７のステップＳ３０９）で作成される特別図柄の表示データは、このＬＥＤ管理処理で出力される。
【０１４９】
次いで、外部端子管理処理を行う（ステップＳ０６３）。この外部端子管理処理では、枠用外部集中端子基板２１を通して、パチンコ遊技機１の動作状態情報をホールコンピュータＨＣや島ランプなどの外部装置に対して出力する。上記動作状態情報には、大当り遊技が発生した旨（条件装置が作動した旨）、小当り遊技が発生した旨、図柄変動表示ゲームが実行された旨（特別図柄変動表示ゲームの開始または終了した旨）、入賞情報（始動口や大入賞口に入賞した旨や賞球数情報）などの情報が含まれる。
【０１５０】
次いで、ソレノイド管理処理を行う（ステップＳ０６４）。このソレノイド管理処理では、ステップＳ０５８の普通電動役物管理処理で作成されたソレノイド制御データに基づく普通電動役物ソレノイド４１ｃに対する励磁信号の出力処理、ステップＳ０６０の特別電動役物管理処理で作成されたソレノイド制御データに基づく大入賞口ソレノイド５２ｃに対する励磁信号の出力処理を行う。これにより、可動翼片４７や開放扉５２ｂが所定のパターンで動作し、下始動口３５や大入賞口５０が開閉される。
【０１５１】
以上のステップＳ０５１〜ステップＳ０６４の処理を終えた後、退避していたレジスタの内容を復帰させて（レジスタ復帰処理）、割込み許可状態に設定する（ステップＳ０６５）。これにより、タイマ割込処理を終了して、割込み前の上記主制御側メイン処理に戻り、次のタイマ割込みが発生するまで主制御側メイン処理を行う。
【０１５２】
（８．特別図柄管理処理：図７）
次に、図６中の特別図柄管理処理（ステップＳ０５９）について説明する。図７は、ステップＳ０５９の特別図柄管理処理の詳細を示すフローチャートである。
【０１５３】
図７において、ＣＰＵ２０１は、まず特別図柄１側（上始動口３４側）に関する特図１始動口チェック処理を行い（ステップＳ３０１）、次いで、特別図柄２側（下始動口３５側）に関する特図２始動口チェック処理を行う（ステップＳ３０２）。
【０１５４】
ステップＳ３０１〜Ｓ３０２の始動口チェック処理を終えると、小当り中フラグの状態を判定する（ステップＳ３０３）。この「小当り中フラグ」とは、小当り遊技中であるか否かを指定するためのフラグで、当該フラグがＯＮ状態（＝５ＡＨ）である場合には小当り遊技中である旨を示し、当該フラグがＯＦＦ状態（＝００Ｈ）である場合には小当り遊技中ではない旨を示す。
【０１５５】
上記小当り中フラグがＯＦＦ状態（＝００Ｈ）の場合（ステップＳ３０３：≠５ＡＨ）、次いで、条件装置作動フラグの状態を判定する（ステップＳ３０４）。この「条件装置作動フラグ」とは、大当り遊技中であるか否かを指定するためのフラグで、当該フラグがＯＮ状態（＝５ＡＨ）である場合には大当り遊技中である旨を示し、当該フラグがＯＦＦ状態（＝００Ｈ）である場合には大当り遊技中ではない旨を示す。
【０１５６】
上記条件装置作動フラグがＯＦＦ状態（＝００Ｈ）の場合（ステップＳ３０４：≠５ＡＨ）、すなわち、小当り遊技中でもなく大当り遊技中でもない場合（ステップＳ３０３：≠５ＡＨ、かつステップＳ３０４：≠５ＡＨ）、特別図柄動作ステータス（００Ｈ〜０３Ｈ）に応じて、特別図柄の変動表示動作に関する処理を行う（ステップＳ３０５：特別図柄動作ステータス分岐処理）。一方、小当り遊技中（ステップＳ３０３：＝５ＡＨ）、または大当り遊技中である場合には（ステップＳ３０４：＝５ＡＨ）、ステップＳ３０６〜Ｓ３０８の特別図柄の変動表示動作に関する処理を行わずに、そのままステップＳ３０９の特別図柄表示データ更新処理に進む。したがって、小当り遊技中または大当り遊技中のいずれかである場合には、特別図柄の変動表示動作は行われない（特別図柄表示装置の特別図柄の表示状態は、小当り後または大当り後に確定表示されたままの状態が保持されている）。なお「特別図柄動作ステータス」とは、特別図柄の挙動を示すステータス値であり、このステータス値は処理状態に応じて変更され、ＲＡＭ２０３の特別図柄動作ステータス格納領域に格納される。
【０１５７】
ステップＳ３０５の特別図柄動作ステータス分岐処理では、特別図柄動作ステータスが「待機中（００Ｈ、０１Ｈ）」「変動中（０２Ｈ）」「確認中（０３Ｈ）」のいずれのステータス値であるかに応じて、それぞれに対応する処理を実行する。
【０１５８】
具体的には、特別図柄動作ステータスが「待機中（０１Ｈ）」である場合には、特別図柄変動開始処理（ステップＳ３０６）を、「変動中（０２Ｈ）」である場合には、特別図柄変動中処理（ステップＳ３０７）を、「確認中（０３Ｈ）」である場合には、特別図柄確認時間中処理（ステップＳ３０８）を実行する。ここで上述の「待機中」とは、特別図柄の挙動が次回変動のための待機状態である旨を示し、「変動中」とは特別図柄の挙動が変動（変動表示）中である旨を示し、上記「確認中」とは特別図柄の変動が終了して停止（確定）表示中（特別図柄確認時間中）である旨を示す。これらの処理により、特別図柄の変動開始および変動停止を一セットする変動表示動作が実現されることになる。なお、上記の特別図柄変動開始処理（ステップＳ３０６）、特別図柄変動中処理（ステップＳ３０７）、および特別図柄確認時間中処理（ステップＳ３０８）の詳細は、後述する。
【０１５９】
上記ステップＳ３０６〜Ｓ３０８のいずれかの処理を終えると、後述のステップＳ３０９の特別図柄表示データ更新処理を行う。この特別図柄表示データ更新処理では、特別図柄が変動中であるか否かを判定し、変動中であれば、所定時間（たとえば０．５秒）毎に点滅を繰り返す特別図柄のデータ（特別図柄変動中の７セグ点滅表示用データ）を作成し、特別図柄が変動中でなければ、停止表示用のデータ（特別図柄停止表示中の７セグ点滅表示用データ）を作成する。ここで作成した特別図柄の表示データは、図６のＬＥＤ管理処理（ステップＳ０６２）で出力され、特別図柄表示装置３８ａ、３８ｂ上における特別図柄の変動表示および停止表示が実現される。これにより特別図柄管理処理を抜けて、図６のステップＳ０６０の特別電動役物管理処理に進む。
【０１６０】
（８−１．特図１始動口チェック処理、特図２始動口チェック処理：図８）
まず、特図１始動口チェック処理（図７のステップＳ３０１）について説明する。図８は、上記のステップＳ３０１の特図１始動口チェック処理の詳細を示すフローチャートである。この特図１始動口チェック処理は、所定の始動条件の成立に基づいて実行される入賞時処理としての役割を果たし、ここでは、特別図柄変動表示ゲーム１を実行させるための開始前処理として、上始動口３４の入賞発生に起因した特図１側の作動保留球数の加算処理、各種乱数の記憶処理、保留加算コマンドの作成処理などが行われる。
【０１６１】
なお特図２始動口チェック処理（ステップＳ３０２）は、特図１始動口チェック処理と同じく、所定の始動条件の成立に基づいて実行される入賞時処理としての役割を果たし、特別図柄変動表示ゲーム２を実行させるための開始前処理として、下始動口３５の入賞発生に起因した特図２側の作動保留球数の加算処理、各種乱数の記憶処理、および保留加算コマンドの作成処理などが行われ、特図１始動口チェック処理と基本的に同じ処理手順を踏む。本明細書中では、重複記載を避けるために、特図１始動口チェック処理についてのみ説明し、特図２始動口チェック処理（ステップＳ３０２）についての説明は省略する。
【０１６２】
図８において、ＣＰＵ２０１は、まず上始動口３４において入賞（入賞球）を検出したか否かを判定する（ステップＳ３１１）。
【０１６３】
上始動口３４の入賞を検出した場合（ステップＳ３１１：ＹＥＳ）、特別図柄１の作動保留球数が４以上であるか否か判定する（ステップＳ３１２）。すなわち、特別図柄１に係る作動保留球（以下、「特図１作動保留球」と称する）の数が最大保留記憶数（ここでは、上限４個）未満であるか否かを判定する。なお、上始動口３４の入賞検出がなかった場合は（ステップＳ３１１：ＮＯ）、何もしないで特図１始動口チェック処理を抜ける。
【０１６４】
特図１作動保留球数が４以上である場合（ステップＳ３１２：ＹＥＳ）、後述のステップＳ３２５の処理に進み、特図１作動保留球数が４以上でない場合、つまり４未満の場合は（ステップＳ３１２：ＮＯ）、特図１作動保留球数に１加算（＋１）して（ステップＳ３１３）、ステップＳ３１４の処理に進む。
【０１６５】
ステップＳ３１４の処理に進むと、今回発生した特図１作動保留球に係る特別図柄変動表示ゲーム１に利用される各種乱数を取得する（ステップＳ３１４）。具体的には、乱数カウンタから大当り判定用乱数、特別図柄判定用乱数、変動パターン用乱数１、変動パターン用乱数２の現在値を取得し、その取得した乱数値をＲＡＭ２０３の保留記憶エリアに格納する。この保留記憶エリアは、図柄変動表示ゲームに係る所定の遊技情報を作動保留球（保留データ）として記憶する領域であり、この保留記憶エリアには、保留データとしての上記の各種乱数値が特別図柄１の変動表示動作に供されるまで（特別図柄変動表示ゲーム１実行時まで）、始動条件の成立順（入賞順）に保留記憶されていく。なお上記保留記憶エリアには、特別図柄１側と特別図柄２側とに対応した保留記憶エリア（特別図柄１に対応する特図１保留記憶エリア（第１の保留記憶エリア）と、特別図柄２に対応する特図２保留記憶エリア（第２の保留記憶エリア））が設けられている。これら保留記憶エリアには、保留１記憶エリア〜保留ｎ記憶エリア（ｎは最大作動保留球数：本実施形態では、ｎ＝４）が設けられており、それぞれ最大作動保留球数分の保留データを格納可能となっている（保留記憶順番は、保留１記憶エリア、保留２記憶エリア、・・・、保留ｎ−１記憶エリア、保留ｎ記憶エリアの順に格納されるようになっている）。
【０１６６】
なお上記各種乱数のうち、特別図柄判定用乱数、変動パターン用乱数１、および変動パターン用乱数２は、それぞれに対応したソフトウェア的に乱数を生成する乱数カウンタから抽出される。これら乱数カウンタの乱数値は、ＲＡＭ２０３に設けられた各々に対応したカウント値記憶領域において、間欠的に生じる割込み処理と割込み処理の間に実行されるメイン処理において乱数的に更新されているので、その値がそのまま取得されるようになっている。また大当り判定用乱数値は、ハードウェア的に乱数を生成する乱数生成回路（大当り判定用乱数値をカウントするための大当り判定用乱数カウンタ：図示せず）から取得される。この乱数生成回路は、上始動口センサ３４ａまたは下始動口センサ３４ａから遊技球の検出信号が入力されると、このタイミングにおけるカウント値をラッチして、そのカウント値がマイクロコンピュータに入力されるようになっている。
【０１６７】
次いで、保留加算コマンドを作成し、これを演出制御部２４に送信する（ステップＳ３１５：保留加算コマンド送信処理）。この保留加算コマンドは、保留球数情報が含まれる。本実施形態では、作動保留球数が４以上の場合に新たな入賞があった場合にもオーバーフロー（ｏｖｅｒｆｌｏｗ）入賞時の保留加算コマンド（以下、「ＯＦ保留加算コマンド」と略す）が作成され、演出制御部２４に送信されるようになっている。なおＣＰＵ２０１は、作成した上記「保留加算コマンド」をＲＡＭ２０３に格納することなく、演出制御部２４に送信する。
【０１６８】
保留加算コマンドをＲＡＭ２０３に格納しない理由は次の通りである。上記保留加算コマンドが主制御部２０から演出制御部２４に送られた後は、演出制御部２４側において、演出手段（たとえば、液晶表示装置３６）に対して、専ら今回の作動保留球数情報の報知や、入賞があった旨を示す入賞演出（たとえば、始動口に入賞した旨を示す音演出や光演出）を現出を際に利用され、その後、特に利用されるものではない。したがって、保留加算コマンドをＲＡＭ２０３に格納せずに、始動口チェック処理（ステップＳ３０１、Ｓ３０２）を抜けても特に問題はない。本実施形態では、保留加算コマンドをＲＡＭ２０３に格納することなく、上記始動口チェック処理を終えるといった処理を採用することで、ＲＯＭやＲＡＭのメモリ容量を削減し、制御負担を軽減させることを可能にしている。
【０１６９】
（８−３．特別図柄変動開始処理：図９）
次に、特別図柄変動開始処理（ステップＳ３０６）について説明する。図９は、図７のステップＳ３０６の特別図柄変動開始処理の詳細を示すフローチャートである。
【０１７０】
図９において、ＣＰＵ２０１は、まず特図２作動保留球数がゼロか否かを判定し（ステップＳ４０１）、特図２作動保留球数がゼロでない場合には（ステップＳ４０１：ＮＯ）は、ステップＳ４０３の処理に進み、今回の変動表示に供する作動保留球を対象とした変動開始時の処理（ステップＳ４０３〜Ｓ４１６）を行う。しかし特図２作動保留球数がゼロの場合には（ステップＳ４０１：ＹＥＳ）、続いて特図１作動保留球数がゼロか否かを判定し（ステップＳ４０２）、特図１作動保留球数がゼロでない場合には（ステップＳ４０２：ＮＯ）は、ステップＳ４０３の処理に進み、今回の変動表示に供する作動保留球を対象とした特別図柄の変動開始に係る処理（ステップＳ４０３〜Ｓ４１６）を行う。このステップＳ４０１とＳ４０２の処理により、特図１作動保留球と特図２作動保留球のどちらを優先的に変動表示動作に供するか（どちらの作動保留球を消化していくか）の「優先変動順位」が定まる。ステップＳ４０１とＳ４０２の処理は、特図１作動保留球と特図２作動保留球の双方に作動保留球が存在する場合、特図２作動保留球を優先的に消化させる「優先変動手段」として機能する。
【０１７１】
なお特図２作動保留球数と特図１作動保留球数の双方の作動保留球数がゼロである場合（ステップＳ４０１：ＹＥＳ、かつステップＳ４０２：ＹＥＳ）、この「作動保留球なし」の状態は、特別図柄が待機中でかつ保留記憶なしの状態となった場合であり、この状態に突入したことを演出制御部２４側に知らせる。そこで、「作動保留球なし」になった場合は、ステップＳ４１７に進み、特別図柄動作ステータスを「待機中（００Ｈ）」に切り替え（特別図柄動作ステータスに００Ｈを格納：ステップＳ４１８）、演出制御コマンドとして、デモ画面を表示させるための「デモ表示コマンド」を演出制御部２４に送信する（ステップＳ４１９）。演出制御部２４は、このデモ表示コマンドを受けてから所定時間経過しても図柄変動表示ゲームに係る演出制御コマンド（たとえば、保留加算コマンドや変動パターン指定コマンド）を受けない場合、変動表示動作が一定時間行われない状態（客待ち待機状態）が発生したとみなし、液晶表示装置３６において、遊技待機状態中を報知する「デモ画面表示」を行うこととしている。
【０１７２】
特図１作動保留球数または特図２作動保留球数がゼロでない場合は（ステップＳ４０１：ＮＯまたはＳ４０２：ＮＯ）、今回の変動表示に供する作動保留球を対象とした特別図柄の変動開始に係る処理（ステップＳ４０３〜Ｓ４１７）を行っていく。なお、以下に説明するステップＳ４０３〜Ｓ４１７の処理については、上記のステップＳ４０１の判定で‘ＮＯ’であった場合は特図２作動保留球を対象とした処理、上記のステップＳ４０２の判定で‘ＮＯ’であった場合は特図１作動保留球を対象とした処理となるが、処理の仕方は同じであるため、重複記載を避けるために特に必要が無い限り、特別図柄１側の作動保留球を対象とした処理なのか、特別図柄２側の作動保留球を対象とする処理なのかという区別せずに説明していく。
【０１７３】
ステップＳ４０３に進むと、作動保留球数を１減算し（今回の変動表示動作に供する特別図柄側に係る作動保留球数−１：ステップＳ４０３）、減算後の作動保留球数情報が含む「保留減算コマンド」を演出制御部２４に送信する（ステップＳ４０４）。
【０１７４】
次いで、特別図柄作動確認データを格納する（ステップＳ４０５）。この特別図柄作動確認データは、今回の変動開始側の特別図柄種別を指定する情報であり、たとえば、特別図柄１が変動開始側であるならば「００Ｈ」を、特別図柄２が変動開始側であるならば「０１Ｈ」を特別図柄作動確認データに格納する。
【０１７５】
次いで、ＲＡＭ２０３の保留記憶エリアに格納されている保留データをシフトして（ステップＳ４０６）、保留４記憶エリアをゼロクリアする（ステップＳ４０７）。このステップＳ４０６〜Ｓ４０７の処理では、保留記憶数ｎ＝１に対応する保留記憶エリア（保留１記憶エリア）に格納されている保留データ（大当り判定用乱数、特別図柄判定用乱数、変動パターン用乱数１、および変動パターン用乱数２）を読み出し、ＲＡＭ２０３の判定用乱数記憶エリアに格納するとともに、保留ｎ記憶エリア（ｎ＝２、３、４）に対応する保留記憶エリア（保留２記憶エリア、保留３記憶エリア、保留４記憶エリア）に格納されている保留データを、それぞれ‘ｎ−１’に対応する保留記憶エリアに格納し（ステップＳ４０６）、保留４記憶エリアをクリアする（ステップＳ４０７）。つまり、保留１記憶エリアの保留データを判定用乱数記憶エリアにシフトするとともに、保留２記憶エリア以降の保留データを１つずつ下位側の番号（保留２記憶エリア→保留１記憶エリア、保留３記憶エリア→保留２記憶エリア、保留４記憶エリア→保留３記憶エリア）にそれぞれシフトして上書きし、保留４記憶エリアに空き領域を設ける（新たな作動保留球が発生しない場合は、ステップＳ４０７の処理を行うごとに空き領域が順次シフトされていくので、全作動保留球消化時には、全保留記憶エリアが空き領域となる）。これにより、特別図柄変動表示ゲームの開始順番は、作動保留球数ｎ（ｎ＝１、２、３、４）の順番と一致し、始動口入賞時に取得された作動保留球がいずれの保留記憶エリアに対応するものであるかが特定されるとともに、新たな作動保留球の保留記憶が可能になる。
【０１７６】
次いで、残り時短回数コマンド送信処理を行う（ステップＳ４０８）。ここでは、後述の特別図柄時短回数カウンタ（特別図柄時短状態が終了するまでの残り回数を計数するためのカウンタ）がゼロであるか否かを判定し、残りの時短回数がある場合は、その残り時短回数情報を含む「残り時短回数コマンド」を演出制御部２４に送信する（ステップＳ４０８）。この「残り時短回数コマンド」は、演出制御部２４側において、残りの時短回数情報を報知する際に利用される。
【０１７７】
次いで、特別電役物作動判定用乱数判定処理を行う（ステップＳ４０９）。この特別電役物作動判定用乱数判定処理では、大当り判定用乱数値を利用し、今回の特別図柄変動表示ゲームに係る「当落抽選」を行う。ここではまず、特別図柄作動確認データに基づき、特図１用当り乱数判定テーブル（図示せず）か、または特図２用当り乱数判定テーブル（図示せず）を取得し、判定用乱数記憶エリアに格納された大当り判定用乱数値を取得するし、大当り、小当り、およびハズレの別の抽選を行う。この当り乱数判定テーブルには、大当り抽選確率状態（高確率状態（高確）、低確率状態（低確））と、大当り判定用乱数値（大当り判定用乱数の大きさ：６５５３６）に応じて当落種別（大当りか小当りかハズレの別）を決定するための判定領域（判定値）とが関連付けて定められており、具体的には、大当り判定用乱数値がいずれの判定値に属するか否かにより、大当りか小当りかハズレかの別が決定されるようになっている。したがって、取得した大当り判定用乱数値が同じ判定値に属する場合（大当り判定用乱数値が同じ値）であっても、現在の大当り抽選確率状態が、高確率状態であるか低確率状態であるかにより、一方では「大当り」、他方では「ハズレ」となるといったように、当落種別が異なる場合がある。本実施形態の大当り当選確率は、低確率状態では約１／３９７で、高確率状態ではそれよりも１０倍程度上昇した約１／３９．７で、大当りに当選するようになっており、小当りの当選確率は、大当りの当選確率よりも低い、約１／５８５となっている。しかし本発明はこれに限らず、小当りと大当りとの当選確率の同一またはそれよりも高く定めても良い。
【０１７８】
この当落抽選により、「大当り」当選となった場合には大当り判定フラグが「５ＡＨ」に設定され、大当り判定フラグが「５ＡＨ」となる判定値以外は、「大当り非当選」となる。また「小当り」当選となった場合には小当り判定フラグが「５ＡＨ」となり、それ以外の判定値に属する場合には、「小当り非当選」となる。したがって大当り判定用乱数値が、大当り判定フラグ「００Ｈ」、かつ小当り判定「００Ｈ」となる判定値に属する場合、「大当り」および「小当り」のいずれにも当選しなかったことになり、今回の当落判定結果は‘ハズレ’となる。なお本実施形態では、特別図柄変動表示ゲーム２による当落抽選（特図１作動保留球を対象とした当落抽選）では、小当り当選となる判定値自体が存在していない。すなわち、特別図柄変動表示ゲーム１では、大当り、小当り、およびハズレが当落抽選対象とされるが、特別図柄変動表示ゲーム２では、大当りとハズレだけが当落抽選対象とされる。勿論、特図２用当り乱数判定テーブルについても、小当りを当落抽選対象として定めても良い。なお、特図２用当り乱数判定テーブルにおける大当りの当選確率は、特図１用当り乱数判定テーブルと同じ当選確率となっている。
【０１７９】
ステップＳ４０９の特別電役物作動判定用乱数判定処理を終えると、次いで、特別停止図柄作成処理を行う（ステップＳ４１０）。この特別停止図柄作成処理では、ステップＳ４０９の特別電役物作動判定用乱数判定処理の当落抽選結果と特別図柄判定用乱数値を利用し、今回の特別図柄変動表示ゲームに係る「図柄抽選」を行う。ここではまず、まず判定用乱数記憶エリアに格納された特別図柄判定用乱数値を取得し、次いで、ステップＳ４０９の特別電役物作動判定用乱数判定処理で得られた当落抽選結果、つまり大当り判定フラグと小当り判定フラグとを取得する。そして、特別図柄作動確認データに基づき、特図１用図柄テーブル（図示せず）か、または特図２用図柄テーブル（図示せず）を取得する。上記の図柄テーブルには、「特別図柄判定用乱数値（特別図柄判定用乱数値の大きさ：２００）」と、当り（当選）種別を決定するための判定領域（判定値）とが関連付けて定められており、具体的には、特別図柄判定用乱数値がいずれの判定値に属するか否かにより、当り種別を識別するための特別図柄判定データおよび特別停止図柄番号などが決定されるようになっている。
【０１８０】
上記「特別図柄判定データ」とは当り種別、つまり２Ｒ短開放潜確大当り、１０Ｒ長開放確変大当り、１５Ｒ長開放確変大当り、小当りＡ〜Ｃ、ハズレＡ〜Ｃのいずれかに当選した旨を識別するためのデータである。具体的には、大当りである場合において（大当り判定フラグ＝５ＡＨ、小当り判定フラグ＝００Ｈの場合）、特別図柄判定データが「０１Ｈ」の場合は‘２Ｒ短開放潜確大当り’、「０２Ｈ」の場合は‘１０Ｒ長開放確変大当り’、「０３Ｈ」の場合は‘１５Ｒ長開放確変大当り’である旨を示す。また、小当りである場合において（大当り判定フラグ＝００Ｈ、小当り判定フラグ＝５ＡＨの場合）、特別図柄判定データが「０１Ｈ」の場合は‘小当りＡ’、「０２Ｈ」の場合は‘小当りＢ’、「０３Ｈ」の場合は‘小当りＣ’である旨を示す。なおハズレである場合においては（大当り判定フラグ＝００Ｈ、小当り判定フラグ＝００Ｈの場合）、特別図柄判定データが「００Ｈ」の場合は‘ハズレＡ〜Ｃ’である旨を示す。この特別図柄判定データは、遊技状態移行制御に関する処理（たとえば、図９のステップＳ４１１の遊技状態移行準備処理）や、大当り遊技に関する処理（たとえば、特別電動役物処理（ステップＳ０６０））において利用されるデータである。また上記の「特別停止図柄番号」とは、特別図柄表示装置に停止表示する特別停止図柄態様を指定するデータであり、主制御部２０側において特別図柄の停止図柄種を特定する際に利用される。
【０１８１】
上記図柄テーブルには、たとえば、当落抽選結果が大当り当選である場合において、特別図柄判定用乱数値が判定値０〜１１９の範囲に属する場合には「２Ｒ短開放潜確大当り」当選となり（図柄選択率（図柄抽選確率）：１２０／２００）、判定値１２０〜１７９の範囲に属する場合には「１０Ｒ長開放確変大当り」当選となり（図柄選択率：６０／２００）、判定値１８０〜１９９の範囲に属する場合には「１５Ｒ長開放確変大当り」当選となり（図柄選択率：２０／２００）、複数種類の大当りのうちからいずれか一つの大当りが（具体的には、当り種別に対応する特別図柄判定データとこれに対応する特別停止図柄番号）、所定の図柄選択率で決定されるようになっている。なお、当落抽選結果が小当り当選である場合も同様に、小当り種別（小当りＡ〜Ｃ）が図柄選択率で決定されるようになっており、また当落抽選結果がハズレ当選も同様に、ハズレ種別（ハズレＡ〜Ｃ）が所定の図柄選択率で決定されるようになっている。
【０１８２】
ステップＳ４１０の特別停止図柄作成処理を終えると、次いで、遊技状態移行準備処理を行う（ステップＳ４１１）。この遊技状態移行準備処理では、遊技状態を移行させるための設定として、大当り遊技後の遊技状態を指定するために必要な設定処理を行う。ここでは、大当りである場合、大当り用遊技状態移行テーブル（図示せず）に基づき、大当り遊技後に移行される遊技状態を指定するためのデータを所定のバッファ領域（移行状態バッファ領域）に設定する。
【０１８３】
上記大当り用遊技状態移行テーブルには、大当り遊技後の遊技状態を指定するために必要なデータ群が定められている。具体的には、上記大当り用遊技状態移行テーブルには、後述の、普電役物開放延長移行状態バッファ、普通図柄時短移行状態バッファ、普通図柄確変移行状態バッファ、特別図柄時短状態移行状態バッファ、特別図柄確変移行状態バッファ、特別図柄時短回数カウンタバッファ、特別図柄確変回数カウンタバッファ、変動パターン振分指定番号バッファ、および特別図柄変動回数カウンタバッファに格納するための各種のデータが定められている。これらのバッファに格納された値は、大当り遊技の終了時（後述するステップＳ０６０の特別電動役物管理処理中の大当り終了処理：図１２、図１７参照）に読み出され、ＲＡＭ２０３に設けられた所定のフラグ記憶領域や所定のカウンタ記憶領域（遊技状態を指定するための、普電役物開放延長状態フラグ、普通図柄時短状態フラグ、普通図柄確変状態フラグ、特別図柄時短状態フラグ、特別図柄確変状態フラグ、特別図柄時短回数カウンタ、特別図柄確変回数カウンタ、変動パターン振分指定番号、および特別図柄変動回数カウンタ）に設定されて、大当り遊技後に移行される遊技状態が定まるようになっている。本実施形態では、大当り遊技後の内部遊技状態については、１５Ｒまたは１０Ｒ長開放確変大当りの場合には、当選時の内部遊技状態が通常遊技状態または潜確状態であれば「確変状態」に、２Ｒ短開放潜確大当りの場合には、当選時の内部遊技状態が通常遊技状態または潜確状態あれば「潜確状態」に移行されるようにになっており、遊技状態（通常Ａ〜Ｃ、確変状態）については、図４に示すように、各大当り種別に応じた遊技状態に移行されるようになっている。以下に、上述の各種バッファと各種フラグの役割について説明しておく。
【０１８４】
（普電役物開放延長移行状態バッファ）
「普電役物開放延長移行状態バッファ」は、普電役物開放延長状態フラグの設定を行うために利用される。「普電役物開放延長状態フラグ」とは、開放延長機能の作動状態を指定するためのフラグで、当該フラグがＯＮ状態（＝５ＡＨ）である場合には開放延長機能作動中の「電サポ有り状態」である旨を示し、当該フラグがＯＦＦ状態（＝００Ｈ）である場合には開放延長機能非作動の「電サポ無し状態」である旨を示す。
【０１８５】
（普通図柄時短移行状態バッファ）
「普通図柄時短移行状態バッファ」は、普通図柄時短状態フラグの設定を行うために利用される。「普通図柄時短状態フラグ」とは、普通図柄時短機能の作動状態を指定するためのフラグで、当該フラグがＯＮ状態（＝５ＡＨ）である場合には普通図柄時短機能作動中の「普通図柄時短状態」である旨を示し、当該フラグがＯＦＦ状態（＝００Ｈ）である場合には普通図柄短機能非作動の「普通図柄非時短状態」である旨を示す。
【０１８６】
（普通図柄確変移行状態バッファ）
「普通図柄確変移行状態バッファ」は、普通図柄確変状態フラグの設定を行うために利用される。「普通図柄確変状態フラグ」とは、補助当り抽選確率状態、つまり普通図柄確変機能の作動状態を指定するためのフラグで、当該フラグがＯＮ状態（＝５ＡＨ）である場合には普通図柄確変機能作動中の「補助当り確変状態」である旨を示し、当該フラグがＯＦＦ状態（＝００Ｈ）である場合には普通図柄確変機能非作動の「補助当り低確率状態」である旨を示す。
【０１８７】
（特別図柄時短状態移行状態バッファ）
「特別図柄時短状態移行状態バッファ」は、特別図柄時短状態フラグの設定を行うために利用される。「特別図柄時短状態フラグ」とは、特別図柄時短機能の作動状態を指定するためのフラグで、当該フラグがＯＮ状態（＝５ＡＨ）である場合には特別図柄時短機能作動中の「特別図柄時短状態」である旨を示し、当該フラグがＯＦＦ状態（＝００Ｈ）である場合には特別図柄時短機能非作動の「特別図柄非時短状態」である旨を示す。
【０１８８】
（特別図柄確変移行状態バッファ）
「特別図柄確変移行状態バッファ」は、特別図柄確変状態フラグの設定を行うために利用される。「特別図柄確変状態フラグ」とは、特別図柄確変機能の作動状態を指定するためのフラグで、当該フラグがＯＮ状態（＝５ＡＨ）である場合には特別図柄確変機能作動中の「高確率状態」である旨を示し、当該フラグがＯＦＦ状態（＝００Ｈ）である場合には特別図柄確変機能非作動の「低確率状態」である旨を示す。
【０１８９】
（特別図柄時短回数カウンタバッファ）
「特別図柄時短回数カウンタバッファ」は、特別図柄時短回数カウンタの設定を行うために利用される。上記「特別図柄時短回数カウンタ」とは、特別図柄の変動回数（特別変動表示ゲームの実行回数）により「特別図柄時短機能」の作動が終了するまでの残り回数、つまり「特別図柄時短状態」が終了するまでの残り回数を計数するためのカウンタである。を計数するためのカウンタである。なお本実施形態では、特別図柄時短状態の終了に伴い、電サポ有り状態である高ベース遊技状態も終了されるようになっている（図１１ＢのステップＳ４８１参照）。
【０１９０】
（特別図柄確変回数カウンタバッファ）
「特別図柄確変回数カウンタバッファ」は、特別図柄確変回数カウンタの設定を行うために利用される。上記「特別図柄確変回数カウンタ」とは、特別図柄の変動回数（特別変動表示ゲームの実行回数）により「特別図柄確変機能」の作動が終了するまでの残り回数、つまり「高確率状態」が終了するまでの残り回数（残りＳＴ回数（本実施形態では、７０回））を計数するためのカウンタである。
【０１９１】
（変動パターン振分指定番号バッファ）
「変動パターン振分指定番号バッファ」は、変動パターン振分指定番号（Ｔｃｏｄｅ）の設定を行うために利用される。この「変動パターン振分指定番号（Ｔｃｏｄｅ）」とは、現在の遊技状態を識別するデータであり、遊技状態に応じた特別図柄の変動パターンを選択する際の条件を定める‘変動パターン選択モード’として働く。たとえば、変動パターン振分指定番号（Ｔｃｏｄｅ）が「００Ｈ」の場合は「通常Ａ」を示し、「０１Ｈ」の場合は「通常Ｂ」を示し、「０２Ｈ」の場合は「通常Ｃ」を示し、「０３Ｈ」の場合は「確変状態（確変）」を示す。本実施形態では、この変動パターン振分指定番号（Ｔｃｏｄｅ）に関連する複数種類の特別図柄の変動パターンが設けてあり、当該変動パターンは、この変動パターン振分指定番号（Ｔｃｏｄｅ）と、上記変動パターン用乱数値１、２とにより、複数種類の特別図柄の変動パターンから択一的に決定されるようになっている（詳細は後述する）。上記変動パターン振分指定番号（Ｔｃｏｄｅ）は、内部遊技状態が変化あった場合ではなく、遊技状態に変化があった場合に変更される。つまり変動パターン振分指定番号（Ｔｃｏｄｅ）は、確変状態、通常Ａ、通常Ｂ、または通常Ｃのいずれであるか、といった現在の「遊技状態」種を識別するデータである。この変動パターン振分指定番号（Ｔｃｏｄｅ）は、ＲＡＭ２０３の変動パターン振分指定番号格納領域に設定される。なお内部遊技状態を識別するデータとして、本実施形態では、遊技状態判定番号（ＹＪ）を設けてある。この「遊技状態判定番号（ＹＪ）」は、「通常遊技状態（電サポ無し状態、低確）」、「潜確状態（電サポ無し状態、高確）」または「確変状態（電サポ有り状態、高確）」のいずれであるか、といった現在の「内部遊技状態」種を識別するデータであり、変動パターン振分指定番号（Ｔｃｏｄｅ）とは区別される。
【０１９２】
（特別図柄変動回数カウンタバッファ）
「特別図柄変動回数カウンタバッファ」は、特別図柄変動回数カウンタの設定を行うために利用される。上記「特別図柄変動回数カウンタ」とは、遊技状態移行条件となる特別図柄の変動回数（以下、「遊技状態移行規定回数」と称する）を計数するためのカウンタである。本実施形態では、たとえば、「小当りＣ」や「２Ｒ短開放潜伏確変大当り」に当選した場合、「通常Ｃ」から「通常Ａ」の遊技状態移行条件として、遊技状態移行規定回数の３０回が設定される。
【０１９３】
ステップＳ４１１の遊技状態移行準備処理を終えると、次いで、特別図柄変動パターン作成処理を行う（ステップＳ４１２）。この特別図柄変動パターン作成処理では、特別電役物作動判定用乱数判定処理で得られた当落抽選結果、特別停止図柄作成処理の図柄抽選結果、変動パターン用乱数１、および変動パターン用乱数２を利用し、今回の変動表示動作に供されることとなる特別図柄の変動パターン（特別図柄の変動時間（変動表示動作時間）を含む）を決定するとともに、演出制御コマンドとして、その変動パターンに対応する変動パターン指定コマンドを作成する。
【０１９４】
変動パターンの決定は、次のような階層的な処理により変動パターンを決定する。第１階層目の処理として、ＣＰＵ２０１は、まず変動パターン振分指定番号（現在の遊技状態（通常Ａ〜通常Ｃ、確変状態））と、大当り抽選結果とに関連付けられた複数種類の基本パターンのうちから、変動パターン用乱数値１（乱数の大きさ：２３８）を利用した抽選処理により、いずれかの「基本パターン」を決定する。この「基本パターン」とは、複数種類の変動パターンをその変動態様の特徴に着目して、同じ系統の変動パターンを纏めてグループ化した‘変動パターン種別（たとえば、同系統の変動パターンとして、弱ＳＰリーチ１〜３指定の各変動パターンが属する「弱ＳＰリーチ」種別や、強ＳＰリーチ１〜３指定の各変動パターンが属する「強ＳＰリーチ」種別など）’を指す。次いで、第２階層目の処理として、変動パターン用乱数値２を用いた抽選処理により、基本パターンの具体的内容である「詳細パターン」を決定する。この「詳細パターン」とは、上記基本パターン（変動パターン種別）に含まれる‘変動パターンの種類’（たとえば、「弱ＳＰリーチ１〜３」や、「弱ＳＰリーチ１〜３」などの個々の変動パターン）を指す。本実施形態では、第１階層、第２階層といった階層構造を有して第１階層から順番に実行される階層的な処理を利用し、複数種類の変動パターン用乱数値を順次判定していくことにより、目的とする変動パターン（変動開始時の変動パターン）が決定されるようになっている。
【０１９５】
このようにして決定された変動パターンに関する情報には、主に、当り・ハズレの別の当落抽選結果（詳細な図柄抽選結果情報は、装飾図柄指定コマンドに含まれる）、現在の遊技状態種別、変動時間、リーチ演出種（Ｎリーチ、弱ＳＰリーチ、および強ＳＰリーチの種類）指定情報、および疑似連回数の指定情報が含まれる。
【０１９６】
ＣＰＵ２０１は、その内容を特定可能とする２バイト構成の「変動パターン指定コマンド」を作成し、これを演出制御部２４側へと送信する。この変動パターン指定コマンドが演出制御部２４に送られると、これに続き、後述の装飾図柄指定コマンドが送信されるようになっている（ステップＳ４１５参照）。これらコマンド受けた演出制御部２４は、そのコマンドに含まれる情報に基づき、今回の図柄変動表示ゲーム中の展開する演出（リーチ図柄や最終的に停止表示する停止装飾図柄態様を含む演出シナリオ）を決定し、その演出に基づく演出制御処理を行う。かくして、図柄変動表示ゲーム中の装飾図柄の変動表示動作とこれに付随して発生する各種の演出が実現される。
【０１９７】
ステップＳ４１２の特別図柄変動パターン作成処理を終えると、次いで、変動表示中である旨を指定する特別図柄Ｎ変動中フラグ（Ｎ＝１、２）に５ＡＨ（ＯＮ状態）を格納する（ステップＳ４１３）。上記「特別図柄Ｎ変動中フラグ」とは特別図柄１、２のどちらの特別図柄が変動中であるかを示すフラグで、当該フラグがＯＮ状態（＝５ＡＨ）である場合には特別図柄が変動中である旨を示し、当該フラグがＯＦＦ状態（＝００Ｈ）である場合には特別図柄が停止中である旨を示す。なお、特別図柄１変動中フラグ（Ｎ＝１）は特別図柄１側に対応し、特別図柄２変動中フラグ（Ｎ＝２）は特別図柄２側に対応する。
【０１９８】
次いで、ステップＳ４１０の特別停止図柄作成処理で得られた図柄抽選結果に基づき、装飾図柄指定コマンドを作成し（ステップＳ４１４）、演出制御部２４に送信する（ステップＳ４１５）。装飾図柄指定コマンドは、変動側の特別図柄種別を指定する上位バイト（ＭＯＤＥ）と、当選種別を指定する下位バイト（ＥＶＮＥＴ）の２バイトで構成される。したがって、この装飾図柄指定コマンドには、変動側の特別図柄種別情報と大当り抽選結果情報（図柄抽選結果情報）とが含まれる。この装飾図柄指定コマンドは、演出制御部２４側において、主として、リーチ状態を形成する際の装飾図柄の組合せ（リーチ図柄）や、最終的に停止表示させる装飾図柄（装飾停止図柄）の組合せを決定する際に利用される。
【０１９９】
そして、特別図柄の変動開始時設定処理として、特別図柄動作ステータス「変動中（０２Ｈ）」に切り替え（特別図柄動作ステータスに０２Ｈを格納）、判定用乱数記憶エリアに００Ｈを格納する（ゼロクリアする）（ステップＳ４１６）。この特別図柄の変動開始時設定処理は後述するデータセット処理（図１９）により行う。
【０２００】
以上により、この特別図柄変動開始処理を抜けると、図７の特別図柄表示データ更新処理（ステップＳ３０９）を行い、かくして特別図柄の変動表示が開始されることになる。これにより、図６の特別図柄管理処理（ステップＳ０５９）を抜けて、次の特別電動役物管理処理（ステップＳ０６０）に進む。
【０２０１】
（８−２．特別図柄変動中処理：図１０）
次に、特別図柄変動中処理（ステップＳ３０７）について説明する。図１０は、図７の特別図柄変動中処理（ステップＳ３０７）の詳細を示すフローチャートである。
【０２０２】
図１０において、ＣＰＵ２０１は、まず特別図柄役物動作タイマがゼロであるか否か、つまり特別図柄の変動時間が経過したか否かを判定する（ステップＳ４５１）。特別図柄役物動作タイマがゼロでない場合は（ステップＳ４５１：ＮＯ）、未だ特別図柄の変動時間が経過していない、つまり特別図柄が変動中であるので、何もしないでこの特別図柄変動中処理を抜ける。
【０２０３】
特別図柄役物動作タイマがゼロになったならば（ステップＳ４５１：ＹＥＳ）、演出制御コマンドとして、特別図柄の変動が終了したことを示す「変動停止コマンド」を演出制御部２４に送信する（ステップＳ４５２）。この変動停止コマンドにより、演出制御部２４側では、特別図柄の変動時間経過して特別図柄変動表示ゲームが終了したことを把握し、現在変動表示中の装飾図柄を停止表示（確定表示）させる。これにより、特別図柄変動表示ゲームの終了とともに、装飾図柄変動表示ゲームも終了することになる。
【０２０４】
次いで、特別図柄の変動停止時設定処理として、後述するデータセット処理（図１９）により、ＲＡＭ２０３の特別図柄確定タイマに、特別図柄確定信号出力時間（たとえば、１００ｍｓ）を格納し、特別図柄役物動作タイマに確定表示時間（たとえば、５００ｍｓ）を格納し、特別図柄動作ステータスを「確認中（０３Ｈ）」に切り替え（特別図柄動作ステータスに０３Ｈを格納）、特別図柄変動中フラグに００Ｈ（ＯＦＦ状態）を格納し（ステップＳ４５３）、この特別図柄変動中処理を抜ける。上記「特別図柄確定信号出力時間」とは、枠用外部端子基板２１からホールコンピュータＨＣに対し、特別図柄が確定表示された旨を報知する特別図柄確定信号の出力時間を確保するための余裕時間である。また「確定表示時間」とは、特別図柄の変動表示が終了して特別図柄の停止表示した際、その停止表示を保持する時間（停止表示時間）である。
【０２０５】
ステップＳ４５３の処理を終えると、この特別図柄変動中処理を抜けて、図７のステップＳ３０９の特別図柄表示データ更新処理を行った後、特別図柄管理処理を抜けて、図６のステップＳ０６０の特別電動役物管理処理に進む。
【０２０６】
（８−３．特別図柄確認時間中処理（変動停止時処理）：図１１Ａおよび図１１Ｂ）
次に、特別図柄確認時間中処理（ステップＳ３０８）について説明する。図１１Ａおよび図１１Ｂは、図９の特別図柄確認時間中処理（ステップＳ３０８）の詳細を示すフローチャートである。
【０２０７】
図１１Ａおよび図１１Ｂにおいて、ＣＰＵ２０１は、まず特別図柄役物動作タイマがゼロであるか否かを判定する（ステップＳ４７１）。ここでの特別図柄役物動作タイマには、「確定表示時間」が設定されている（図１０のステップＳ４５３参照）。上記特別図柄役物動作タイマがゼロになるまでの間は（ステップＳ４７１：ＮＯ）、何もしないでこの特別図柄確認時間中処理を抜ける。
【０２０８】
特別図柄役物動作タイマがゼロになったならば（ステップＳ４７１：ＹＥＳ）、今回の特別図柄変動表示ゲームが終了したとして、特別図柄動作ステータスを「待機中（０１Ｈ）」に切り替え（特別図柄動作ステータスに０１Ｈを格納）（ステップＳ４７２）、現在の遊技状態に応じた遊技状態判定番号（ＹＪ）をＲＡＭ２０３の遊技状態判定領域に格納する（ステップＳ４７３）。
【０２０９】
次いで、大当り判定フラグを取得し、大当り判定フラグの状態を判定する（ステップＳ４７４）。
【０２１０】
（大当り判定フラグがＯＮ状態の場合）
上記ステップＳ４７４の判定で、大当り判定フラグがＯＮ状態（＝５ＡＨ）の場合（ステップＳ４７４：＝５ＡＨ）、大当り図柄停止時の各種設定処理を行う（ステップＳ４７５）。ここでは、大当り図柄停止時の各種設定処理（大当り遊技の開始前処理）として、大当り判定フラグに００Ｈ（ＯＦＦ状態）を格納し、条件装置作動フラグに５ＡＨ（ＯＮ状態）を格納し、さらに、普電役物開放延長状態フラグ、普通図柄時短状態フラグ、普通図柄確変状態フラグ、特別図柄時短状態フラグ、特別図柄確変状態フラグ、特別図柄時短回数カウンタ、特別図柄確変回数カウンタ、および特別図柄変動回数カウンタの各々に００Ｈ（ＯＦＦ状態）を格納し、変動パターン振分指定番号（Ｔｃｏｄｅ）に００Ｈ（通常Ａ指定）を格納し、複合表示装置３８ｃがその機能を担う遊技状態報知ＬＥＤの点灯・消灯を指定する遊技状態報知ＬＥＤ出力番号に００Ｈを格納して、この特別図柄確認時間中処理を抜ける。上記「遊技状態報知ＬＥＤ」とは、現在の遊技状態情報の一部または全部を報知する状態報知手段である。本実施形態の遊技状態報知ＬＥＤ（状態報知手段）は、特別図柄時短状態であるか否かを報知するために利用される。ＣＰＵ２０１は、遊技状態報知ＬＥＤ出力番号に応じて、遊技状態報知ＬＥＤ（状態報知手段）の報知態様を変化させる。たとえば、上記遊技状態報知ＬＥＤ出力番号が「００Ｈ」の場合、現在、特別図柄時短状態ではない旨が（遊技状態報知ＬＥＤ：消灯状態（非特別図柄時短状態報知）、「０１Ｈ」の場合には、現在、特別図柄時短状態である旨が報知される（遊技状態報知ＬＥＤ：点灯状態（特別図柄時短状態報知）。この大当り図柄停止時の各種設定処理（大当り遊技の開始前処理）は、図２１のゼロセット処理により、図２７（ｂ）の条件装置作動開始設定テーブル１および図２７（ｃ）の条件装置作動開始設定テーブル２を用いて行う。この詳細は後述する。
【０２１１】
（大当り判定フラグがＯＦＦ状態の場合）
上記ステップＳ４７４の判定で、大当り判定フラグがＯＦＦ状態（＝００Ｈ）の場合（ステップＳ４７４：≠５ＡＨ）、次いで、小当り判定フラグを取得し、小当り判定フラグの状態を判定する（ステップＳ４７６）。小当り判定フラグがＯＦＦ状態（＝００Ｈ）の場合（ステップＳ４７６：≠５ＡＨ）、ステップＳ４７８の処理に進む。
【０２１２】
小当り判定フラグがＯＮ状態（＝５ＡＨ）の場合（ステップＳ４７６：＝５ＡＨ）、小当り図柄停止時の各種設定処理を行う（ステップＳ４７７）。ここでは、小当り図柄停止時の各種設定処理（小当り遊技開始前処理）として、後述するデータセット処理（図１９）により、小当り判定フラグに００Ｈ（ＯＦＦ状態）を格納し、小当り中フラグに５ＡＨ（ＯＮ状態）を格納する。上記小当り図柄停止時の各種設定処理を終えると、ステップＳ４７８の処理に進む。なお、この小当り遊技開始前処理（ステップＳ４７７）は、図２７（ｂ）（ｃ）のように分けて、図１９のデータセット処理と図２１のゼロセット処理により行ってもよい。
【０２１３】
ステップＳ４７８の処理に進むと、特別図柄時短回数カウンタ（特別図柄時短状態の残り回数）がゼロであるか否かを判定する（ステップＳ４７８）。特別図柄時短回数カウンタがゼロである場合（ステップＳ４７８：ＹＥＳ）、何もしないでステップＳ４８３の処理に進む。
【０２１４】
特別図柄時短回数カウンタがゼロでない場合（ステップＳ４７８：ＮＯ）、今回の変動回数の消化分として、特別図柄時短回数カウンタを１減算し（ステップＳ４７９）、減算後の特別図柄時短回数カウンタがゼロであるか否かを判定する（ステップＳ４８０）。
【０２１５】
減算後の特別図柄時短回数カウンタがゼロでない場合（ステップＳ４８０：ＮＯ）、特別図柄時短状態の終了回数の７０回に達していないので、何もしないでステップＳ４８３の処理に進む。
【０２１６】
減算後の特別図柄時短回数カウンタがゼロの場合（ステップＳ４８０：ＹＥＳ）、特別図柄時短状態の終了回数の７０回に達したとして、時短終了時の設定処理を行う（ステップＳ４８１）。ここでは、時短終了時の設定処理として、図２１のゼロセット処理により、普電役物開放延長状態フラグ、普通図柄時短状態フラグ、普通図柄確変状態フラグ、および特別図柄時短状態フラグの各々に００Ｈ（ＯＦＦ状態）を、また変動パターン振分指定番号（Ｔｃｏｄｅ）に００Ｈを、遊技状態報知ＬＥＤ出力番号に００Ｈ（非特別図柄時短状態指定）を格納する。これにより次ゲームから、電サポ無し状態下に置かれることになる。
【０２１７】
ステップＳ４８１の時短終了時の設定処理を終えると、演出制御コマンドとして、特別図柄時短状態が終了情報（電サポ無し状態移行情報）を含む「時短終了コマンド」を演出制御部２４に送信する（ステップＳ４８２）。この「時短終了コマンド」は、現在の遊技状態を指定したり、遊技状態が移行される旨を知らせる「遊技状態指定コマンド」の一種であり、このコマンドにより演出制御部２４は、次ゲームから電サポ無し状態となる旨を把握する。なお本実施形態では、電サポ有り状態から電サポ無し状態に移行する場合は、確変状態から通常Ａに移行することと同じであるので、演出制御部２４がこの「時短終了コマンド」を受けると、たとえば、次に行われる装飾図柄変動表示ゲームを開始する際、「通常Ａ演出モード」用の背景画像（背景演出）に切り替えて当該演出モード下での演出制御処理を行ったり、発射位置として左流下経路３ｂを狙う旨を指示する「発射位置誘導演出（左打ち報知演出）」を現出させるための演出制御処理を行ったりすることができる。
【０２１８】
次いでステップＳ４８３の処理に進むと、特別図柄確変回数カウンタ（残りＳＴ回数）がゼロであるか否かを判定する（ステップＳ４８３）。
【０２１９】
特別図柄確変回数カウンタがゼロである場合（ステップＳ４８３：ＹＥＳ）、ステップＳ４８７の処理に進む。
【０２２０】
特別図柄確変回数カウンタがゼロでない場合（ステップＳ４８３：ＮＯ）、今回の特別図柄の変動回数消化分として、特別図柄確変回数カウンタを１減算し（ステップＳ４８４）、その減算後の特別図柄確変回数カウンタがゼロであるか否かを判定する（ステップＳ４８５）。
【０２２１】
減算後の特別図柄確変回数カウンタがゼロでない場合（ステップＳ４８５：ＮＯ）、ＳＴ規定回数（７０回）に達していないので、何もせずにステップＳ４８７の処理に進む。
【０２２２】
減算後の特別図柄確変回数カウンタがゼロの場合（ステップＳ４８５：ＹＥＳ）、特別図柄の変動回数がＳＴ規定回数の７０回に達したとして、確変終了時の設定処理を行う（ステップＳ４８６）。ここでは、潜確状態終了または確変状態終了に伴う通常遊技状態への移行設定処理として、図２１のゼロセット処理により、普電役物開放延長状態フラグ、普通図柄時短状態フラグ、普通図柄確変状態フラグ、特別図柄時短状態フラグ、および特別図柄確変状態フラグの各々に００Ｈ（ＯＦＦ状態）を格納し、また変動パターン振分指定番号（Ｔｃｏｄｅ）に００Ｈを、遊技状態報知ＬＥＤ出力番号に００Ｈ（非特別図柄時短状態指定）を格納する。これにより、次ゲームから、大当り抽選確率が高確率状態から低確率状態下に置かれることになる。なお潜確状態の場合には、特別図柄時短回数カウンタがゼロに設定されるので（図９のステップＳ４１１の遊技状態移行準備処理）、この確変終了時の設定処理において潜確状態の終了タイミングが管理されている。
【０２２３】
上記ステップＳ４８６の確変終了時の設定処理を終えると、ステップＳ４８７の処理に進み、特別図柄変動回数カウンタがゼロであるか否か、つまり遊技状態移行規定回数（「通常Ｂ」移行時：遊技状態移行規定回数１００回、「通常Ｃ」移行時：１５回または３０回）がゼロであるか否かを判定する（ステップＳ４８７）。
【０２２４】
特別図柄変動回数カウンタがゼロである場合（ステップＳ４８７：ＹＥＳ）、何もしないでこの特別図柄確認時間中処理を抜ける。
【０２２５】
特別図柄変動回数カウンタがゼロでない場合（ステップＳ４８７：ＮＯ）、今回の変動回数の消化分として、特別図柄変動回数カウンタを１減算し（ステップＳ４８８）、その減算後の特別図柄変動回数カウンタがゼロであるか否かを判定する（ステップＳ４８９）。
【０２２６】
上記減算後の特別図柄変動回数カウンタがゼロでない場合（ステップＳ４８９：ＮＯ）、遊技状態移行規定回数に達していないとして、何もしないでこの特別図柄確認時間中処理を抜ける。一方、上記減算後の特別図柄変動回数カウンタがゼロの場合（ステップＳ４８９：ＹＥＳ）、特別図柄の変動回数が遊技状態移行規定回数に達したとして、「通常Ａ」への移行設定処理を行う（ステップＳ４９０）。ここでは、「通常Ａ」への移行設定処理として、図１９のデータセット処理または図２１のゼロセット処理により、変動パターン振分指定番号（Ｔｃｏｄｅ）に「００Ｈ（通常Ａ指定）」を格納する。これにより、特別図柄の変動パターンの選択条件が変更されることになる。このステップＳ４９０処理は、所定の選択変更条件の成立に基づき、特別図柄の変動パターンの選択条件を切替制御するための選択条件切替手段として働く。これにより、次回以降の特別図柄変動表示ゲームでは、「通常Ａ」が継続する限り、「通常Ａ」下における変動パターンが選択される。
【０２２７】
次いで、演出制御コマンドとして、「通常Ａ」移行情報を含む「遊技状態指定コマンド」を演出制御部２４に送信する（ステップＳ４９１）。この「遊技状態指定コマンド」により演出制御部２４側は、今回のゲームで「通常Ｂ」または「通常Ｃ」が終了し、次ゲームから「通常Ａ」となる旨を把握する。これにより、演出制御部２４は、次に行われる装飾図柄変動表示ゲームを開始する際、「通常Ａ演出モード」用の背景画像（背景演出）に切り替え、当該演出モード下での演出制御処理を行う。
【０２２８】
以上により、この特別図柄確認時間中処理を抜けると、図７のステップＳ３０９の特別図柄表示データ更新処理を行った後、特別図柄管理処理を抜けて、図６のステップ６０の特別電動役物管理処理に進む。
【０２２９】
（９．特別電動役物管理処理：図１２）
次に、図６中の特別電動役物管理処理（ステップＳ０６０）について説明する。図１２は、ステップＳ０６０の特別電動役物管理処理の詳細を示すフローチャートである。
【０２３０】
図１２において、ＣＰＵ２０１は、まず小当り中フラグの状態を判定する（ステップＳ５０１）。上記小当り中フラグがＯＮ状態（＝５ＡＨ）の場合（ステップＳ５０１：＝５ＡＨ）、小当り遊技に係る特別変動入賞装置５２の一連の動作を制御するための小当り処理を行い（ステップＳ５０４）、この特別電動役物管理処理を抜ける。
【０２３１】
上記小当り中フラグがＯＦＦ状態（＝００Ｈ）の場合（ステップＳ５０１：≠５ＡＨ）、次いで、条件装置作動フラグの状態を判定する（ステップＳ５０２）。条件装置作動フラグがＯＦＦ状態（＝００Ｈ）の場合（ステップＳ５０２：≠５ＡＨ）、この場合は、小当り遊技中ではなく（ステップＳ５０１：≠５ＡＨ）、大当り遊技中でもないので、何もしないでこの特別電動役物管理処理を抜ける。
【０２３２】
条件装置作動フラグがＯＮ状態（＝５ＡＨ）の場合（ステップＳ５０２：＝５ＡＨ）、特別電動役物動作ステータス（００Ｈ〜０４Ｈ）に応じた処理を行う（ステップＳ５０３：特別電動役物ステータス分岐処理）。なお「特別図柄動作ステータス」とは、特別変動入賞装置５２の挙動を示すステータス値であり、このステータス値は処理状態に応じて変更され、ＲＡＭ２０３の特別図柄動作ステータス格納領域に格納される。
【０２３３】
ステップＳ５０３の特別図柄動作ステータス分岐処理では、特別図柄動作ステータスが「開始処理中（００Ｈ）」「作動開始処理中（０１Ｈ）」「継続判定中（０３Ｈ）」「終了処理中（０４Ｈ）」のいずれのステータス値であるに応じて、それぞれに対応する処理を呼び出して実行させる。具体的には、特別電動役物動作ステータスが「開始処理中（００Ｈ）」の場合には、大当り開始処理（ステップＳ５０５）を、「作動開始処理中（０１Ｈ）」の場合には、特別電動役物作動開始処理（ステップＳ５０６）を、作動中（０２Ｈ）」の場合には、特別電動役物作動中処理（ステップＳ５０７）を、「継続判定中（０３Ｈ）」の場合には、特別電動役物作動継続判定処理（ステップＳ５０８）を、「終了処理中（０４Ｈ）」の場合には、大当り終了処理（ステップＳ５０９）を呼び出して実行させる。これらの処理により大当り遊技に係る特別変動入賞装置５２の動作が制御される。ここで、上述の「開始処理中（００Ｈ）」とは、大当り遊技開始前の待機状態である旨を示し、「作動開始処理中（０１Ｈ）」とはラウンド遊技開始前の待機状態である旨を示し、「作動中（０２Ｈ）」とはラウンド遊技が実行中である旨を示し、「継続判定中（０３Ｈ）」とは次回のラウンド遊技を継続させるか否かの判定中である旨を示し、「大当り終了処理中（０４Ｈ）」とは大当り遊技終了時の終了処理中である旨を示す。上記ステップＳ５０５〜Ｓ５０９のいずれかの処理を終えると、特別電動役物管理処理を抜けて、図６のステップＳ０６１の右打ち報知情報管理処理に進む。
【０２３４】
以下に、図１２〜図１７を参照しながら、大当り遊技制御処理（ステップＳ５０５〜Ｓ５０９）と、小当り遊技制御処理（ステップＳ５０４）について詳細に説明する。
【０２３５】
＜大当り遊技制御処理（ステップＳ５０５〜Ｓ５０９）＞
（９−１．大当り開始処理：図１３）
まず、大当り開始処理（図１２のステップＳ５０５）について説明する。図１３は、大当り開始処理の詳細を示すフローチャートである。
【０２３６】
大当り遊技開始時には、特別電動役物動作ステータスが初期ステータス値の「開始処理中（００Ｈ）」に設定されている。したがって、大当りとなった場合は、まず最初に、この大当り開始処理が行われるようになっている。
【０２３７】
図１３において、ＣＰＵ２０１は、まず大当り遊技を開始する際に必要な大当り開始時の設定処理を行う（ステップＳ５１１：大当り開始時の設定処理）。ここでは、大当り開始時の設定処理として、図１９のデータセット処理により、図２０の役物連続作動装置開始設定テーブル（テーブル名：Ｄ＿ＴＤ０ＳＥＴ）を用いて、役物連続作動装置作動フラグに５ＡＨ（ＯＮ状態）を格納し、特別電動役物動作ステータスを「作動開始処理中（０１Ｈ）」に切り替え（特別電動役物動作ステータスに０１Ｈを格納）、連続回数カウンタに０１Ｈを格納する。上記「役物連続作動装置作動フラグ」とは、役物連続作動装置の作動状態を指定するためのフラグで、当該フラグがＯＮ状態（＝５ＡＨ）である場合には役物連続作動装置作動中（ラウンド遊技継続可）である旨を示し、当該フラグがＯＦＦ状態（＝００Ｈ）である場合には役物連続作動装置非作動（ラウンド遊技継続不可）である旨を示す。また「連続回数カウンタ」とは、ラウンド遊技の連続実行回数、つまり現在のラウンド数を記憶するためのカウンタである。ここでの連続回数カウンタは「０１Ｈ」であるので、現在のラウンド数は１Ｒ目を示す。
【０２３８】
次いで、大当り開始設定テーブル（図示せず）を取得し（ステップＳ５１２）、その大当り開始設定テーブルを参照して、特別図柄判定データ（大当り種別）に応じて、最大ラウンド数（規定ラウンド数）、ラウンド表示ＬＥＤ番号をそれぞれに対応するＲＡＭ２０３の記憶領域に格納し、また特別図柄役物動作タイマに開始インターバル時間を格納する（ステップＳ５１３：特別図柄判定データ別設定処理）。この特別図柄判定データ別設定処理も図１９のデータセット処理により行う。
【０２３９】
上記大当り開始設定テーブルには、特別図柄判定データ（ここでは大当り種別）と、「最大ラウンド数（規定ラウンド数）、開始インターバル時間、およびラウンド表示ＬＥＤ番号」とが関連付けて定められており、具体的には、特別図柄判定データに応じて「最大ラウンド数、開始インターバル時間、およびラウンド表示ＬＥＤ番号」が決定されるようになっている。
【０２４０】
上記「開始インターバル時間」とは、特別図柄の確定表示時間（図１０のステップＳ４５３参照）が経過して大当りが確定した後、特別変動入賞装置５２が作動するまでのインターバル区間であって、オープニング演出が行われる区間を定めた時間幅（１回目のラウンド遊技が行われる前の初回演出時間）を指す。たとえば、「２Ｒ短開放潜確大当り」の場合には、開始インターバル時間‘１０００ｍｓ’が「１０Ｒ長開放確変大当り」の場合には、開始インターバル時間‘１００００ｍｓ’が、「１５Ｒ長開放確変大当り」の場合には、開始インターバル時間‘１００００ｍｓ’が設定される。
【０２４１】
また上記「ラウンド表示ＬＥＤ番号」とは、ラウンド数表示装置３９ｂ（ラウンド数表示手段）の報知態様を指定するデータであり、ＣＰＵ２０１は、ラウンド表示ＬＥＤ番号に対応した表示態様で、ラウンド数表示装置３９ｂのＬＥＤを点灯／消灯させる。これにより今回の大当り遊技の最大ラウンド数（規定ラウンド数）が、ラウンド数表示装置３９ｂにより報知される。
【０２４２】
上記ステップＳ５１３の処理を終えると、オープニング演出の開始を指示する「大当り開始コマンド」を演出制御部２４に送信する（ステップＳ５１４）。なお「大当り開始コマンド」には、今回の大当り種別情報と大当り当選時の遊技状態情報とが含まれ、演出制御部２４側において、大当り遊技中に展開される一連の当り演出態様（オープニング演出、ラウンド演出、ラウンド終了演出、エンディング演出などを含む一連の当り中演出シナリオ）を決定する際に利用される。
【０２４３】
以上により、この大当り開始処理を抜けると、図６ステップＳ０６１の右打ち報知情報管理処理に進む。
【０２４４】
（９−２．特別電動役物作動開始処理：図１４）
次に、特別電動役物作動開始処理（図１２のステップＳ５０６）について説明する。図１４は、特別電動役物作動開始処理の詳細を示すフローチャートである。
【０２４５】
図１４において、ＣＰＵ２０１は、まず特別図柄役物動作タイマがゼロであるか否かを判定する（ステップＳ５２１）。ここでの特別図柄役物動作タイマには、「ラウンド遊技開始前のインターバル時間」が設定されている。このインターバル時間としては、初回のラウンド（１Ｒ目）では、図１３のステップＳ５１３で設定される「開始インターバル時間」が監視されるが、２Ｒ目以降でこのステップＳ５２１を通過するときは、「開放前インターバル時間（後述の図１６のステップＳ５７５参照）」が監視される。この特別図柄役物動作タイマがゼロになるまでの間は（ステップＳ５２１：ＮＯ）、何もしないでこの特別電動役物作動開始処理を抜ける。
【０２４６】
一方、特別図柄役物動作タイマがゼロ、つまり開放前インターバル時間（初回のラウンドの場合は、開始インターバル時間）が経過したならば（ステップＳ５２１：ＹＥＳ）、大入賞口開放開始動作に伴い、「大入賞口開放コマンド」を演出制御部２４に送信する（ステップＳ５２２）。この「大入賞口開放コマンド」は、ラウンド遊技開始情報（ラウンド演出の開始指示情報）や現在のラウンド数情報を含み、演出制御部２４側において、ラウンド数に対応するラウンド演出を現出させる際に利用される。
【０２４７】
次いで、大入賞口動作時間設定テーブル（図示せず）を取得し（ステップＳ５２３）、大入賞口開放動作時間設定処理を行う（ステップＳ５２４）。この大入賞口開放動作時間設定処理では、大入賞口開放動作時間設定テーブル（図示せず）を参照して、特別図柄判定データ（大当り種別）と現在のラウンド数とに対応する大入賞口開放動作時間を特別図柄役物動作タイマに格納する。この大入賞口開放動作時間設定処理も図１９のデータセット処理により行う。
【０２４８】
上記大入賞口動作時間設定テーブルには、特別図柄判定データと現在のラウンド数とに関連付けられた大入賞口開放動作時間が定められており、具体的には、特別図柄判定データと現在のラウンド数とに対応する大入賞口開放動作時間が決定されるようになっている。本実施形態の大入賞口開放動作時間は、１０Ｒ長開放確変大当りと１５Ｒ長開放確変大当りとの場合には、初期値として長開放時間に相当する２９８００ｍｓが、２Ｒ短開放潜確大当りの場合には、初期値として短開放時間に相当する１００ｍｓが、特別図柄役物動作タイマに設定される。これにより、大入賞口の最大開放時間が定まる。なお本実施形態では、１０Ｒ長開放確変大当りの場合は１Ｒ〜１０Ｒまで長開放時間に相当する２９８００ｍｓが、１５Ｒ長開放確変大当りの場合は１Ｒ〜１５Ｒまで長開放時間に相当する２９８００ｍｓが、２Ｒ短開放潜確大当りの場合には１Ｒ〜２Ｒまで短開放時間に相当する１００ｍｓが設定される。
【０２４９】
次いで、大入賞口入賞数カウンタに００Ｈを格納する（ゼロクリアする）（ステップＳ５２５）。上記「大入賞口入賞数カウンタ」とは、大入賞口５０の入賞球数を計数（記憶）するためのＲＡＭ２０３に設けられたカウンタ領域である。
【０２５０】
次いで、大入賞口開閉動作設定処理を行う（ステップＳ５２６）。この大入賞口開閉動作設定処理では、大当り種別に応じた大入賞口５０の開閉動作制御に必要な設定処理を行う。具体的には、ステップＳ５２４の大入賞口開放動作時間設定処理で設定された開放時間分、大入賞口５０を開放するために必要な大入賞口ソレノイド５２ｃ用のソレノイド制御データを作成し、ＲＡＭ２０３のソレノイド管理領域に設定する。なおここで設定されたデータは、図６のソレノイド管理処理（ステップＳ０６４）中で確認され、ソレノイド管理処理にて、設定されたソレノイド制御データに基づくソレノイド用の励磁信号が大入賞口ソレノイド５２ｃに対し出力される。これにより開放扉５２ｂが作動し大入賞口５０が開放されるようになっている。
【０２５１】
ステップＳ５２６の大入賞口開閉動作設定処理を終えると、特別電動役物動作ステータスを「作動中（０２Ｈ）」に切り替える（特別電動役物動作ステータスに０２Ｈを格納する）（ステップＳ５２７）。
【０２５２】
以上により、この特別電動役物作動開始処理を終えると、特別電動役物管理処理を抜け、図６のステップＳ０６１の右打ち報知情報管理処理に進む。
【０２５３】
（９−３．特別電動役物作動中処理：図１５）
次に、特別電動役物作動中処理（図１２のステップＳ５０７）について説明する。図１５は、特別電動役物作動中処理の詳細を示すフローチャートである。
【０２５４】
図１５において、ＣＰＵ２０１は、まず大入賞口最大入賞数確認処理を行う（ステップＳ５５１）。この大入賞口最大入賞数確認処理では、大入賞口５０への入賞球数をカウントし、その入賞球数が最大入賞数に達したか否かを確認する。大入賞口５０への入賞球数が最大入賞数に達した場合は、特別図柄役物動作タイマをゼロクリア、つまり大入賞口開放動作時間を強制的にゼロにする。これにより、大入賞口５０の最大開放時間が経過していない場合であっても、入賞球数が最大入賞数に達した場合は、大入賞口５０が閉鎖される。
【０２５５】
ステップＳ５５１の大入賞口最大入賞数確認処理を終えると、大入賞口開閉動作設定処理を行う（ステップＳ５５２）。ここでの大入賞口開閉動作設定処理は、基本的には、図１４の特別電動役物作動開始処理中の大入賞口開閉動作設定処理（ステップＳ５２６）の仕方と同じである。なおステップＳ５５２を通過するときには、特別図柄役物動作タイマ（ステップＳ５２４の大入賞口開放動作時間設定処理で設定された開放時間）が監視され、当該特別図柄役物動作タイマがゼロになった場合、大入賞口ソレノイド５２ｃに対する励磁信号の出力を停止するためのソレノイド制御データを作成する。これにより、ステップＳ５２４で設定された開放時間が経過した場合か、または大入賞口最大入賞数確認処理にて入賞球数が最大入賞数に達して特別図柄役物動作タイマがゼロクリアされた場合には、大入賞口ソレノイド５２ｃに対する励磁信号の出力が停止され、これにより、大入賞口５０が閉鎖されるようになっている。
【０２５６】
次いで、特別図柄役物動作タイマがゼロであるか否かを判定する（ステップＳ５５３）。ここでの特別図柄役物動作タイマには、上記大入賞口開放動作時間が設定されているので、ステップＳ５３３の判定処理では、大入賞口動作時間が経過したか否か（大入賞口動作時間がゼロであるか否か）が判定されることになる。上記特別図柄役物動作タイマがゼロになるまでの間は（ステップＳ５５３：ＮＯ）、何もしないでこの特別電動役物作動中処理を抜ける。
【０２５７】
特別図柄役物動作タイマがゼロ（大入賞口開放動作時間経過）になったならば（ステップＳ５５３：ＹＥＳ）、今回のラウンド遊技における大入賞口が閉鎖されたとして、「ラウンド終了コマンド」を演出制御部２４に送信する（ステップＳ５５４）。この「ラウンド終了コマンド」は、今回の大当り種別情報、ラウンド遊技終了情報（ラウンド終了演出の開始指示情報）、および現在のラウンド数情報を含み、演出制御部２４側において、ラウンド遊技間のインターバル時間中における「ラウンド終了演出」を現出する際に利用される。
【０２５８】
次いで、ラウンド遊技が終了した際の各種設定処理を行う（ステップＳ５５５）。ここでは、ラウンド遊技終了時の各種設定処理として、特別電動役物動作ステータスを「継続判定中（０３Ｈ）」に切り替え（特別電動役物動作ステータスに０３Ｈを格納）、特別図柄役物動作タイマに残存球排出時間（たとえば、１９８０ｍｓ）を格納する。このラウンド遊技終了時の各種設定処理も図１９のデータセット処理により行う。
【０２５９】
なお本実施形態では、各ラウンド遊技後に設定される残存球排出時間がすべて同じ時間幅（１９８０ｍｓ）となっているがこれに限られない。上記残存球排出時間は、大入賞口の閉鎖後の大入賞口内の残存球を排出するための余裕時間として定めたものであることから、大入賞口の内部構造（たとえば、大入賞口センサ５２ａが遊技球を検出するまでの最大経路長）を考慮して、大入賞口センサ５２ａが遊技球を検出するまで（または大入賞口内から遊技球が外部に排出されるまで）に要する最大時間を見込んだ時間幅が設定される。しかし、ラウンド遊技が複数種類の動作態様に制御される場合にあっては、それぞれの動作態様に着目して異なる残存球排出時間が設定されるように構成しても良い。たとえば、短開放時間に係るラウンド遊技中は大入賞口への入賞率が相対的に低い点に着目し、開閉扉５２ｂによる遊技球の玉噛み頻度や大入賞口内において多数の遊技球による混雑が予想されないことから、長開放時間に係るラウンド遊技中よりも相対的に短い時間幅の残存球排出時間としても良い。
【０２６０】
以上により、この特別電動役物作動中処理を抜けると、図６のステップＳ０６１の右打ち報知情報管理処理に進む。
【０２６１】
（９−４．特別電動役物作動継続判定処理：図１６）
次に、特別電動役物作動継続判定処理（図１２のステップＳ５０８）について説明する。図１６は、特別電動役物作動継続判定処理の詳細を示すフローチャートである。
【０２６２】
図１６において、ＣＰＵ２０１は、まず特別図柄役物動作タイマがゼロであるか否かを判定する（ステップＳ５７１）。ここでの特別図柄役物動作タイマには、大入賞口閉鎖後の残存球排出時間が設定されているので（図１５のステップＳ５５７参照）、ステップＳ５７１の判定処理では、残存球排出時間が経過したか否かが判定されることになる。上記特別図柄役物動作タイマがゼロになるまでの間は（ステップＳ５７１：ＮＯ）、何もしないでこの特別電動役物作動継続判定処理を抜ける。
【０２６３】
一方、特別図柄役物動作タイマがゼロ（残存球排出時間経過）ならば（ステップＳ５７１：ＹＥＳ）、連続回数カウンタを取得して現在のラウンド数が規定ラウンド数の最大ラウンド数に達したか否かを判定する（ステップＳ５７２）。
【０２６４】
最大ラウンド数に達していない場合には（ステップＳ５７２：ＮＯ）、ラウンド遊技継続時の処理として、後述のステップＳ５７３〜Ｓ５７６の処理（ラウンド継続処理）を行う。しかし最大ラウンド数に達した場合には（ステップＳ５７２：ＹＥＳ）、ラウンド遊技継続終了時の処理として、ステップＳ５７７〜Ｓ５８２の処理（ラウンド継続終了処理）を行う。
【０２６５】
（９−４−１．ラウンド継続処理：ステップＳ５７３〜Ｓ５７６）
現在のラウンド数が最大ラウンド数に達していない場合（ステップＳ５７２：ＮＯ）、ステップＳ５７３〜Ｓ５７６の処理ルートに入る。
【０２６６】
まずステップＳ５７３の処理では、連続回数カウンタに１加算（＋１）する（ステップＳ５７３）。
【０２６７】
次いで、特別電動役物終了インターバル設定テーブル（図示せず）を取得し（ステップＳ５７４）、この特別電動役物終了インターバル設定テーブルを参照して、特別図柄判定データと加算後の連続回数カウンタとに対応する「開放前インターバル時間」を特別図柄役物動作タイマに格納する（ステップＳ５７５）。
【０２６８】
上記特別電動役物終了インターバル設定テーブルには、特別図柄判定データと連続回数カウンタとに関連付けられた開放前インターバル時間が定められおり、具体的には、特別図柄判定データ（今回の大当り種別）と連続回数カウンタの現在値（ステップＳ５７３の加算処理後の連続回数カウンタ値）とに対応する開放前インターバル時間が決定されるようになっている。なお本実施形態では、各ラウンド遊技後に設定される開放前インターバル時間がすべて同じ時間幅（２０ｍｓ）となっている。しかし本発明はこれに限らず、一のラウンド遊技後に設定される開放前インターバル時間と他のラウンド遊技後に設定される開放前インターバル時間が異なっていても良い。
【０２６９】
また開放前インターバル時間中は、後述のステップＳ５７６の処理において特別電動役物作動フラグがＯＦＦ状態（＝００Ｈ）に設定される。この「特別電動役物作動フラグ」とは、特別変動入賞装置５２が作動中か否かを確認するために利用されるフラグで、当該フラグがＯＮ状態（＝５ＡＨ）である場合には、特別変動入賞装置５２が作動中である旨を示し、当該フラグがＯＦＦ状態（＝００Ｈ）である場合には、特別変動入賞装置５２が未作動中である旨を示す。なおラウンド遊技間において特別電動役物作動フラグがＯＮ状態（＝５ＡＨ）となる期間、つまり特別変動入賞装置が作動中とされる期間は、大入賞口が開放してからその大入賞口が閉鎖された後、残存球排出時間（第１の所定時間：１９８０ｍｓ）が経過するまでの期間となっている。他方、ラウンド遊技間において特別電動役物作動フラグがＯＦＦ状態（＝００Ｈ）となる期間、つまり特別変動入賞装置が未作動中とされる期間は、上述の残存球排出時間（１９８０ｍｓ）が経過してから次のラウンド遊技が開始されるまでのインターバル時間（開放前インターバル時間（第２の所定時間）：２０ｍｓ）中の期間となっている。このインターバル時間は、遊技球が実際に入賞口に入球して入賞検出スイッチのＯＮ信号が出力された場合、その出力時間（信号継続期間）は、入賞球の転動時間に長短があるものの最長で２０ｍｓ程度であることを考慮したものである。上記開放前インターバル時間内は、特別変動入賞装置５２が未作動中となることから、この間は、大入賞口５０への入賞を無効とする大入賞口入賞無効期間（大当り中不正入賞監視期間）となる。
【０２７０】
図１６の説明に戻り、ステップＳ５７５の処理を終えると、ラウンド継続時の各種設定処理を行う（ステップＳ５７６）。ここでは、今回のラウンド遊技が終了して次回のラウンド遊技を開始させるため設定処理として、特別電動役物作動フラグに００Ｈ（ＯＦＦ状態）を格納し、特別電動役物動作ステータスを「作動開始処理中（０１Ｈ）」に切り替える（特別電動役物動作ステータスに０２Ｈを格納）。このラウンド継続時の各種設定処理は、図２７（ｂ）（ｃ）のように分けて、図１９のデータセット処理により行う。しかし、図２７（ｂ）（ｃ）のように分けて、図１９のデータセット処理と図２１のゼロセット処理により行ってもよい。
【０２７１】
以上のステップＳ５７３〜Ｓ５７６（ラウンド継続処理）を終えると、特別電動役物作動継続判定処理を抜けて、図６のステップＳ０６１の右打ち報知情報管理処理に進む。
【０２７２】
（９−４−２．ラウンド継続終了処理：ステップＳ５７７〜Ｓ５８０）
現在のラウンド数が最大ラウンド数に達した場合（ステップＳ５７２：ＹＥＳ）、ステップＳ５７７〜Ｓ５８０の処理ルートに入る。
【０２７３】
まずステップＳ５７７の処理では、役物連続作動装置作動終了インターバル設定テーブル（図示せず）を取得し（ステップＳ５７７）、この役物連続作動装置作動終了インターバル設定テーブルを参照して、特別図柄判定データと加算後の連続回数カウンタとに対応する「終了インターバル時間」を特別図柄役物動作タイマに格納する（ステップＳ５７８）。
【０２７４】
上記役物連続作動装置作動終了インターバル設定テーブルには、特別図柄判定データ（大当り種別）と終了インターバル時間とが関連付けて定められており、具体的には、特別図柄判定データに応じて終了インターバル時間が決定されるようになっている。本実施形態では、上記終了インターバル時間として、「２Ｒ短開放潜確大当り（特別図柄判定データ：０１Ｈ）」の場合には‘５０００ｍｓ’が、「１０Ｒ長開放確変大当り（特別図柄判定データ：０２Ｈ）」の場合には‘６０００ｍｓ’が、「１５Ｒ長開放確変大当り（特別図柄判定データ「０３Ｈ」）」の場合には‘１００００ｍｓ’が設定されるようになっている。
【０２７５】
なお上記「終了インターバル時間」とは、最終ラウンドのラウンド遊技が終了して残存球排出時間が経過した後、大当り遊技が終了するまでのインターバル区間であって、エンディング演出が行われる区間を定めた時間幅を指す。この「終了インターバル時間」中は、後述のステップＳ５７９の処理において特別電動役物作動フラグがＯＦＦ状態（＝００Ｈ）に設定される。したがって、終了インターバル時間内は、開放前インターバル時間内と同じく、大入賞口への入賞を無効とする大入賞口入賞無効期間となる。
【０２７６】
ステップＳ５７８の処理を終えると、ラウンド継続終了時の各種設定処理を行う（ステップＳ５７９）。ここでは、最大ラウンド到達時の設定処理として、特別電動役物作動フラグに００Ｈ（ＯＦＦ状態）を格納し、特別電動役物動作ステータスを「終了処理中（０４Ｈ）」に切り替える（特別電動役物動作ステータスに０４Ｈを格納）。このラウンド継続終了時の各種設定処理も図１９のデータセット処理により行う。しかし、図２７（ｂ）（ｃ）のように分けて、図１９のデータセット処理と図２１のゼロセット処理により行ってもよい。
【０２７７】
次いで、エンディング演出の開始を指示する「大当り終了コマンド」を演出制御部２４に送信する（ステップＳ５８０）。なお「大当り終了コマンド」には、今回の大当り種別情報と大当り当選時の遊技状態情報とが含まれ、演出制御部２４側において、大当り遊技後の演出モードを決定する際にも利用される。したがって、この「大当り終了コマンド」は、遊技状態指定コマンドとしての役割も担っている。演出制御部２４は、大当り終了コマンドに含まれる情報に基づき、演出モードを決定することで、大当り終了後の遊技状態と、その遊技状態に係る演出モードとの整合性を取ることができるようになっている。
【０２７８】
以上により、この特別電動役物作動継続判定処理を抜けると、図６のステップＳ０６１の右打ち報知情報管理処理に進む。
【０２７９】
（９−５．大当り終了処理：図１７）
次に、大当り終了処理（図１２のステップＳ５０９）について説明する。図１７は、大当り終了処理の詳細を示すフローチャートである。
【０２８０】
図１７において、ＣＰＵ２０１は、特別図柄役物動作タイマがゼロであるか否かを判定する（ステップＳ５９１）。ここでの特別図柄役物動作タイマには、上記終了インターバル時間が設定されているので、ステップＳ５９１の判定処理では、終了インターバル時間が経過したか否かが判定されることになる。上記特別図柄役物動作タイマがゼロになるまでの間は（ステップＳ５９１：ＮＯ）、何もしないでこの大当り終了処理を抜ける。
【０２８１】
特別図柄役物動作タイマがゼロ（終了インターバル時間経過）になったならば（ステップＳ５９１：ＹＥＳ）、大当り終了時の各種設定の一環として、各移行状態バッファの値を各状態フラグに格納する（ステップＳ５９２）。具体的には、図９の特別図柄変動開始処理中のステップＳ４１１の遊技状態移行準備処理で設定した移行状態バッファの各々の値を、遊技状態を指定するための、普電役物開放延長状態フラグ、普通図柄時短状態フラグ、普通図柄確変状態フラグ、特別図柄時短状態フラグ、特別図柄確変状態フラグ、特別図柄時短回数カウンタ、特別図柄確変回数カウンタ、変動パターン振分指定番号、および特別図柄変動回数カウンタにそれぞれ格納する。これにより、大当り遊技後の遊技状態が特定される。
【０２８２】
続いて、大当り終了時の各種設定処理を行う（ステップＳ５９３）。ここでは、大当り遊技制御処理中に利用した各種のデータとして、条件装置作動フラグ、役物連続作動装置作動フラグ、連続回数カウンタ、最大ラウンド数、普通電役物開放延長状態バッファ、普通図柄時短移行状態バッファ、普通図柄確変移行状態バッファ、特別図柄時短状態移行状態バッファ、特図確変移行状態バッファ、特図時短回数カウンタバッファ、特図確変回数カウンタバッファ、変動パターン振分指定番号バッファ、特図変動回数カウンタバッファ、ラウンド表示ＬＥＤ番号、および遊技状態判定番号（ＹＪ）をそれぞれクリア（００Ｈを格納）し、特別電動役物動作ステータスを「開始処理中（００Ｈ）」に切り替える（特別電動役物動作ステータスに００Ｈを格納）。この大当り終了時の各種設定処理は、図２１のゼロセット処理により、図２２の役物連続作動装置終了設定テーブルを用いて行う。この詳細は後述する。
【０２８３】
次いで、遊技状態報知情報を更新する遊技状態報知情報更新処理を行い（ステップＳ５９４）。ここでの処理は、特別図柄時短状態フラグがＯＮ状態（＝５ＡＨ）かＯＦＦ状態（≠５ＡＨ）かを確認し、ＯＮ状態の場合、遊技状態報知ＬＥＤを点灯させるデータを格納する。
【０２８４】
上記大当り終了処理を終えると、大当り遊技に関する一連の制御処理が終了したことになる。この大当り終了処理を抜けると、図６のステップＳ０６１の右打ち報知情報管理処理に進む。
【０２８５】
＜小当り遊技制御処理＞
（９−６．小当り処理）
次に、図１２のステップＳ５０４の小当り処理について説明する。この小当り処理では、小当り遊技動作に必要な設定処理が行われる。この小当り処理では、小当り遊技の進行状況に応じて、主として、一連の当り遊技中の動作態様を「２Ｒ潜確大当り遊技」と同一または酷似する動作態様とするために必要な設定処理や、小当り遊技後に移行される遊技状態を指定するために必要な設定処理を行う。
【０２８６】
具体的には、特別図柄役物動作タイマの確定表示時間（図１０のステップＳ４５３参照）が経過した後、まず最初に、小当り遊技の開始を指示する「小当り開始コマンド」を演出制御部２４に送信するとともに、大入賞口開放前のインターバル時間を設定する。また今回当選した小当り種別に応じ、その小当り遊技後の遊技状態の移行制御設定を行う。なお小当りの場合は、内部遊技状態の移行はないので、ここでは、変動パターン振分指定番号と特別図柄変動カウンタに小当り種別に応じた所定値が設定して、小当り遊技後の遊技状態を指定する。たとえば、小当りＣに当選し、その当選時の遊技状態が「通常Ａ」であった場合、変動パターン振分指定番号に「通常Ｃ」を指定するデータ「０２Ｈ」が格納され、特別図柄変動回数カウンタに遊技状態移行規定回数「３０回」を指定するデータが格納される。これにより、小当り遊技後の遊技状態が「通常Ａ」から「通常Ｃ（３０回）」に移行されることになる（図４参照）。そして上記インターバル時間が経過した後は、大入賞口５０を「２Ｒ短開放潜確大当り」の１Ｒ目〜２Ｒ目終了と同一または酷似する動作態様で開閉制御し、擬似的なラウンド遊技を発生させるようになっている。この擬似的なラウンド遊技が終了した後は、エンディング演出の開始を指示する「小当り終了コマンド」を演出制御部２４に送信し、小当り遊技に関する制御処理を終了する。これにより小当り遊技を実現している。なお上記「小当り開始コマンド」は、大当り中の「大当り開始コマンド」と同じ働きをし、また「小当り終了コマンド」は、大当り中の「大当り終了コマンド」と同じ働きをするものであり、演出制御部２４側において、小当り遊技中における当り演出を実行したり、小当り遊技後の演出モードを決定する際に利用される。また小当り遊技中における大入賞口５２への最大入賞数は大当り（ここでは、２Ｒ短開放潜確大当り）によるものと同じとなっている。以上により、この小当り処理を抜けると、図６のステップＳ０６１の右打ち報知情報管理処理に進む。
【０２８７】
＜１０．データセット処理＞
（１０−１．データセット処理の種類：図１８）
図１９（ａ）（ｂ）に、上記ステップＳ４１６、Ｓ４５３、Ｓ４７７、Ｓ５１１、Ｓ５１３、Ｓ５２４、Ｓ５５５、Ｓ５７９等で用いられる、データセット処理の詳細を示す。
【０２８８】
不揮発性記憶手段であるＲＯＭ２０２は、使用領域において、所定の大きさ（３ＫＢ）を超えてはならない制約下でデータ領域が割り当てられ、それ以外の記憶領域がプログラムを記憶したプログラム領域を含む制御領域として割り当てられている。そして、ＲＯＭ２０２の上記データ領域には、遊技動作の制御を行う際に使用する遊技動作制御用の複数種類のデータテーブルが格納されている。
【０２８９】
また揮発性記憶手段であるＲＡＭ２０３は、基底アドレスの値（この例では２８００Ｈ）に相対アドレス値（下位１バイト）を加えたアドレス位置から所定のアドレス位置（この例では２８Ａ７Ｈ）に至るまでの記憶領域が、遊技動作の制御に伴い発生する動作データを設定するワーク領域として定められている。
【０２９０】
上記複数種類のデータテーブルは、データセット用の第１のデータセットテーブル（図２０のＤ＿ＴＤ０ＳＥＴ等）と、ゼロセット用の第２のデータセットテーブル（図２２、図２６のＤ＿ＴＤ０ＳＥＴ等）とを含んでいる。データセット用の第１のデータセットテーブル（以下、データセット用データセットテーブルと略す）は、ワーク領域に転送して設定すべき上記動作データと、その設定先を特定する設定先アドレス情報（下位）とで一対とされ、このような一対の情報が設定すべき処理数（セットするデータの個数）だけ、つまり１または複数組だけ、テーブルアドレス（設定元アドレス）を付して順次設けられている。またゼロセット用の第２のデータセットテーブル（以下、ゼロセット用データセットテーブルと略す）は、ワーク領域にクリアデータを設定すべき場合に用いられるものであって、このテーブルには、ワーク領域に転送され設定されるクリアデータは記憶されておらず、そのクリアデータの設定先を特定する設定先アドレス情報だけが、設定すべき処理数（セットするデータの個数）だけ、つまり１または複数組だけ、テーブルアドレス（設定元アドレス）を付して順次設けられている。これらのデータセットテーブルは、そのデータテーブルの先頭アドレスが、当該データテーブルの識別データとして利用され、個々のデータテーブルが識別されるようになっている。
【０２９１】
また遊技動作制御手段の主制御部２０は、データセット用データセットテーブルの動作データをＲＡＭ２０３のワーク領域に転送し設定するデータセット用の第１のデータセット処理（以下単に「データセット処理」と略す）と、第２のデータセットテーブルの設定先アドレス情報により特定されるＲＡＭ２０３のワーク領域の該当番地に、当該ゼロセット処理のプログラムにより自ら作成したクリアデータ（００Ｈ）を転送して設定するゼロセット用の第２のデータセット処理（以下単に「ゼロセット処理」と略す）とを含む。
【０２９２】
図１８は、データセット処理とゼロセット処理に先立ち行われる前段階の処理を示すフローチャートである。図１８（ａ）に示すように、データセット処理（第１のデータセット処理）は、ＲＡＭ２０３のワーク領域に動作データを設定すべき処理時（たとえば図１３のステップＳ５１１：大当り開始時の各種設定処理）に、ＲＯＭ２０２にあらかじめ記憶された複数種類のデータセットテーブルのうちから、使用するデータセット用データセットテーブルを、その先頭アドレスを識別データとしてＨＬレジスタにセットして決定した後（ステップＳ６００Ａ）、呼び出されるモジュールである（ステップＳ６００Ｂ）。このデータセット処理（第１のデータセット処理）の働きは、当該テーブルのテーブルアドレス（設定元アドレス）を順次指定して、設定すべきデータ数だけの設定処理を実行することにより、当該データテーブル上の動作データを、当該テーブルにおける設定先アドレス情報で指定されるＲＡＭワーク領域の該当番地に転送して設定するという設定処理を行うものであり、主制御部２０の制御プログラム中で設定プログラムとして随所に用いられる。ここで動作データとは、遊技動作制御手段としてのＣＰＵ２０１が遊技動作の制御を実行することで遊技進行に係る処理状態に応じて発生する動作データ（遊技データ）であり、具体的には動作状態を示すフラグ値やバッファ値や計数情報（カウンタ値や、タイマ値など）である。
【０２９３】
またゼロセット処理（第２のデータセット処理）は、図１８（ｂ）に示すように、クリアデータをワーク領域に設定すべき処理時（たとえば図１７のステップＳ５９３：大当り終了時の各種設定処理）に、使用するゼロセット用データセットテーブルを、その先頭アドレスを識別データとしてＨＬレジスタにセットした後（ステップＳ７００Ａ）、呼び出されるモジュールである（ステップＳ７００Ｂ）。このゼロセット処理（第２のデータセット処理）の働きは、当該テーブルのテーブルアドレス（設定元アドレス）を順次指定して、設定すべきクリアデータ数だけの設定処理を実行することにより、当該データテーブルにおける設定先アドレス情報により指定されるワーク領域の該当番地に、当該ゼロセット処理中でプログラムにより自ら作成したクリアデータを設定するという設定処理を行うものであり、主制御部２０の制御プログラム中で設定プログラムとして随所に用いられる。
【０２９４】
（１０−２．データセット処理：図１９、図２０）
図２０に、データセット用データセットテーブルの一例として、役物連続作動装置開始設定テーブル（Ｄ＿ＴＤ０ＳＥＴ）の構成を示す。このテーブルＤ＿ＴＤ０ＳＥＴは、図２０（ｂ）に示すように、テーブルアドレス“１１３０”〜“１１３６”の順に、設定すべきデータ個数（処理数データ）「０３Ｈ」、設定先となるワーク領域の設定先アドレス「Ｗ＿ＹＫＦＬＧ」、このアドレスに設定されるべき動作データ（設定データ）「５ＡＨ」、設定先アドレス「Ｗ＿ＴＤＪＢＳＴ」、その設定データ「０１Ｈ」、設定先アドレス「Ｗ＿ＶＣＮＴ」、その設定データ「０１Ｈ」が、それぞれ１バイト長で設けられている。
【０２９５】
この実施形態の場合、先頭アドレス“１１３０”には、設定すべきデータの個数として３個に対応する０３Ｈが記憶されている。また、これに続くテーブルアドレス“１１３１”〜“１１３２”には、ラベルＷ＿ＹＫＦＬＧによる役物連続作動装置開作動フラグの設定先アドレスの情報（３８Ｈ）と、同フラグの値５ＡＨ（動作データ）を一対とする情報が記憶されている。このラベルＷ＿ＹＫＦＬＧは、当該ラベルによって、ＲＡＭ２０３のワーク領域の先頭（ＴＯＰ）つまり基底アドレス（２８００Ｈ番地）からの相対アドレス値が＋３８Ｈであるアドレス位置（２８３８Ｈ番地）を指定するように関係付けられている。従って、１１３１番地には、３８Ｈという値が記憶されていることになる。
【０２９６】
このようにＲＡＭ２０３のワーク領域の基底アドレス（ＴＯＰ）からの相対アドレス値（＋３８Ｈ）を設定先アドレスとして指定することにより、設定先となるワーク領域の該当するエリア（２８３８Ｈ番地）を特定するようにしている。これはデータセット処理の場合に限らず、ゼロセット処理を行う場合も同じである。
【０２９７】
同様に、次のテーブルアドレス“１１３３”〜“１１３４”には、ラベルＷ＿ＴＤＪＢＳＴによる特別電動役物動作ステータスの設定先アドレスと、同特別電動役物動作ステータスの動作データ０１Ｈを一対とする情報が記憶されている。この動作データ０１Ｈは、ワーク領域の該当ラベルＷ＿ＴＤＪＢＳＴの指示番地（ＴＯＰ＋３９Ｈ番地）に格納される。続いて、次のテーブルアドレス“１１３５”〜“１１３６”には、ラベルＷ＿ＶＣＮＴ”による連続回数カウンタ（ラウンド回数）の設定先アドレスと、連続回数カウンタの動作データ０１Ｈを一対とする情報が記憶されている。この連続回数カウンタの値はワーク領域の該当ラベルＷ＿ＶＣＮＴの指示番地（ＴＯＰ＋９ＡＨ番地）に格納される。
【０２９８】
このように、図２０のテーブルＤ＿ＴＤ０ＳＥＴの場合、役物連続作動装置開作動フラグＷ＿ＹＫＦＬＧについては、その値５ＡＨが２８３８Ｈ番地に転送され、特別電動役物動作ステータスＷ＿ＴＤＪＢＳＴについてはその値０１ＨがＲＡＭ２０３の２８３９Ｈ番地に転送され、連続回数カウンタ（ラウンド回数）Ｗ＿ＶＣＮＴについてはその値０１ＨがＲＡＭ２０３の２８９ＡＨＨ番地に転送されて、ＲＡＭ２０３に格納されることとなる。
【０２９９】
上記の例では、設定すべき処理数を確定するために、先頭アドレスの記憶エリアに、あらかじめ設定すべき動作データの個数（０３Ｈ）を置いて明らかにしておくテーブル形式を採用している。しかし、あらかじめ設定すべき動作データの個数を明らかにしておかないで、最後に設定すべき動作データがそれ以上存在しないことを示すエンドコードを置いたテーブル形式を採用することもできる。この場合には、図２６のテーブルにクリアデータを付加した形のテーブルを用い、設定処理プログラムとして図２５のゼロセット処理のものを採用することで実現される。このエンドコードを用いたテーブル形式によれば、後に設定すべき動作データの個数に増減があっても、テーブル上には、そもそも動作データ自体が存在していないため、この値を変更する必要も発生することはなく、単に所望する設定処理データ行を必要数だけ増加または減少させればよい。これは、データテーブルとして図２６のようにクリアデータの存在しないテーブルを用い、図２５のゼロセット処理のプログラムによりゼロセット処理を行う場合にも当てはまることであり、同様の効果を得ることができる。
【０３００】
図２０のデータセット用データセットテーブルの場合の設定プロブラムは、図１９のデータセット処理で実現される。なお、図１９はＺ８０ＣＰＵによって実行されるプログラムである。ＣＰＵ２０１は、まず図１８のステップＳ６００Ａにおいて、必要なデータテーブルの先頭アドレスをＨＬレジスタにセットし、データテーブルを特定した後で、図１９のデータ設定処理を呼び出し、当該データテーブルに記憶された設定先アドレスおよび動作データに基づいてデータセット処理を実行する。
【０３０１】
図１９のデータセット処理（Ｍ＿ＤＴＳＥＴ）において、“ＬＤ”は、第１の引数として指定されるレジスタに、第２の引数として設定されるデータをセットする命令である。また、Ｄは８ビットレジスタ、＠ＲＡＭＨＥＡＤはワーク領域の先頭アドレスの上位８ビットを意味する。従って、Ｍ＿ＺＥＲＯＳＥＴでは、先ず、“ＬＤ  Ｄ，＠ＲＡＭＨＥＡＤ”という命令により、ＲＡＭ２０３のワーク領域の先頭アドレスの上位８ビットがＤレジスタにロードされる（ステップＳ６０１）。この実施形態の場合、ＲＡＭ２０３のワーク領域はすべてアドレスが２８＊＊Ｈで統一されているため、ここでは上位８ビットの２８ＨがＤレジスタにロードされる。
【０３０２】
次に、“ＬＤ  Ｂ，（ＨＬ）”という命令により、ＨＬレジスタの示すテーブルアドレスが指す内容をＢレジスタにロードする（ステップＳ６０２）。このデータセット処理（サブルーチンまたはモジュール）がＣＡＬＬされるときには、ＨＬレジスタには、ステップＳ６００Ａによってデータセットテーブルの先頭アドレス“１１３０”が格納されているので、このステップＳ６０２の処理によって、Ｂレジスタには、設定すべきデータの個数（セット処理数）として０３Ｈが格納されることになる。
【０３０３】
次に、“ＩＮＣ  ＨＬ”という命令により、ＨＬレジスタをインクリメントして（ステップＳ６０３）、ＨＬレジスタのテーブルアドレス“１１３１”が指す内容（設定先アドレス下位）をＥレジスタにロードする（ステップＳ６０４）。これによりＥレジスタに３８Ｈがロードされることになり、ＤＥレジスタには２８３８Ｈがセットされる。
【０３０４】
その後、再度、ＨＬレジスタをインクリメントし（ステップＳ６０５）、“ＬＤ  Ａ，（ＨＬ）”という命令により、ＨＬレジスタの示すアドレス“１１３２”の内容（動作データ５ＡＨ）をＡレジスタにロードする（ステップＳ６０５）。そして、“ＬＤ  （ＤＥ），Ａ”という命令により、ＤＥレジスタの示すアドレス先にＡレジスタの値（動作データ）を転送する（ステップＳ６０７）。この段階では、Ｄレジスタには、ワークエリアの先頭アドレスの上位８ビットが格納され、Ｅレジスタにはワーク領域のＷ＿ＹＫＦＬＧに対応する下位アドレスとして３８Ｈが格納されているので、ＲＯＭエリア（データセットテーブル）から読み出されたフラグ値やカウンタ値等が、ＲＡＭワーク領域の該当番地に転送されて設定されることになる。
【０３０５】
そこで、次に“ＤＪＮＺ  ＤＴＳＥＴ＿１０”という命令を実行することにより、Ｂレジスタの値（セット処理数）をデクリメントし（ステップＳ６０８）、Ｂレジスタの値がゼロになるまでステップＳ６０２〜Ｓ６０９の処理を繰り返す。
【０３０６】
以上の処理によって、データセットテーブルＤ＿ＴＤ０ＳＥＴに記憶されている動作データ、つまり役物連続作動装置開作動フラグＷ＿ＹＫＦＬＧの値５ＡＨ、特別電動役物動作ステータスＷ＿ＴＤＪＢＳＴの値０１Ｈ、および連続回数カウンタ（ラウンド回数）Ｗ＿ＶＣＮＴの値０１Ｈが、必要なタイミングで、ＲＡＭ２０３の該当ワーク領域に転送され設定されることになる。なお、データセット用データセットテーブルＤ＿ＴＤ０ＳＥＴに格納されているこれらの動作データは、図１３のステップＳＴ５１１の処理で設定される。上記したステップＳ４１６、Ｓ４５３、Ｓ４７７、Ｓ５１３、Ｓ５２４、Ｓ５５５、Ｓ５７９等においても、同様のデータセット用データセットテーブルに記憶されている動作データが、上記データセット処理により、ワーク領域の指定されたエリアに転送され設定されることになる。
【０３０７】
（１０−３．ゼロセット処理：図２１〜図２３）
弾球遊技機では、大当り中は、低確率状態でかつ開放延長機能が作動しない状態になる。そこで、上述したように、大当り図柄停止時の各種設定処理（大当り遊技の開始前処理）（図１１ＡのステップＳ４７５）においては、それ以前の段階でセットした条件装置作動フラグや役物連続作動装置作動フラグ等について、これをクリアする処理を行う。また、時短終了時の設定処理（図１１ＢのステップＳ４８１）や、大当り終了時の各種設定処理（図１７のステップＳ５９３）等においては、それ以前の段階でセットしたフラグやカウンタ等について、これをクリアする処理を行う。これらのクリア処理は、従来、上記データセット処理（図１９）によって行われている。
【０３０８】
しかし、上記データセット処理（図１９）によってフラグやカウンタ等のクリアデータを設定するのでは、ＲＯＭのデータセットテーブル上にワーク領域のアドレスと共に必要な数だけのクリアデータ００Ｈを記憶させておかなければならない。このクリアデータ００Ｈのセット処理を必要とするプログラム箇所は非常に数多く存在するため、これをデータセットテーブル上に設けると、その存在が規定容量のＲＯＭへ記憶させるべきデータの記憶容量（記憶可能領域）の大きさを圧迫する。
【０３０９】
たとえば、図２３は、大当り終了時において上記データセット処理（図１９）により役物連続作動装置の終了設定を行う場合に用いるゼロセット用データセットテーブルを例示したものである。この図２３の役物連続作動装置終了設定テーブルＤ＿ＴＤ４ＳＥＴでは、ワーク領域のアドレスと共に動作データとしてクリアデータ００Ｈを１５個設けており、したがってクリアデータ００Ｈだけで合計１５バイトの記憶領域を占有している。
【０３１０】
そこで、これらのクリアデータ００Ｈ（１５個）をデータセットテーブル上から取り去ってアドレスセットテーブルとして構成し、これをゼロセット用データセットテーブルとして用いる。図２２は、クリアデータ００Ｈを持たない役物連続作動装置終了設定テーブル（Ｄ＿ＴＤ４ＳＥＴ）として構成したものである。クリアデータ００Ｈについては、それ自体を図２１に示すゼロセット処理プログラムにより作成し、これを、ワーク領域に格納すべき所定のタイミング（図１７のステップＳ５９３）において、設定先アドレスが指すワーク領域の該当番地にセットする。
【０３１１】
（１０−３−１．ゼロセット用データセットテーブル：図２２）
図２２に示す役物連続作動装置終了設定テーブル（Ｄ＿ＴＤ４ＳＥＴ）は、設定すべきデータ個数（処理数データ）「０ＦＨ」と、設定先アドレスとが記憶され、設定すべきクリアデータ００Ｈを持たないゼロセット用データセットテーブルとなっている。すなわち、ワーク領域にクリアデータを設定すべき場合に用いられるものであるが、図２０や図２３のデータセットテーブルで設けられている動作データ対応するクリアデータ００Ｈは有しておらず、設定先アドレス下位だけが、セット処理数分だけ記憶されている。
【０３１２】
この先頭アドレス“１１４０に続く、データアドレス（設定元アドレス）“１１４１”〜“１１４Ｆ”には、順次、条件装置作動フラグＷ＿ＪＫＦＬＧ、役物連続作動装置作動フラグＷ＿ＹＫＦＬＧ、特別電動役物動作ステータスＷ＿ＴＤＪＢＳＴ、遊技状態判定番号Ｗ＿ＹＪＴＰＴＮ、普電役物開放延長状態バッファＷ＿ＦＤＬＢＦ、普図時短移行状態バッファＷ＿ＦＪＴＢＦ、普図確率変動移行状態バッファＷ＿ＦＨＩＢＦ、特図時短移行状態バッファＷ＿ＴＪＴＢＦ、特図確変移行状態バッファＷ＿ＴＨＩＢＦ、特図時短回数カウンタ移行状態バッファＷ＿ＪＴＣＴＢＦ、特図確変回数カウンタ移行状態バッファＷ＿ＨＩＣＴＢＦ、変動パターン振分指定番号バッファＷ＿ＴＣＯＤＥＢＦ、連続回数カウンタＷ＿ＶＣＮＴ、最大ラウンド数Ｗ＿ＶＣＮＴＬＩＭ、ラウンド表示ＬＥＤ番号Ｗ＿ＲＮＤＤＳＰの各設定先アドレス下位が記憶されており、それらについてのクリアデータ００Ｈはこのゼロセット用データセットテーブル上には設けられていない。クリアデータ００Ｈは、図２１のゼロセット処理によるプログラムにてセットされる。換言すれば、ゼロセット処理のプログラムにてクリアデータ００Ｈをセットする構成となっているため、ゼロセット用データセットテーブルにはクリアデータ００Ｈを記憶させておく必要がない。
【０３１３】
（１０−３−２．ゼロセット処理のプログラム：図２１）
図２１のゼロセット処理のプログラムの作用を、図２２の役物連続作動装置終了設定テーブルを用いる場合を例にして説明する。
【０３１４】
図２２のようなクリアデータを持たないゼロセット用データセットテーブルの場合、そのゼロセット処理プロブラムは、図２１のようになる。なお、図２１はＺ８０ＣＰＵによって実行されるプログラムである。
【０３１５】
この図２１のゼロセット処理（Ｍ＿ＺＥＲＯＳＥＴ）は、ワーク領域にクリアデータを設定すべき処理タイミングが到来した際、図１８（ｂ）のステップＳ７００ＡでＨＬレジスタに先頭アドレス“１１４０”がセットされた後に、ステップＳ７００Ｂにて呼び出されて用いられる。
【０３１６】
図２１（ｂ）に示すプログラムＭ＿ＺＥＲＯＳＥＴにおいて、先ず、“ＬＤ  Ｄ，＠ＲＡＭＨＥＡＤ”という命令により、ＲＡＭ２０３のワーク領域の先頭アドレス（２８＊＊Ｈ）の上位８ビット（２８Ｈ）がＤレジスタにロードされる（ステップＳ７０１）。
【０３１７】
次の“ＸＯＲ”は、引数として指定されるレジスタの値とＣＰＵ２０１における８ビットレジスタであるＡレジスタの値との排他的論理和を演算する命令である。ここで、同一の値の排他的論理和は０となる。従って、Ｍ＿ＺＥＲＯＳＥＴでは、“ＸＯＲ  Ａ”という命令により、ＣＰＵ２０１におけるＡレジスタにクリアデータ００Ｈがセットされることとなる（ステップＳ７０２）。
【０３１８】
続いて、“ＬＤ  Ｂ，（ＨＬ）”という命令により、ＨＬレジスタが指すテーブルアドレスの内容をＢレジスタにロードする（ステップＳ７０３）。このゼロセット処理Ｍ＿ＺＥＲＯＳＥＴ（サブルーチンまたはモジュールとして機能する）が呼出されるときには、ＨＬレジスタには、図２２のゼロセット用データセットテーブルにおける先頭アドレス“１１４０”が記憶されているので、Ｂレジスタには、ワーク領域に設定すべきデータの個数（セット処理数）として０ＦＨが格納される。
【０３１９】
次に、ラベル“ＺＥＲＯＳＥＴ＿１０”の付いた処理に入り、“ＩＮＣ  ＨＬ”という命令により、ＨＬレジスタをインクリメントしてテーブルアドレスを“１１４１”とし（ステップＳ７０４）、“ＬＤ  Ｅ，（ＨＬ）”という命令により、ＨＬレジスタのテーブルアドレス“１１４１”が指す内容（設定先アドレス下位（３７Ｈ））をＥレジスタにロードする（ステップＳ７０５）。これによりＤＥレジスタには、ワーク領域の条件装置作動フラグに対応するアドレス（２８３７Ｈ）がセットされる。
【０３２０】
その後、“ＬＤ  （ＤＥ），Ａ”という命令により、ＤＥレジスタにより指定される設定先アドレスに、Ａレジスタの値（クリアデータ００Ｈ）がロードされる（ステップＳ７０６）。この段階では、Ｄレジスタには、ワークエリアの先頭アドレスの上位８ビット（２８Ｈ）が格納され、Ｅレジスタには設定先アドレスの下位アドレス（３７Ｈ）が格納されているので、Ａレジスタの内容（クリアデータ００Ｈ）が、ワーク領域のラベルＷ＿ＪＫＦＬＧで特定される該当番地（２８３７Ｈ）に転送され設定されることになる。
【０３２１】
そこで、次に“ＤＪＮＺ  ＺＥＲＯＳＥＴ＿１０”という命令を実行することにより、Ｂレジスタの値をデクリメントし（ステップＳ７０７）、Ｂレジスタの値がゼロでない間はラベル“ＺＥＲＯＳＥＴ＿１０”に戻り、Ｂレジスタの値がゼロになるまでステップＳ７０４〜Ｓ７０８の処理を繰り返す。
【０３２２】
以上の処理によって、条件装置作動フラグＷ＿ＪＫＦＬＧ、役物連続作動装置作動フラグＷ＿ＹＫＦＬＧ、特別電動役物動作ステータスＷ＿ＴＤＪＢＳＴ、遊技状態判定番号Ｗ＿ＹＪＴＰＴＮ、普電役物開放延長状態バッファＷ＿ＦＤＬＢＦ、普図時短移行状態バッファＷ＿ＦＪＴＢＦ、普図確率変動移行状態バッファＷ＿ＦＨＩＢＦ、特図時短移行状態バッファＷ＿ＴＪＴＢＦ、特図確変移行状態バッファＷ＿ＴＨＩＢＦ、特図時短回数カウンタ移行状態バッファＷ＿ＪＴＣＴＢＦ、特図確変回数カウンタ移行状態バッファＷ＿ＨＩＣＴＢＦ、変動パターン振分指定番号バッファＷ＿ＴＣＯＤＥＢＦ、連続回数カウンタＷ＿ＶＣＮＴ、最大ラウンド数Ｗ＿ＶＣＮＴＬＩＭ、ラウンド表示ＬＥＤ番号Ｗ＿ＲＮＤＤＳＰの領域に、動作データとしてクリアデータ００Ｈが転送されて格納されることになる。このようなゼロセット処理はたとえば図１７のステップＳ５９３で行われる。
【０３２３】
上記のゼロセット処理を用いることの利点は、ＲＯＭ２０２のデータテーブルにクリアデータ００Ｈを記憶しておく必要が無いことである。このため、それまでクリアデータ００Ｈにより占有されていたＲＯＭの記憶領域（図２３の点線の枠参照）が図２２に点線の枠で示唆するように削除開放され、ここを他のデータの記憶領域として活用することができること。つまりクリアデータ００Ｈの存在がＲＯＭの規定記憶容量の使用可能領域を圧迫しあるいは狭めることがなくなる、という点にある。よってデータテーブル上からクリアデータ００Ｈを無くすことにより、その分だけＲＯＭの記憶容量を節減することができる。この作用効果の違いは、図２３の場合はテーブルアドレスの数が“１１４０”〜“１１５Ｄ”と３１個必要であるのに対し、図２２の場合は、テーブルアドレスの数が“１１４０”〜“１１４Ｆ”の１６個で済むことからも分かる。
【０３２４】
（１０−３−３．従来のゼロセット用データセットテーブルとの対比：図２４）
図２４の（ａ）は図２０の大当り開始時のデータセットテーブルを再掲したものである。（ｂ）（ｃ）は、この（ａ）のテーブルアドレス３行分に対応するテーブル部分（Ｗ＿ＹＫＦＬＧ、Ｗ＿ＴＤＪＢＳＴ、Ｗ＿ＶＣＮＴ）だけを、図２２と図２３中から抜粋し、それぞれを（ｂ）大当り終了時のゼロセット用データセットテーブル、および（ｃ）大当り終了時の従来のゼロセット用データセットテーブルとして示したものである。この（ｂ）と（ｃ）を比較すると、（ｃ）の従来のゼロセット用データセットテーブルでは、クリアデータ００Ｈとして３バイトを記憶することが必要とされ、ＲＯＭの記憶エリアを占有しているのに対し、（ｂ）の大当り終了時のゼロセット用データセットテーブルではＷ＿ＹＫＦＬＧ、Ｗ＿ＴＤＪＢＳＴ、Ｗ＿ＶＣＮＴのクリアデータ００Ｈを記憶していないため、ＲＯＭの記憶エリアにおける占有領域が、従来の３バイト分だけ開放されていることが分かる。
【０３２５】
ここでは説明を容易にするため、Ｗ＿ＹＫＦＬＧ、Ｗ＿ＴＤＪＢＳＴ、Ｗ＿ＶＣＮＴの３セット分（３バイト）を扱ったゼロセット用データセットテーブルについて論じているが、任意の数のセット処理数（１または複数バイト）を扱ったゼロセット用データセットテーブルについて適用することができる。ゼロセット処理を必要とする箇所は、遊技機の遊技動作制御プログラムの中で随所に現れるため、それぞれの箇所において、適宜、上記ゼロセット処理（図２１または図２５）とゼロセット用データセットテーブルとを適用して、ＲＯＭの記憶容量の節減を図ることができる。
【０３２６】
たとえば、一方においては、遊技進行に係る処理状態の一つが実行される際、たとえば特別図柄の変動表示の開始および当該変動表示の停止を一セットとする図柄変動表示動作における図柄変動や、遊技者に有利な利益状態（大当り、小当り等）の所定の動作の開始時には、上記したデータセットテーブル（図２０や図２７（ｂ）など）に基づくデータセット処理（図１９）を行い、他方において、これらの所定の動作の終了時には、上記したゼロセット用データセットテーブル（図２２、図２６、図２７（ｃ）など）に基づくゼロセット処理（図２１または図２５）を行う、というデータセット処理とゼロセット処理の上手な組み合わせにより、従来のゼロセット処理の作用を損なわずに、ＲＯＭの記憶容量の節減を図ることができる。このため遊技制御において、データテーブルで使用するデータ容量をＲＯＭの規定容量の枠内に納めつつ、従来に比べ、より一層豊富な演出を現出させることができる。
【０３２７】
＜変形例１＞
上記実施形態では、図２２の如く、テーブルの先頭アドレスに、あらかじめ設定すべき処理データの個数（セット処理数）を記憶した構造のテーブル形式を採用しているが、あらかじめ設定すべき処理データの個数（セット処理数）を明らかにしておかないで、テーブルの最後に、設定すべき処理データがそれ以上存在しないことを示すエンドコードを置いたテーブル形式を採用することもできる。このエンドコードを用いた構造のテーブル形式とすることもできる。これによれば、一旦決定した後に、設定すべき処理データの個数に増減があっても、テーブル上には、処理データの個数を明らかにしておく識別データが存在していないため、セット処理数の値を書き替えて変更するという作業が発生する余地がなく、単に必要数の処理データ行を増減するだけで対応することができる。
【０３２８】
図２５に、この実施形態に係るゼロセット処理の設定プログラムを示し、また図２６に、この設定プログラムにおいて使用するゼロセット用データセットテーブル例を示す。
【０３２９】
この図２６は、役物連続作動装置終了設定テーブルを例にしたもので、ほぼ図２４（ｂ）と同じ構成であるが、テーブルの先頭アドレスに設定すべきデータ処理数は記憶されておらず、その替わりにテーブルの最後のアドレスつまり必要行数分の処理データの次のアドレスに、エンドコードの０ＦＦＨが置かれている点で相違している。
【０３３０】
図２５のゼロセット処理においては、まずＲＡＭ２０３のワーク領域の先頭アドレスの上位８ビット（２８Ｈ）がＤレジスタにロードされる（ステップＳ８０１）。次に、Ａレジスタの内容に対し、これと同じ値で排他的論理和をとることにより、Ａレジスタの内容が００Ｈ（クリアデータとして用いる）にセットされる（ステップＳ８０２）。
【０３３１】
次に、ＨＬレジスタをインクリメントし（ステップＳ８０３）、設定先アドレス下位をＥレジスタにロードする（ステップＳ８０４）。これによりＤＥレジスタには、ワーク領域の条件装置作動フラグに対応するアドレスがセットされる。
【０３３２】
ここでＥレジスタの内容がエンドコードのＦＦＨを示すものであるか否かを判断し（ステップＳ８０５）、まだＦＦＨでなければステップＳ８０６に進む。ステップＳ８０６では、Ａレジスタの内容（クリアデータ００Ｈ）をＤＥレジスタの示す設定先アドレスに転送する（ステップＳ８０６）。この段階では、Ｄレジスタには、ワークエリアの先頭アドレスの上位８ビットが格納され、Ｅレジスタには設定先アドレスの下位アドレスが格納されているので、Ａレジスタの内容（クリアデータ００Ｈ）がワーク領域の該当番地に転送され設定されることになる。なおエンドコードはＦＦＨに限るものではなく、任意のコードを用いることができる。
【０３３３】
その後、Ｅレジスタの値がエンドコードのＦＦＨになるまでステップＳ８０３〜Ｓ８０６の処理を繰り返し、Ｅレジスタの値がＦＦＨになった時点で（ステップＳ８０５、Ｅ＝ＦＦＨ）、ゼロセット処理を終了する。
【０３３４】
以上の処理により、役物連続作動装置開作動フラグＷ＿ＹＫＦＬＧの値として００Ｈが、ワーク領域の先頭（ＴＯＰ）から＋３８Ｈ番地のエリア（ＲＡＭ２０３の２８３８Ｈ番地）に転送され、特別電動役物動作ステータスＷ＿ＴＤＪＢＳＴの値として００Ｈが、ワーク領域の先頭（ＴＯＰ）から＋３９Ｈ番地のエリア（ＲＡＭ２０３の２８３９Ｈ番地）に転送され、また連続回数カウンタ（ラウンド回数）Ｗ＿ＶＣＮＴの値として００Ｈが、ワーク領域の先頭（ＴＯＰ）から＋９ＡＨ番地のエリア（ＲＡＭ２０３の２８９ＡＨＨ番地）に転送されて、ＲＡＭ２０３に格納される。
【０３３５】
このエンドコードを用いたテーブル形式によれば、後に設定すべき動作データの個数に増減があっても、テーブル上には、処理データの個数を明らかにしておく識別データが存在していないため、この識別データの値を変更する必要はなく、単に所望する設定データ行を必要数だけ増減すればよい。
【０３３６】
＜変形例２＞
上記はゼロセット用データセットテーブルがクリアデータのみを含む場合を扱ったが、データセットテーブル中にセットデータとクリアデータが混在している場合には、これをセットデータのみを扱った、つまりクリアデータを含まないデータセット用データセットテーブルと、クリアデータのみを扱った、つまりセットデータを含まないゼロセット用データセットテーブルとに分け、前者のデータセット用データセットテーブルに対しては図１９のデータセット処理を行い、また、後者のゼロセット用データセットテーブルに対しては図２１または図２５のゼロセット処理を行うようにすることで、ＲＯＭのデータ容量を節減することもできる。
【０３３７】
図２７は、従来のデータセットテーブルである図２７（ａ）の条件装置作動開始設定テーブル（Ｄ＿ＪＫＳＥＴ）を、データセット用データセットテーブルである図２７（ｂ）の条件装置作動開始設定テーブル１（Ｄ＿ＪＫＳＥＴ１）と、データセット用データセットテーブルである図２７（ｃ）の条件装置作動開始設定テーブル２（Ｄ＿ＪＫＳＥＴ２）とに分ける例を示したものである。
【０３３８】
図２７（ｂ）の条件装置作動開始設定テーブル１は、図１１ＡのステップＳ４７５において、図１９のデータセット処理により用いられ、データセット用データセットテーブルに記憶されている条件装置作動フラグＷ＿ＪＫＦＬＧの値５ＡＨが、データセット用データセットテーブルにより指示されるＲＡＭ２０３の該当アドレスに格納される。
【０３３９】
図２７（ｃ）の条件装置作動開始設定テーブル２も、同じく図１１ＡのステップＳ４７５において、図２１のゼロセット処理により用いられ、ゼロセット用データセットテーブルに記憶されている大当り判定フラグＷ＿ＴＪＦＬＧ、普電役物開放延長状態フラグＷ＿ＦＤＬＦＬＧ、普通図柄時短状態フラグＷ＿ＦＪＴＦＬＧ、普通図柄確変状態フラグＷ＿ＦＨＩＦＬＧ、特別図柄時短状態フラグＷ＿ＴＪＴＦＬＧ、特別図柄確変状態フラグＷ＿ＴＨＩＦＬＧ、特別図柄時短回数カウンタＷ＿ＪＴＣＮＴ、特別図柄確変回数カウンタＷ＿ＨＩＣＮＴ、特別図柄変動回数カウンタＷ＿ＴＺＣＮＴ、変動パターン振分け指定番号Ｗ＿ＴＣＯＤＥ、遊技状態報知表示ＬＥＤ出力番Ｗ＿ＴＪＤＳＰの各設定先アドレスで特定されるＲＡＭ２０３のワーク領域の該当エリアに、レジスタＡに設定したクリアデータ００Ｈが順次セットされる。
【０３４０】
なお、図２７（ｃ）のゼロセット用データセットテーブルは、セット処理数（転送すべき設定先アドレス情報の個数に対応する）を含むテーブル形式となっているが、このセット処理数を含ませる替わりに、図２６に示すように、転送すべき設定先アドレス情報がそれ以上存在しないことを示すエンドコードを含ませたテーブル形式とする一方、当該ゼロセット用データセットテーブルを用いて、図２５のゼロセット処理を実行することにより、レジスタＡに設定したクリアデータ００Ｈを順次セットすることも可能である。
【０３４１】
図２７（ｃ）または図２６に示すテーブル形式のいずれによる場合も、結果として、クリアデータ００Ｈを保持していないデータテーブル形式に変更しているので、これにより、クリアデータ００Ｈを保持しているデータテーブル形式のゼロセット用データセットテーブルを採用する場合に比べ、１１バイト分の記憶容量の削減を図ることができる。このようにして、従来のデータセットテーブルが、クリアデータ００Ｈとそれ以外の動作データとが混在しているテーブル形式を用いている場合でも、この箇所に本発明を適用して、上記のようにデータセット用データセットテーブルとゼロセット用データセットテーブルとに分け、遊技動作制御用データを格納するＲＯＭのデータ領域の容量節減を図ることができる。
【産業上の利用可能性】
【０３４２】
本発明は、遊技球あるいはこれに相当する遊技媒体を利用した弾球遊技機や、複数個の回胴を並置した回胴装置を備える回胴式遊技機等に有用である。
【符号の説明】
【０３４３】
１      パチンコ遊技機、
２      前枠、
３      遊技盤、
３ａ    遊技領域、
４      外枠、
５      球誘導レール、
６      ガラス扉、
７      前面操作パネル、
８      上受け皿ユニット、
９      上受け皿、
１１      球貸しボタン、
１２      カード返却ボタン、
１３      枠演出ボタン、
１４      球抜きボタン、
１５      発射操作ハンドル、
１９      遊技球払出装置、
２０      主制御部、
２１      枠用外部端子基板、
２４      演出制御部、
２８      発射制御基板、
２９      払出制御基板、
３１      電源基板、
３２      発射装置、
３４      上始動口、
３４ａ    上始動口センサ、
３５      下始動口、
３５ａ    下始動口センサ、
３６      液晶表示装置、
３７      普通図柄始動口、
３７ａ    普通図柄始動口センサ、
３８ａ、３８ｂ    特別図柄表示装置、
３９ｃ    保留複合表示用ＬＥＤ表示器３８ｃ
３９ａ    普通図柄表示装置、
３９ｂ    ラウンド数表示装置、
４０、５０        大入賞口、
４１      普通変動入賞装置、
４１ｃ    普通電動役物ソレノイド、
４２、５２        特別変動入賞装置、
４２ａ、５２ａ    大入賞口センサ、
４２ｂ、５２ｂ    開放扉、
４２ｃ、５２ｃ    大入賞口ソレノイド、
４３      一般入賞口、
４３ａ    一般入賞口センサ、
４４      風車、
４５      装飾ランプ、
４５ａ    光表示装置、
４６      スピーカ、
４６ａ    音響発生装置、
４７      可動翼片、
４８      センター飾り、
４９      アウト口、
７１      可動体役物モータ、
２０１      主制御ＣＰＵ、
２０２      主制御ＲＯＭ、
２０３      主制御ＲＡＭ、
２４１      演出制御ＣＰＵ、
２４２      演出制御ＲＯＭ、
２４３      演出制御ＲＡＭ。
【図１】
0006261256.tif 000002
【図２】
0006261256.tif 000003
【図３】
0006261256.tif 000004
【図４】
0006261256.tif 000005
【図５】
0006261256.tif 000006
【図６】
0006261256.tif 000007
【図７】
0006261256.tif 000008
【図８】
0006261256.tif 000009
【図９】
0006261256.tif 000010
【図１０】
0006261256.tif 000011
【図１１Ａ】
0006261256.tif 000012
【図１１Ｂ】
0006261256.tif 000013
【図１２】
0006261256.tif 000014
【図１３】
0006261256.tif 000015
【図１４】
0006261256.tif 000016
【図１５】
0006261256.tif 000017
【図１６】
0006261256.tif 000018
【図１７】
0006261256.tif 000019
【図１８】
0006261256.tif 000020
【図１９】
0006261256.tif 000021
【図２０】
0006261256.tif 000022
【図２１】
0006261256.tif 000023
【図２２】
0006261256.tif 000024
【図２３】
0006261256.tif 000025
【図２４】
0006261256.tif 000026
【図２５】
0006261256.tif 000027
【図２６】
0006261256.tif 000028
【図２７】
0006261256.tif 000029